(57)【要約】  本開示は、４Ｇシステム以後より高いデータ送信率をサポートするための５Ｇ通信システムをＩｏＴ技術とコンバージェンスする通信技法及びそのシステムを提供すること。本開示は、５Ｇ通信技術及びＩｏＴ関連技術を基盤で知能型サービス（例えば、スマートホーム、スマートビルディング、スマートシティ、スマートカー又はコネクテッドカー、ヘルスケア、デジタル教育、小売り業、保安及び安全関連サービスなど）に適用されることができる。第１ＵＥの方法は、サイドリンク同期化アイデンティティー（ＳＬ−ＳＩＤ）及びリソースのセットを決定する段階；前記ＳＬ−ＳＩＤ及び前記リソースのセットに基づいて少なくとも一つのサイドリンク同期化信号及び物理的ブロードキャストチャンネルブロック（Ｓ−ＳＳＢ）を生成する段階−前記少なくとも一つのＳ−ＳＳＢのそれぞれのＳ−ＳＳＢはサイドリンクプライマリー同期化信号（Ｓ−ＰＳＳ）に対する第１の２つのシンボル及びサイドリンクセカンダリー同期化信号（Ｓ−ＳＳＳ）に対する第２の２つのシンボルを含み−；前記Ｓ−ＰＳＳに対応する第１シーケンスを生成する段階−前記第１シーケンスは１２７のシーケンス長さ及びＰＳＳとの低い相互相関を有するＢＰＳＫ（ｂｉｎａｒｙ  ｐｈａｓｅ  ｓｈｉｆｔ  ｋｅｙｉｎｇ）変調されたＭ−シーケンスに基づいて決定される−；前記Ｓ−ＳＳＳに対応する第２のシーケンスを生成する段階−前記第２のシーケンスは１２７のシーケンス長さを有するＢＰＳＫ変調ゴールド−シーケンスに基づいて決定される−；及び第２ＵＥと共に確立されたサイドリンクチャンネルを介して前記少なくとも一つのＳ−ＳＳＢを送信する段階を含む。
2021529496.tif 000002
【特許請求の範囲】
【請求項１】
無線通信システムの第１ユーザ装備（ＵＥ）であって、
少なくとも一つのプロセッサとして、
サイドリンク同期化アイデンティティー（ＳＬ−ＳＩＤ）及びリソースのセットを決定し；
前記ＳＬ−ＳＩＤ及び前記リソースのセットに基づいて少なくとも一つのサイドリンク同期化信号及び物理的ブロードキャストチャンネルブロック（Ｓ−ＳＳＢ）を生成し、前記少なくとも一つのＳ−ＳＳＢのそれぞれのＳ−ＳＳＢはサイドリンクプライマリー同期化信号（Ｓ−ＰＳＳ）に対する第１の２つのシンボル及びサイドリンクセカンダリー同期化信号（Ｓ−ＳＳＳ）に対する第２の２つのシンボルを含み、；
前記Ｓ−ＰＳＳに対応する第１シーケンスを生成し、前記第１シーケンスは１２７のシーケンス長さ及びプライマリー同期化信号（ＰＳＳ）との低い相互相関を有するＢＰＳＫ（ｂｉｎａｒｙ  ｐｈａｓｅ  ｓｈｉｆｔ  ｋｅｙｉｎｇ）変調されたＭ−シーケンスに基づいて決定される；及び
前記Ｓ−ＳＳＳに対応する第２のシーケンスを生成するように構成され、前記第２のシーケンスは１２７のシーケンス長さを有するＢＰＳＫ変調ゴールド−シーケンスに基づいて決定されるように構成される前記少なくとも一つのプロセッサと；及び
前記少なくとも一つのプロセッサに動作可能に接続され、第２ＵＥと共に確立されたサイドリンクチャンネルを介して前記少なくとも一つのＳ−ＳＳＢを前記第２ＵＥに送信するように構成される送受信機と、を含む、第１ユーザ装備（ＵＥ）。
【請求項２】
前記Ｓ−ＰＳＳに対する第１の２つのシンボルは前記Ｓ−ＳＳＢ内の第２及び第３のシンボルを含み、前記生成される前記Ｓ−ＰＳＳに対応する第１シーケンスは前記Ｓ−ＰＳＳに対する第１の２つのシンボルに繰り返し的にマッピングされ、及び
前記Ｓ−ＳＳＳに対する第２の２つのシンボルは前記Ｓ−ＳＳＢ内の第７及び第８のシンボルを含み、前記生成される前記Ｓ−ＳＳＳに対応する第２のシーケンスは前記Ｓ−ＳＳＳに対する第２の２つのシンボルに繰り返し的にマッピングされる、請求項１に記載の第１ユーザ装備（ＵＥ）。
【請求項３】
前記送受信機は周期性（ｐｅｒｉｏｄｉｃｉｔｙ）に基づいて、前記周期性内で構成可能な時間ドメインリソースを含むリソースのセットを用いて前記少なくとも一つのＳ−ＳＳＢを送信するようにさらに構成され、及び
前記周期性内の時間ドメインリソースの構成が前記少なくとも一つのＳ−ＳＳＢに含まれた物理的サイドリンクブロードキャストチャンネル（ＰＳＢＣＨ）を介して表示される、請求項１に記載の第１ユーザ装備（ＵＥ）。
【請求項４】
前記リソースのセットは前記少なくとも一つのＳ−ＳＳＢを送信するための周波数ドメインリソースを含み、及び
前記周波数ドメインリソースは予め構成される、請求項１に記載の第１ユーザ装備（ＵＥ）。
【請求項５】
前記Ｓ−ＰＳＳに対応する前記第１シーケンスはｇ（ｘ）＝ｘ７＋ｘ＋１によって与えられた多項式によって決定され、ここでＭ−シーケンスはｘ（ｉ＋７）＝ｘ（ｉ＋１）＋ｘ（ｉ）（ｉ＝０，１，…，１１９）で生成され、及び
前記Ｓ−ＰＳＳに対応する前記第１シーケンスはｄ＿ＳＰＳＳ（ｎ）＝１−２＊ｘ（ｎ）（０≦ｎ＜１２７）によって与えられ、ここでｘ（ｉ＋７）＝ｘ（ｉ＋１）＋ｘ（ｉ）（ｉ＝０，１，…，１１９）であり、ｘ（６：０）＝［００００００１］である、請求項１に記載の第１ユーザ装備（ＵＥ）。
【請求項６】
前記Ｓ−ＳＳＳに対応する前記第２のシーケンスは
【数１】
2021529496.tif 000014
によって与えられ、ｘ＿０（ｎ＿０）はｘ＿０（ｉ＋７）＝ｘ＿０（ｉ＋１）＋ｘ＿０（ｉ）（ｉ＝０，１，…，１１９）、及びｘ＿０（６：０）＝［００００００１］によって与えられる第１のＭ−シーケンスであり；ｘ＿１（ｎ＿１）はｘ＿１（ｉ＋７）＝ｘ＿１（ｉ＋１）＋ｘ＿１（ｉ）（ｉ＝０，１，…，１１９）、及びｘ＿１（６：０）＝［００００００１］によって与えられる第２のＭ−シーケンスであり；Ｎ＿ＩＤは前記決定されるＳＬ−ＳＩＤである、請求項１に記載の第１ユーザ装備（ＵＥ）。
【請求項７】
無線通信システムの第２ユーザ装備（ＵＥ）であって、
第１ＵＥから、前記第１ＵＥと共に確立されたサイドリンクチャンネルを介して少なくとも一つのサイドリンク同期化信号及び物理的ブロードキャストチャンネルブロック（Ｓ−ＳＳＢ）を受信するように構成される送受信機と；及び
前記送受信機に作動可能に接続される少なくとも一つのプロセッサとして、
リソースのセットを決定し、前記少なくとも一つのＳ−ＳＳＢは前記リソースのセットに基づいて受信され、前記少なくとも一つのＳ−ＳＳＢのそれぞれのＳ−ＳＳＢはサイドリンクプライマリー同期化信号（Ｓ−ＰＳＳ）に対する第１の２つのシンボル及びサイドリンクセカンダリー同期化信号（Ｓ−ＳＳＳ）に対する第２の２つのシンボルを含み、；
前記Ｓ−ＰＳＳに対応する第１シーケンスを検出し、前記第１シーケンスは１２７のシーケンス長さ及びプライマリー同期化信号（ＰＳＳ）との低い相互相関を有するＢＰＳＫ（ｂｉｎａｒｙ  ｐｈａｓｅ  ｓｈｉｆｔ  ｋｅｙｉｎｇ）変調されたＭ−シーケンスに基づいて決定され；
前記Ｓ−ＳＳＳに対応する第２のシーケンスを検出し、前記第２のシーケンスは１２７のシーケンス長さを有するＢＰＳＫ変調ゴールド−シーケンスに基づいて決定され；及び、
前記検出される第２のシーケンスに基づいてサイドリンク同期化アイデンティティー（ＳＬ−ＳＩＤ）を決定するように構成される、前記少なくとも一つのプロセッサ、を含む、第２ユーザ装備（ＵＥ）。
【請求項８】
前記Ｓ−ＰＳＳに対する第１の２つのシンボルは前記Ｓ−ＳＳＢ内の第２及び第３のシンボルを含み、前記生成される前記Ｓ−ＰＳＳに対応する第１シーケンスは前記Ｓ−ＰＳＳに対する第１の２つのシンボルに繰り返し的にマッピングされ、及び
前記Ｓ−ＳＳＳに対する第２の２つのシンボルは前記Ｓ−ＳＳＢ内の第７及び第８のシンボルを含み、前記生成される前記Ｓ−ＳＳＳに対応する第２のシーケンスは前記Ｓ−ＳＳＳに対する第２の２つのシンボルに繰り返し的にマッピングされる、請求項７に記載の第２ユーザ装備（ＵＥ）。
【請求項９】
前記送受信機は周期性に基づいて、前記周期性内で構成可能な時間ドメインリソースを含むリソースのセットを用いて前記少なくとも一つのＳ−ＳＳＢを受信するようにさらに構成され、及び
前記周期性内の時間ドメインリソースの構成が前記少なくとも一つのＳ−ＳＳＢに含まれた物理的サイドリンクブロードキャストチャンネル（ＰＳＢＣＨ）を介して表示される、請求項７に記載の第２ユーザ装備（ＵＥ）。
【請求項１０】
前記リソースのセットは前記少なくとも一つのＳ−ＳＳＢを送信するための周波数ドメインリソースを含み、及び
前記周波数ドメインリソースは予め構成される、請求項７に記載の第２ユーザ装備（ＵＥ）。
【請求項１１】
前記Ｓ−ＰＳＳに対応する前記第１シーケンスはｇ（ｘ）＝ｘ７＋ｘ＋１によって与えられた多項式によって決定され、ここでＭ−シーケンスはｘ（ｉ＋７）＝ｘ（ｉ＋１）＋ｘ（ｉ）（ｉ＝０，１，…，１１９）で生成され、及び
前記Ｓ−ＰＳＳに対応する前記第１シーケンスはｄ＿ＳＰＳＳ（ｎ）＝１−２＊ｘ（ｎ）（０≦ｎ＜１２７）によって与えられ、ここでｘ（ｉ＋７）＝ｘ（ｉ＋１）＋ｘ（ｉ）（ｉ＝０，１，…，１１９）であり、ｘ（６：０）＝［００００００１］である、請求項７に記載の第２ユーザ装備（ＵＥ）。
【請求項１２】
前記Ｓ−ＳＳＳに対応する前記第２のシーケンスは
【数２】
2021529496.tif 000015
によって与えられ、ｘ＿０（ｎ＿０）はｘ＿０（ｉ＋７）＝ｘ＿０（ｉ＋１）＋ｘ＿０（ｉ）（ｉ＝０，１，…，１１９）、及びｘ＿０（６：０）＝［００００００１］によって与えられる第１Ｍ−シーケンスであり；ｘ＿１（ｎ＿１）はｘ＿１（ｉ＋７）＝ｘ＿１（ｉ＋１）＋ｘ＿１（ｉ）（ｉ＝０，１，…，１１９）、及びｘ＿１（６：０）＝［００００００１］によって与えられる第２Ｍ−シーケンスであり；Ｎ＿ＩＤは前記決定されるＳＬ−ＳＩＤである、請求項７に記載の第２ユーザ装備（ＵＥ）。
【請求項１３】
無線通信システムで第１ユーザ装備（ＵＥ）の方法であって、
サイドリンク同期化アイデンティティー（ＳＬ−ＳＩＤ）及びリソースのセットを決定する段階；
前記ＳＬ−ＳＩＤ及び前記リソースのセットに基づいて少なくとも一つのサイドリンク同期化信号及び物理的ブロードキャストチャンネルブロック（Ｓ−ＳＳＢ）を生成する段階として、前記少なくとも一つのＳ−ＳＳＢのそれぞれのＳ−ＳＳＢはサイドリンクプライマリー同期化信号（Ｓ−ＰＳＳ）に対する第１の２つのシンボル及びサイドリンクセカンダリー同期化信号（Ｓ−ＳＳＳ）に対する第２の２つのシンボルを含む、前記生成する段階；
前記Ｓ−ＰＳＳに対応する第１シーケンスを生成する段階として、前記第１シーケンスは１２７のシーケンス長さ及びプライマリー同期化信号（ＰＳＳ）との低い相互相関を有するＢＰＳＫ（ｂｉｎａｒｙ  ｐｈａｓｅ  ｓｈｉｆｔ  ｋｅｙｉｎｇ）変調されたＭ−シーケンスに基づいて決定される、前記生成する段階；
前記Ｓ−ＳＳＳに対応する第２のシーケンスを生成する段階として、前記第２のシーケンスは１２７のシーケンス長さを有するＢＰＳＫ変調ゴールド−シーケンスに基づいて決定される前記生成する段階；及び
第２ＵＥと共に確立されたサイドリンクチャンネルを介して前記少なくとも一つのＳ−ＳＳＢを前記第２ＵＥに送信する段階を含む、方法。
【請求項１４】
前記Ｓ−ＰＳＳに対する第１の２つのシンボルは前記Ｓ−ＳＳＢ内の第２及び第３のシンボルを含み；
前記生成される前記Ｓ−ＰＳＳに対応する第１シーケンスは前記Ｓ−ＰＳＳに対する第１の２つのシンボルに繰り返し的にマッピングされ；
前記Ｓ−ＳＳＳに対する第２の２つのシンボルは前記Ｓ−ＳＳＢ内の第７及び第８のシンボルを含み；
前記生成される前記Ｓ−ＳＳＳに対応する第２のシーケンスは前記Ｓ−ＳＳＳに対する第２の２つのシンボルに繰り返し的にマッピングされ；
前記Ｓ−ＰＳＳに対応する前記第１シーケンスはｄ＿ＳＰＳＳ（ｎ）＝１−２＊ｘ（ｎ）（０≦ｎ＜１２７）によって与えられ、ここでｘ（ｉ＋７）＝ｘ（ｉ＋１）＋ｘ（ｉ）（ｉ＝０，１，…，１１９）であり、ｘ（６：０）＝［００００００１］であり；及び
前記Ｓ−ＳＳＳに対応する前記第２のシーケンスは
【数３】
2021529496.tif 000016
によって与えられ、ｘ＿０（ｎ＿０）はｘ＿０（ｉ＋７）＝ｘ＿０（ｉ＋１）＋ｘ＿０（ｉ）（ｉ＝０，１，…，１１９）、及びｘ＿０（６：０）＝［００００００１］によって与えられる第１のＭ−シーケンスであり；ｘ＿１（ｎ＿１）はｘ＿１（ｉ＋７）＝ｘ＿１（ｉ＋１）＋ｘ＿１（ｉ）（ｉ＝０，１，…，１１９）、及びｘ＿１（６：０）＝［００００００１］によって与えられる第２のＭ−シーケンスであり；Ｎ＿ＩＤは前記決定されるＳＬ−ＳＩＤである、請求項１３に記載の方法。
【請求項１５】
周期性に基づいて、前記周期性内で構成可能な時間ドメインリソースを含むリソースのセットを用いて前記少なくとも一つのＳ−ＳＳＢを送信する段階をさらに含み、
前記周期性内の時間ドメインリソースの構成が前記少なくとも一つのＳ−ＳＳＢに含まれた物理的サイドリンクブロードキャストチャンネル（ＰＳＢＣＨ）を介して表示され；及び
前記リソースのセットは前記少なくとも一つのＳ−ＳＳＢを送信するための周波数ドメインリソースを含み、前記周波数ドメインリソースは予め構成される、請求項１３に記載の方法。
【発明の詳細な説明】
【技術分野】
【０００１】
本出願は、一般的に無線通信システムに関し、より具体的に、本開示はＮＲサイドリンク（ｓｉｄｅｌｉｎｋ）ＳＳ／ＰＢＣＨブロックに関する。
【背景技術】
【０００２】
４Ｇ通信システムの商用化以後に増加趨勢にある無線データトラフィック需要を満たすため、改善された５Ｇ通信システム又はｐｒｅ−５Ｇ通信システムを開発するための努力が成りつつある。このような理由で、５Ｇ通信システム又はｐｒｅ−５Ｇ通信システムは４Ｇネットワーク以後(Ｂｅｙｏｎｄ  ４Ｇ  Ｎｅｔｗｏｒｋ)通信システム又はＬＴＥシステム以後(Ｐｏｓｔ  ＬＴＥ)の通信システムと呼ばれている。高いデータ送信率を達成するために、５Ｇ通信システムは超高周波(ｍｍＷａｖｅ)帯域(例えば、６０ギガ（６０ＧＨｚ）帯域のような)での具現が考慮されている。超高周波帯域での電波の経路損失の緩和及び電波の伝達距離を増加させるために、５Ｇ通信システムではビームフォーミング(ｂｅａｍｆｏｒｍｉｎｇ)、巨大配列多重入出力（ ｍａｓｓｉｖｅ  ＭＩＭＯ）、全次元多重入出力（Ｆｕｌｌ  Ｄｉｍｅｎｓｉｏｎａｌ  ＭＩＭＯ：ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ)、及び大規模アンテナ(ｌａｒｇｅ  ｓｃａｌｅ  ａｎｔｅｎｎａ)技術が論議されている。さらに、システムのネットワーク改善のために、５Ｇ通信システムでは進化された小型セル、改善された小型セル (ａｄｖａｎｃｅｄ  ｓｍａｌｌ  ｃｅｌｌ)、クラウド無線アクセスネットワーク(ｃｌｏｕｄ  ｒａｄｉｏ  ａｃｃｅｓｓ  ｎｅｔｗｏｒｋ：ｃｌｏｕｄ  ＲＡＮ)、超高密度ネットワーク(ｕｌｔｒａ−ｄｅｎｓｅ  ｎｅｔｗｏｒｋ)、機器間の通信(Ｄｅｖｉｃｅ  ｔｏ  Ｄｅｖｉｃｅ  ｃｏｍｍｕｎｉｃａｔｉｏｎ：Ｄ２Ｄ)、無線バックホール(ｗｉｒｅｌｅｓｓ  ｂａｃｋｈａｕｌ)、移動ネットワーク(ｍｏｖｉｎｇ  ｎｅｔｗｏｒｋ)、協力通信(ｃｏｏｐｅｒａｔｉｖｅ  ｃｏｍｍｕｎｉｃａｔｉｏｎ)、ＣｏＭＰ(Ｃｏｏｒｄｉｎａｔｅｄ  Ｍｕｌｔｉ−Ｐｏｉｎｔｓ)、及び受信干渉除去(ｉｎｔｅｒｆｅｒｅｎｃｅ  ｃａｎｃｅｌｌａｔｉｏｎ)などの技術開発が成りつつある。その他にも５Ｇシステムでは進歩されたコーディング変調(Ａｄｖａｎｃｅｄ  Ｃｏｄｉｎｇ  Ｍｏｄｕｌａｔｉｏｎ、ＡＣＭ)方式であるＦＱＡＭ(Ｈｙｂｒｉｄ  ＦＳＫ  ａｎｄ  ＱＡＭ  Ｍｏｄｕｌａｔｉｏｎ)及びＳＷＳＣ(Ｓｌｉｄｉｎｇ  Ｗｉｎｄｏｗ  Ｓｕｐｅｒｐｏｓｉｔｉｏｎ  Ｃｏｄｉｎｇ)と、進歩されたアクセス技術であるＦＢＭＣ(Ｆｉｌｔｅｒ  Ｂａｎｋ  Ｍｕｌｔｉ  Ｃａｒｒｉｅｒ)、ＮＯＭＡ(ｎｏｎ  ｏｒｔｈｏｇｏｎａｌ  ｍｕｌｔｉｐｌｅ  ａｃｃｅｓｓ)、及びＳＣＭＡ(ｓｐａｒｓｅ  ｃｏｄｅ  ｍｕｌｔｉｐｌｅ  ａｃｃｅｓｓ)などが開発されている。
【０００３】
一方、インターネットは人間が情報を生成して消費する人間中心の接続網から、事物などの分散した構成要素の間に情報を取り交わして処理するＩｏＴ(Ｉｎｔｅｒｎｅｔ  ｏｆ  Ｔｈｉｎｇｓ、事物インターネット)網に進化しつつある。クラウドサーバーなどとの接続を通じるビックデータ(Ｂｉｇ  ｄａｔａ)処理技術などがＩｏＴ技術に結合されたＩｏＥ(Ｉｎｔｅｒｎｅｔ  ｏｆ  Ｅｖｅｒｙｔｈｉｎｇ)技術も台頭している。ＩｏＴを具現するために、センシング技術、有無線通信及びネットワークインフラ、サービスインターフェース技術、及び保安技術のような技術要素が要求され、最近には事物間の接続のためのセンサーネットワーク(ｓｅｎｓｏｒ  ｎｅｔｗｏｒｋ)、マシンツーマシン(Ｍａｃｈｉｎｅ  ｔｏ  Ｍａｃｈｉｎｅ、Ｍ２Ｍ)、ＭＴＣ(Ｍａｃｈｉｎｅ  Ｔｙｐｅ  Ｃｏｍｍｕｎｉｃａｔｉｏｎ)などの技術が研究されている。ＩｏＴ環境では接続された事物で生成されたデータを収集、分析して人間の生活に新しい価値を創出する知能型ＩＴ(Ｉｎｔｅｒｎｅｔ  Ｔｅｃｈｎｏｌｏｇｙ)サービスが提供されることができる。ＩｏＴは既存のＩＴ(ｉｎｆｏｒｍａｔｉｏｎ  ｔｅｃｈｎｏｌｏｇｙ)技術と多様な産業間のコンバージェンス及び複合を介してスマートホーム、スマートビルディング、スマートシティ、スマートカー又はコネクテッドカー、スマートグリッド、ヘルスケア、スマート家電、先端医療サービスなどの分野に応用されることができる。
【０００４】
これに、５Ｇ通信システムをＩｏＴ網に適用するための多様な試みが成っている。例えば、センサーネットワーク(ｓｅｎｓｏｒ  ｎｅｔｗｏｒｋ)、マシンツーマシン(Ｍａｃｈｉｎｅ  ｔｏ  Ｍａｃｈｉｎｅ、Ｍ２Ｍ)、ＭＴＣ(Ｍａｃｈｉｎｅ  Ｔｙｐｅ  Ｃｏｍｍｕｎｉｃａｔｉｏｎ)、などの技術は５Ｇ通信技術がビームフォーミング、ＭＩＭＯ及びアレイアンテナなどの技法によって具現されていることである。前述したビックデータ処理技術としてクラウド無線アクセスネットワーク(ｃｌｏｕｄ  ＲＡＮ)が適用されることも５Ｇ技術とＩｏＴ技術のコンバージェンスの一例と言えるだろう。
【発明の概要】
【発明が解決しようとする課題】
【０００５】
本開示は、ＬＴＥ（ｌｏｎｇ−ｔｅｒｍ  ｅｖｏｌｕｔｉｏｎ）のような４世代（４Ｇ）通信システムを越してより高いデータ送信率をサポートするために提供されるｐｒｅ−５Ｇ又は５Ｇ通信システムに関する。伝統的に、セルラ通信ネットワークはモバイルユーザ装備（ＵＥ）と広範囲であるか局所的な地理的範囲にあるＵＥをサービングする固定された通信インフラ構成要素（例えば、基地局（ＢＳ）、強化された基地局（ｇＮＢ）又はアクセスポイント（ＡＰ））の間に無線通信リンクを確立するように設計された。しかし、無線ネットワークは固定されたインフラ構成要素無しもＤ２Ｄ（ｄｅｖｉｃｅ−ｔｏ−ｄｅｖｉｃｅ）通信リンクだけ活用して具現することもできる。このような類型のネットワークを一般的に“アドホック（ａｄ−ｈｏｃ）”ネットワークという。ハイブリッド通信ネットワークは固定されたインフラ構成要素とその他のＤ２Ｄサポート装置にいずれも接続される装置をサポートすることができる。スマートフォンのようなＵＥがＤ２Ｄネットワーク用に想定されることができるが、車両通信は車両が他の車両や他のインフラ又はＵＥと制御又はデータ情報を交換する通信プロトコルによってサポートされることもできる。このようなネットワークをＶ２Ｘ（ｖｅｈｉｃｌｅ−ｔｏ−ｅｖｅｒｙｔｈｉｎｇ）ネットワークという。ネットワークでＶ２Ｘをサポートするノードによって多くの類型の通信リンクがサポートされることができ、同一又は異なるプロトコル及びシステムを活用することができる。
【課題を解決するための手段】
【０００６】
一実施形態で、無線通信システムの第１ユーザ装備（ＵＥ）が提供される。第１ＵＥはサイドリンク同期化アイデンティティー（ＳＬ−ＳＩＤ）及びリソースのセットを決定して；ＳＬ−ＳＩＤ及びリソースのセットに基づいて少なくとも一つのサイドリンク同期化信号及び物理的ブロードキャストチャンネルブロック（Ｓ−ＳＳＢ）を生成して；−少なくとも一つのＳ−ＳＳＢのそれぞれのＳ−ＳＳＢはサイドリンクプライマリー同期化信号（Ｓ−ＰＳＳ）に対する第１の２つのシンボル及びサイドリンクセカンダリー同期化信号（Ｓ−ＳＳＳ）に対する第２の２つのシンボルを含み−；Ｓ−ＰＳＳに対応する第１シーケンスを生成して；−第１シーケンスは１２７のシーケンス長さ及びプライマリー同期化信号（ＰＳＳ）との低い相互相関を有するＢＰＳＫ（ｂｉｎａｒｙ  ｐｈａｓｅ  ｓｈｉｆｔ  ｋｅｙｉｎｇ）変調されたＭ−シーケンスに基づいて決定される−；さらに、Ｓ−ＳＳＳに対応する第２のシーケンスを生成するように構成される−第２のシーケンスは１２７のシーケンス長さを有するＢＰＳＫ変調ゴールド−シーケンスに基づいて決定される−少なくとも一つのプロセッサを含む。第１ＵＥは少なくとも一つのプロセッサに動作可能に接続され、第２ＵＥと共に確立されたサイドリンクチャンネルを介して少なくとも一つのＳ−ＳＳＢを第２ＵＥに送信するように構成される送受信機をさらに含む。
【０００７】
他の実施形態で、無線通信システムの第２ユーザ装備（ＵＥ）が提供される。第２ＵＥは第１ＵＥから、第１ＵＥと共に確立されたサイドリンクチャンネルを介して少なくとも一つのサイドリンク同期化信号及び物理的ブロードキャストチャンネルブロック（Ｓ−ＳＳＢ）を受信するように構成される送受信機を含む。第２ＵＥは送受信機に作動可能に接続される少なくとも一つのプロセッサをさらにと含み、少なくとも一つのプロセッサはリソースのセットを決定して−少なくとも一つのＳ−ＳＳＢはリソースのセットに基づいて受信され、少なくとも一つのＳ−ＳＳＢのそれぞれのＳ−ＳＳＢはサイドリンクプライマリー同期化信号（Ｓ−ＰＳＳ）に対する第１の２つのシンボル及びサイドリンクセカンダリー同期化信号（Ｓ−ＳＳＳ）に対する第２の２つのシンボルを含み−；Ｓ−ＰＳＳに対応する第１シーケンスを検出して−第１シーケンスは１２７のシーケンス長さ及びプライマリー同期化信号（ＰＳＳ）との低い相互相関を有するＢＰＳＫ（ｂｉｎａｒｙ  ｐｈａｓｅ  ｓｈｉｆｔ  ｋｅｙｉｎｇ）変調されたＭ−シーケンスに基づいて決定される−；Ｓ−ＳＳＳに対応する第２のシーケンスを検出して−第２のシーケンスは１２７のシーケンス長さを有するＢＰＳＫ変調ゴールド−シーケンスに基づいて決定される−；さらに検出される第２のシーケンスに基づいてサイドリンク同期化アイデンティティー（ＳＬ−ＳＩＤ）を決定するように構成される。
【０００８】
また他の実施形態で、無線通信システムで第１ユーザ装備（ＵＥ）の方法が提供される。この方法はサイドリンク同期化アイデンティティー（ＳＬ−ＳＩＤ）及びリソースのセットを決定する段階；ＳＬ−ＳＩＤ及びリソースのセットに基づいて少なくとも一つのサイドリンク同期化信号及び物理的ブロードキャストチャンネルブロック（Ｓ−ＳＳＢ）を生成する段階−少なくとも一つのＳ−ＳＳＢのそれぞれのＳ−ＳＳＢはサイドリンクプライマリー同期化信号（Ｓ−ＰＳＳ）に対する第１の２つのシンボル及びサイドリンクセカンダリー同期化信号（Ｓ−ＳＳＳ）に対する第２の２つのシンボルを含み−；Ｓ−ＰＳＳに対応する第１シーケンスを生成する段階−第１シーケンスは１２７のシーケンス長さ及びプライマリー同期化信号（ＰＳＳ）との低い相互相関を有するＢＰＳＫ（ｂｉｎａｒｙ  ｐｈａｓｅ  ｓｈｉｆｔ  ｋｅｙｉｎｇ）変調されたＭ−シーケンスに基づいて決定される−；Ｓ−ＳＳＳに対応する第２のシーケンスを生成する段階−第２のシーケンスは１２７のシーケンス長さを有するＢＰＳＫ変調ゴールド−シーケンスに基づいて決定される−；及び第２ＵＥと共に確立されたサイドリンクチャンネルを介して少なくとも一つのＳ−ＳＳＢを第２ＵＥに送信する段階を含む。
【０００９】
他の技術的特徴は次の図面、説明及び請求範囲から当業者に容易に明らかになることができる。
【００１０】
以下、詳細な説明をする前に、本特許明細書全体にかけて用いられる特定単語及び語句の定義を記載することが役に立つことができる。用語“カップル（ｃｏｕｐｌｅ）”及びその派生語は２つ以上の要素の間のどんな直接又は間接通信を示すか、これら要素が互いに物理的に接触しているか否かを示す。用語“送信（ｔｒａｎｓｍｉｔ）”、“受信（ｒｅｃｅｉｖｅ）”及び“通信（ｃｏｍｍｕｎｉｃａｔｅ）”そしてその派生語は直接通信及び間接通信のいずれもを含む。用語“含む（ｉｎｃｌｕｄｅ）”及び“構成する（ｃｏｍｐｒｉｓｅ）”そしてその派生語は制限ではない含むことを意味する。用語“又は（ｏｒ）”は包括的用語として、‘及び／又は’を意味する。語句“〜と連関される(ａｓｓｏｃｉａｔｅｄ ｗｉｔｈ)”及びその派生語は〜を含む(ｉｎｃｌｕｄｅ)、〜に含まれる(ｂｅ ｉｎｃｌｕｄｅｄ ｗｉｔｈｉｎ)、〜と結合する(ｉｎｔｅｒｃｏｎｎｅｃｔ ｗｉｔｈ)、〜含有する(ｃｏｎｔａｉｎ)、〜に含有されている(ｂｅ ｃｏｎｔａｉｎｅｄ ｗｉｔｈｉｎ)、に接続する(ｃｏｎｎｅｃｔ ｔｏ ｏｒ ｗｉｔｈ)、〜と結合する(ｃｏｕｐｌｅ ｔｏ ｏｒ ｗｉｔｈ)、〜伝達する(ｂｅ ｃｏｍｍｕｎｉｃａｂｌｅ ｗｉｔｈ)、〜と協力する(ｃｏｏｐｅｒａｔｅ ｗｉｔｈ)、〜をインタリーブする(ｉｎｔｅｒｌｅａｖｅ)、〜を併置する(ｊｕｘｔａｐｏｓｅ)、に近づく(ｂｅ ｐｒｏｘｉｍａｔｅ ｔｏ)、バウンディングする／される(ｂｅ ｂｏｕｎｄ ｔｏ ｏｒ ｗｉｔｈ)、所有する(ｈａｖｅ)、属性を有する(ｈａｖｅ ａ ｐｒｏｐｅｒｔｙ ｏｆ)、〜と関係を有する(ｈａｖｅ ａ ｒｅｌａｔｉｏｎｓｈｉｐ ｔｏ ｏｒ ｗｉｔｈ)などを意味する。用語“制御機（ｃｏｎｔｒｏｌｌｅｒ）”は少なくとも一つの動作を制御するどんな装置、システム又はその一部を意味する。このような制御機はハードウェア又はハードウェアとソフトウェアの組み合せ及び／又はファームウエアで具現されることができる。特定制御機に係る機能はローカル又は遠隔で中央集中式で処理（ｃｅｎｔｒａｌｉｚｅｄ）されるか、又は分散式で処理（ｄｉｓｔｒｉｂｕｔｅｄ）されることができる。語句“少なくとも一つ”は、それが項目の羅列と共に用いられる場合、羅列された項目中の一つ以上の異なる組み合せが用いられることができることを意味する。例えば、“Ａ、Ｂ、及びＣのうちの少なくとも一つ”は次の組み合せ、すなわち、Ａ、Ｂ、Ｃ、ＡとＢ、ＡとＣ、ＢとＣ、そしてＡとＢとＣのうちのいずれか一つを含む。
【００１１】
また、後述する各種機能はコンピューター読取り可能なプログラムコードで形成されてコンピューター読取り可能な媒体で具現される一つ以上のコンピュータープログラムのそれぞれによって具現又はサポートされることができる。用語“アプリケーション”及び“プログラム”は一つ以上のコンピュータープログラム、ソフトウェアコンポネント、命令セット、プロシージャ、関数、客体、クラス、インスタンス、関連データ、若しくは適合したコンピューター読取り可能なプログラムコードでの具現用で構成されたそれの一部を指称する。語句“コンピューター読取り可能なプログラムコード”はソースコード、オブジェクトコード、及び実行可能なコードを含むコンピューターコードの種類を含む。語句“コンピューター読取り可能な媒体”はＲＯＭ（ｒｅａｄ ｏｎｌｙ ｍｅｍｏｒｙ）、ＲＡＭ（ｒａｎｄｏｍ ａｃｃｅｓｓ ｍｅｍｏｒｙ）、ハードディスクドライブ、コンパクトディスク（ＣＤ）デジタルビデオディスク（ＤＶＤ）、若しくは任意の他のタイプのメモリーのような、コンピューターによってアクセスされることができる任意のタイプの媒体を含む。“非一時的”コンピューター読取り可能な媒体は有線、無線、光学、一時的な電気的又は他の信号を伝達させる通信リンクを除く。非一時的コンピューター読取り可能な媒体はデータが永久的に記憶される媒体、及び再記録可能な光ディスク又は消去可能なメモリーデバイスのようにデータが記憶され、後で上書きされることができるような媒体を含む。
【００１２】
他の特定単語及び語句に対する定義がこの特許明細書全体にかけて提供される。当業者は大部分の場合ではなくても多数の場合においてこのような定義は従来だけでなくそのような定義された単語及び語句の今後の使用に適用されることができることを理解すべきである。
【発明の効果】
【００１３】
本開示は、ＬＴＥのような４Ｇ通信システムを越してより高いデータ送信率をサポートするために提供されるｐｒｅ−５Ｇ又は５Ｇ通信システムに関する。本開示の実施形態は進歩された通信システムでの送信構造及びフォーマットを提供する。
【図面の簡単な説明】
【００１４】
【図１】本開示の実施形態による例示的な無線ネットワークを示す図面である。
【図２】本開示の実施形態による例示的なｇＮＢを示す図面である。
【図３】本開示の実施形態による例示的なＵＥを示す図面である。
【図４】本開示の例示的な実施形態による車両中心通信ネットワークの例示的なユースケースを示す図面である。
【図５】本開示の実施形態によるＬＴＥ−Ｖ２Ｘでサイドリンク同期化サブフレームの例示的な構成を示す図面である。
【図６】本開示の実施形態によるＳＳ／ＰＢＣＨブロックの例示的な構成を示す図面である。
【図７】本開示の実施形態によるサブキャリア間隔に対する例示的なＳＳ／ＰＢＣＨブロックマッピングパターンを示す図面である。
【図８】本開示の実施形態によるハーフ内の例示的なＳＳ／ＰＢＣＨブロック位置を示す図面である。
【図９Ａ】本開示の実施形態によるＳ−ＳＳＢの例示的な設計を示す図面である。
【図９Ｂ】本開示の実施形態によるＳ−ＳＳＢの他の例示的な設計を示す図面である。
【図１０Ａ】本開示の実施形態による例示的なＳ−ＳＳＢを示す図面である。
【図１０Ｂ】本開示の実施形態による他の例示的なＳ−ＳＳＢを示す図面である。
【図１１】本開示の実施形態によるまた他の例示的なＳ−ＳＳＢを示す図面である。
【図１２Ａ】本開示の実施形態によるまた他の例示的なＳ−ＳＳＢを示す図面である。
【図１２Ｂ】本開示の実施形態によるまた他の例示的なＳ−ＳＳＢを示す図面である。
【図１２Ｃ】本開示の実施形態によるまた他の例示的なＳ−ＳＳＢを示す図面である。
【図１３Ａ】本開示の実施形態によるまた他の例示的なＳ−ＳＳＢを示す図面である。
【図１３Ｂ】本開示の実施形態によるまた他の例示的なＳ−ＳＳＢを示す図面である。
【図１４Ａ】本開示の実施形態によるまた他の例示的なＳ−ＳＳＢを示す図面である。
【図１４Ｂ】本開示の実施形態によるまた他の例示的なＳ−ＳＳＢを示す図面である。
【図１４Ｃ】本開示の実施形態によるまた他の例示的なＳ−ＳＳＢを示す図面である。
【図１４Ｄ】本開示の実施形態によるまた他の例示的なＳ−ＳＳＢを示す図面である。
【図１４Ｅ】本開示の実施形態によるまた他の例示的なＳ−ＳＳＢを示す図面である。
【図１５Ａ】本開示の実施形態によるまた他の例示的なＳ−ＳＳＢを示す図面である。
【図１５Ｂ】本開示の実施形態によるまた他の例示的なＳ−ＳＳＢを示す図面である。
【図１５Ｃ】本開示の実施形態によるまた他の例示的なＳ−ＳＳＢを示す図面である。
【図１６Ａ】本開示の実施形態によるまた他の例示的なＳ−ＳＳＢを示す図面である。
【図１６Ｂ】本開示の実施形態によるまた他の例示的なＳ−ＳＳＢを示す図面である。
【図１７】本開示の実施形態によるＳ−ＳＳＢバーストセットの例示的な時間ドメインマッピングを示す図面である。
【図１８】本開示の実施形態によるＳ−ＰＳＳシーケンスの例示的なＰＡＰＲ値を示す図面である。
【図１９】本開示の実施形態によるＳ−ＰＳＳシーケンスの他の例示的なＰＡＰＲ値を示す図面である。
【図２０】本開示の実施形態によるＳ−ＰＳＳシーケンスのまた他の例示的なＰＡＰＲ値を例示する。
【図２１】本開示の実施形態によるＳ−ＳＳＢバーストセットの例示的な時間ドメインマッピングを示す図面である。
【図２２】本開示の実施形態によるＳ−ＳＳＢバーストセットの他の例示的な時間ドメインマッピングを示す図面である。
【図２３】本開示の実施形態によるＳ−ＳＳＢバーストセットの他の例示的な時間ドメインマッピングを示す図面である。
【図２４】本開示の実施形態によるＳ−ＳＳＢバーストセットの他の例示的な時間ドメインマッピングを示す図面である。
【図２５】本開示の実施形態によるＰＳＢＣＨの例示的なスクランブリングを示す図面である。
【図２６】本開示の実施形態によるＰＳＢＣＨの他の例示的なスクランブリングを示す図面である。
【図２７】本開示の実施形態によるＰＳＢＣＨのまた他の例示的なスクランブリングを示す図面である。
【図２８】本開示の実施形態によるＰＳＢＣＨのまた他の例示的なスクランブリングを示す図面である。
【図２９】本開示の実施形態によるＰＳＢＣＨのまた他の例示的なスクランブリングを示す図面である。
【図３０】本開示の実施形態によるＰＳＢＣＨ及びＤＭＲＳの例示的なＴＤＭパターンを示す図面である。
【図３１】本開示の実施形態による例示的なＳ−ＳＳＢを示す図面である。
【図３２】本開示の実施形態による他の例示的なＳ−ＳＳＢを示す図面である。
【図３３Ａ】本開示の実施形態によるまた他の例示的なＳ−ＳＳＢを示す図面である。
【図３３Ｂ】本開示の実施形態によるまた他の例示的なＳ−ＳＳＢを示す図面である。
【図３４Ａ】本開示の実施形態によるまた他の例示的なＳ−ＳＳＢを示す図面である。
【図３４Ｂ】本開示の実施形態によるまた他の例示的なＳ−ＳＳＢを示す図面である。
【図３５Ａ】本開示の実施形態によるまた他の例示的なＳ−ＳＳＢを示す図面である。
【図３５Ｂ】本開示の実施形態によるまた他の例示的なＳ−ＳＳＢを示す図面である。
【図３６Ａ】本開示の実施形態によるまた他の例示的なＳ−ＳＳＢを示す図面である。
【図３６Ｂ】本開示の実施形態によるまた他の例示的なＳ−ＳＳＢを示す図面である。
【図３７】本開示の実施形態によるスロット内の例示的なＳ−ＳＳＢ位置を示す図面である。
【発明を実施するための形態】
【００１５】
本開示及びその利点に対するより完全な理解のために、もう添付図面と共に取られる次の説明に対する参照が成り、図面で類似の参照符号は類似の部分を示す。
【００１６】
以下に説明される図１乃至図３７、及びこの特許明細書における本開示の原理を説明するために用いられる各種実施形態はただ説明のためのことであり、どんな方式でも本開示の範囲を制限する方式に解釈されてはいけない。本開示の原理は任意の適切に構成されたシステム又は装置で具現されることができるということを当業者は理解することができるだろう。
【００１７】
次の文献、すなわち、３ＧＰＰ  ＴＳ  ３８．２１１  ｖ１５．２．０、“ＮＲ；Ｐｈｙｓｉｃａｌ  ｃｈａｎｎｅｌｓ  ａｎｄ  ｍｏｄｕｌａｔｉｏｎ；”３ＧＰＰＴＳ３８．２１２ｖ１５．２．０、“ＮＲ；Ｍｕｌｔｉｐｌｅｘｉｎｇ  ａｎｄ  ｃｈａｎｎｅｌ  ｃｏｄｉｎｇ；”３ＧＰＰ  ＴＳ  ３８．２１３  ｖ１５．２．０、“ＮＲ；Ｐｈｙｓｉｃａｌ  ｌａｙｅｒ  ｐｒｏｃｅｄｕｒｅｓ  ｆｏｒ  ｃｏｎｔｒｏｌ；”３ＧＰＰ  ＴＳ  ３８．２１４  ｖ１５．２．０、“ＮＲ；Ｐｈｙｓｉｃａｌ  ｌａｙｅｒ  ｐｒｏｃｅｄｕｒｅｓ  ｆｏｒ  ｄａｔａ；”３ＧＰＰ  ＴＳ  ３８．３３１  ｖ１５．２．０、“ＮＲ；Ｒａｄｉｏ  Ｒｅｓｏｕｒｃｅ  Ｃｏｎｔｒｏｌ（ＲＲＣ）ｐｒｏｔｏｃｏｌ  ｓｐｅｃｉｆｉｃａｔｉｏｎ；”３ＧＰＰ  ＴＳ  ３６．２１１  ｖ１５．２．０、“Ｅ−ＵＴＲＡ；Ｐｈｙｓｉｃａｌ  ｃｈａｎｎｅｌｓ  ａｎｄ  ｍｏｄｕｌａｔｉｏｎ；”３ＧＰＰ  ＴＳ  ３６．２１２  ｖ１５．２．０、“Ｅ−ＵＴＲＡ；Ｍｕｌｔｉｐｌｅｘｉｎｇ  ａｎｄ  Ｃｈａｎｎｅｌ  ｃｏｄｉｎｇ；”３ＧＰＰ  ＴＳ  ３６．２１３  ｖ１５．２．０、“Ｅ−ＵＴＲＡ；Ｐｈｙｓｉｃａｌ  Ｌａｙｅｒ  Ｐｒｏｃｅｄｕｒｅｓ；”３ＧＰＰ  ＴＳ  ３６．３３１  ｖ１５．２．０、“Ｅ−ＵＴＲＡ；Ｒａｄｉｏ  Ｒｅｓｏｕｒｃｅ  Ｃｏｎｔｒｏｌ（ＲＲＣ）Ｐｒｏｔｏｃｏｌ  Ｓｐｅｃｉｆｉｃａｔｉｏｎ；”は本明細書で完全に説明されたように参照として本開示に統合される。
【００１８】
以下の図１乃至図３においては、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）又はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信技術を用いて無線通信システムで具現される多様な実施形態に対して説明する。図１乃至図３の説明は異なる実施形態が具現されることができる方式に対する物理的又は構造的制限を意味しない。本開示の他の実施形態は任意の適切に構成された通信システムに具現されることもできる。
【００１９】
図１は、本開示の実施形態による、例示的な無線ネットワークを示す図面である。図１に示された無線ネットワークの実施形態はただ説明のためのことである。無線ネットワーク１００に対する他の実施形態が本開示の範囲を逸脱せず範囲内で用いられることができる。
【００２０】
図１に示されたように、無線ネットワークはｇＮＢ１０１、ｇＮＢ１０２、及びｇＮＢ１０３を含む。ｇＮＢ１０１はｇＮＢ１０２及びｇＮＢ１０３と通信する。また、ｇＮＢ１０１は少なくとも一つのネットワーク１３０、例えば、インターネット、専用ＩＰ（Ｉｎｔｅｒｎｅｔ  Ｐｒｏｔｏｃｏｌ）ネットワーク、又は他のデータネットワークとも通信する。
【００２１】
ｇＮＢ１０２はｇＮＢ１０２のカバレッジ領域１２０内にある第１複数のユーザ装備（ＵＥ）に、ネットワーク１３０への無線広帯域アクセスを提供する。第１複数のＵＥは中小企業（ＳＢ）に位置することができるＵＥ１１１；大企業（Ｅ）に位置することができるＵＥ１１２；ワイファイホットスポット（ＨＳ）に位置することができるＵＥ１１３；第１住居地域（Ｒ）に位置することができるＵＥ１１４；第２住居地域（Ｒ）に位置することができるＵＥ１１５；及び携帯電話、無線ラップトップ、無線ＰＤＡなどのようなモバイル装置（Ｍ）であれば良いＵＥ１１６を含む。ｇＮＢ１０３はｇＮＢ１０３のカバレッジ領域１２５内にある第２複数のＵＥに、ネットワーク１３０への無線広帯域アクセスを提供する。第２複数のＵＥはＵＥ１１５及びＵＥ１１６を含む。いくつかの実施形態で、ｇＮＢ１０１−１０３のうちの一つ以上のｇＮＢは５Ｇ、ＬＴＥ、ＬＴＥ−Ａ、ＷｉＭＡＸ、ＷｉＦｉ又は他の無線通信技術を用いて互い間に及びＵＥ１１１−１１６と通信することができる。
【００２２】
ネットワークタイプによって“基地局”又は“ＢＳ”という用語は、ネットワークに無線アクセスを提供するように構成されたコンポネント（又はコンポネント集合）、例えば、送信ポイント（ＴＰ）、送−受信ポイント（ＴＲＰ）、向上した基地局（ｅＮｏｄｅＢ又はｅＮＢ）、５Ｇ基地局（ｇＮＢ）、マクロセル、フェムトセル 、ＷｉＦｉアクセスポイント（ＡＰ）又はその他の無線可能装置を指称することができる。基地局は一つ以上の無線通信プロトコル、例えば、５Ｇ  ３ＧＰＰ新しい無線インターフェース／アクセス（ＮＲ）、ＬＴＥ（ｌｏｎｇ  ｔｅｒｍ  ｅｖｏｌｕｔｉｏｎ）、ＬＴＥ−Ａ（ＬＴＥ−ａｄｖａｎｃｅｄ）、ＨＳＰＡ（ｈｉｇｈ  ｓｐｅｅｄ  ｐａｃｋｅｔ  ａｃｃｅｓｓ）、Ｗｉ−Ｆｉ８０２．１１ａ／ｂ／ｇ／ｎ／ａｃなどによって無線アクセスを提供することができる。便宜上、用語“ＢＳ”及び“ＴＲＰ”は本特許明細書で遠隔端末に対する無線アクセスを提供するネットワークインフラストラクチャーを示すために相互交換的に用いられる。さらに、ネットワークタイプによって、“ユーザ装備”又は“ＵＥ”という用語は“移動局”、“加入者局”、“遠隔端末”、“無線端末”、“受信ポイント”又は“ユーザ装置”のような任意のコンポネントを指称することができる。便宜上、用語“ユーザ装備”及び“ＵＥ”は、ＵＥが移動装置（例えば、携帯電話機又はスマートフォン）でも一般的に考慮される固定装置（例えば、デスクトップコンピューター又はベンディングマシン）でも、ＢＳに無線にアクセスする遠隔無線装備を指称することで本特許明細書では用いられる。
【００２３】
点線は、ただ例示及び説明の目的におおよその原型で示したカバレッジ領域１２０及び１２５の大略的な範囲を示す。ｇＮＢと連関されたカバレッジ領域、例えば、カバレッジ領域１２０及び１２５はｇＮＢの構成、及び自然及び人工障害物に係る無線環境の変化によって、不規則な形態を含む他の形態を有することができることを明確に理解しなければならない。
【００２４】
以下でより詳しく説明されるように、ＵＥ１１１−１１６のうちの一つ以上は進歩された無線通信システムでデータ及び制御情報に対する受信信頼性のための回路、プログラミング又はこれらの組み合せを含む。特定実施形態で、ｇＮＢ１０１−１０３のうちの一つ以上は進歩された無線通信システムで効率的なＮＲサイドリンクＳＳ／ＰＢＣＨブロック動作のための回路、プログラミング、又はこれらの組み合せを含む。
【００２５】
図１が無線ネットワークの一例を示したが、多様な変化が図１に対して行われることができる。例えば、無線ネットワークは任意の適切な配列で任意の個数のｇＮＢ及び任意の個数のＵＥを含むことができる。また、ｇＮＢ１０１は任意の個数のＵＥと直接通信し、このＵＥにネットワーク１３０への無線広帯域アクセスを提供することができる。これと類似に、各ｇＮＢ１０２−１０３はネットワーク１３０と直接通信し、ＵＥにネットワーク１３０への直接無線広帯域アクセスを提供することができる。また、ｇＮＢ１０１、１０２、及び／又は１０３は外部電話ネットワーク又は他のタイプのデータネットワークのような異なる又は追加の外部ネットワークへのアクセスを提供することができる。
【００２６】
図２は、本開示の実施形態による、例示的ｇＮＢ１０２を示す図面である。図２に示されたｇＮＢ１０２の実施形態はただ説明のためのことであり、図１のｇＮＢ１０１及び１０３は同一又は類似の構成を有することができる。しかし、ｇＮＢは各種の多様な構成からなり、図２はｇＮＢに対する任意の特定具現で本開示の範囲を制限しない。
【００２７】
図２に示されたように、ｇＮＢ１０２は複数のアンテナ２０５ａ−２０５ｎ、複数のＲＦ送受信機２１０ａ−２１０ｎ、送信（ＴＸ）処理回路２１５、及び受信（ＲＸ）処理回路２２０を含む。また、ｇＮＢ１０２はコントローラー／プロセッサ２２５、メモリー２３０、バックホール又はネットワークインターフェース２３５を含む。
【００２８】
ＲＦ送受信機２１０ａ−２１０ｎは、アンテナ２０５ａ−２０５ｎから、ネットワーク１００内でＵＥによって送信される信号のような内向（ｉｎｃｏｍｉｎｇ）ＲＦ信号を受信する。ＲＦ送受信機２１０ａ−２１０ｎは内向ＲＦ信号をダウン変換（ｄｏｗｎ−ｃｏｎｖｅｒｔ）し、ＩＦ又は基底帯域信号を生成する。ＩＦ又は基底帯域信号は、基底帯域又はＩＦ信号をフィルタリングし、デコーディングし、及び／又はデジタル化することによって処理された基底帯域信号を生成するＲＸ処理回路２２０に送信される。ＲＸ処理回路２２０はこの処理された基底帯域信号を、追加の処理のためにコントローラー／プロセッサ２２５に送信する。
【００２９】
ＴＸ処理回路２１５は、コントローラー／プロセッサ２２５からアナログ又はデジタルデータ（例えば、音声データ、ウェブデータ、電子メール、又は双方向ビデオゲームデータ）を受信する。ＴＸ処理回路２１５は、外向（ｏｕｔｇｏｉｎｇ）基底帯域データをエンコード、マルチプレクシング 、及び／又はデジタル化し、処理された基底帯域又はＩＦ信号を生成する。ＲＦ送受信機２１０ａ−２１０ｎはＴＸ処理回路２１５から、外向処理された基底帯域又はＩＦ信号を受信し、その基底帯域又はＩＦ信号を、アンテナ２０５ａ−２０５ｎを介して送信されるＲＦ信号でアップ変換する。
【００３０】
コントローラー／プロセッサ２２５はｇＮＢ１０２の全般的な動作を制御する一つ以上のプロセッサ又は他の処理装置を含むことができる。例えば、コントローラー／プロセッサ２２５は、よく知られた原理によってＲＦ送受信機２１０ａ−２１０ｎ、ＲＸ処理回路２２０、及びＴＸ処理回路２１５によって順方向チャンネル信号の受信及び逆方向チャンネル信号の送信を制御することができる。コントローラー／プロセッサ２２５はより進歩された無線通信機能のような追加機能もサポートすることができる。例えば、コントローラー／プロセッサ２２５は複数のアンテナ２０５ａ−２０５ｎからの外向信号が望む方向に効果的に操るために異なるように加重処理されるビームフォーミング又は指向性ラウティング動作をサポートすることができる。多様な他の機能のうちの任意の機能がコントローラー／プロセッサ２２５によってｇＮＢ１０２でサポートされることができる。
【００３１】
また、コントローラー／プロセッサ２２５はメモリー２３０に常住するプログラム及び他のプロセス、例えば、ＯＳを行うことができる。コントローラー／プロセッサ２２５は実行プロセスによる要求によりデータをメモリー２３０内又は外部に移動させることができる。
【００３２】
また、コントローラー／プロセッサ２２５はバックホール又はネットワークインターフェース２３５にカップリングされる。バックホール又はネットワークインターフェース２３５は、ｇＮＢ１０２がバックホール接続を介して又はネットワークを介して他の装置又はシステムと通信することができるようにする。インターフェース２３５は任意の適切な有線又は無線接続を通じる通信をサポートすることができる。例えば、ｇＮＢ１０２がセルラ通信システム（例えば、５Ｇ、ＬＴＥ、又はＬＴＥ−Ａをサポートすること）の一部として具現される場合、インターフェース２３５は、ｇＮＢ１０２が有線又は無線バックホール接続を介して他のｇＮＢと通信することが可能にすることができる。ｇＮＢ１０２がアクセスポイントとして具現される場合、インターフェース２３５は、ｇＮＢ１０２が有線又は無線ローカル領域ネットワークを介して、若しくは有線又は無線接続を介してより大きいネットワーク（例えば、インターネット）で送信することを可能とする。インターフェース２３５は有線又は無線接続、例えば、イーサネット又はＲＦ送受信機を通じる通信をサポートする任意の適切な構造を含む。
【００３３】
メモリー２３０はコントローラー／プロセッサ２２５にカップリングされる。メモリー２３０の一部はＲＡＭを含むことができ、メモリー２３０の他の一部はフラッシュメモリー又は他のＲＯＭを含むことができる。
【００３４】
図２がｇＮＢ１０２の一例を図示しているが、多様な変化が図２に対して行われることができる。例えば、ｇＮＢ１０２は図２に示された各コンポネントに対する任意の個数を含むことができる。一特定例として、アクセスポイントは多数のインターフェース２３５を含むことができ、コントローラー／プロセッサ２２５は異なるネットワーク住所の間でデータをラウティングするラウティング機能をサポートすることができる。他の特定例として、単一インスタンスのＴＸ処理回路２１５及び単一インスタンスのＲＸ処理回路２２０を含むことで図示されているが、ｇＮＢ１０２はそれぞれに対する複数のインスタンスを含むことができる（例えば、ＲＦ送受信機当たり一つ）。また、図２の各種コンポネントが組み合せたり、より細分化されたり、省略されることができ、特定必要によって追加のコンポネントが付加されることもできる。
【００３５】
図３は、本開示の実施形態による、例示的ＵＥ１１６を示す図面である。図３に示されたＵＥ１１６の実施形態はただ説明のためのことであり、図１のＵＥ１１１−１１５は同一又は類似の構成を有することができる。しかし、ＵＥは各種の多様な構成からなり、図３はＵＥに対する任意の特定具現で本開示の範囲を制限しない。
【００３６】
図３に示されたように、ＵＥ１１６はアンテナ３０５、無線周波数（ｒａｄｉｏ  ｆｒｅｑｕｅｎｃｙ、ＲＦ）送受信機３１０、ＴＸ処理回路３１５、マイクロフォン３２０、及び受信（ＲＸ）処理回路３２５を含む。また、ＵＥ１１６はスピーカー３３０、プロセッサ３４０、入／出力（Ｉ／Ｏ）インターフェース（ＩＦ）３４５、タッチスクリーン３５０、ディスプレー３５５、及びメモリー３６０を含む。メモリー３６０はＯＳ３６１及び一つ以上のアプリケーション３６２を含む。
【００３７】
ＲＦ送受信機３１０はネットワーク１００のｇＮＢによって送信される内向ＲＦ信号をアンテナ３０５から受信する。ＲＦ送受信機３１０は内向ＲＦ信号をダウン−変換し、中間周波数（ｉｎｔｅｒｍｅｄｉａｔｅ  ｆｒｅｑｕｅｎｃｙ、ＩＦ）又は基底帯域信号を生成する。ＩＦ又は基底帯域信号は、その基底帯域又はＩＦ信号をフィルタリングし、デコーディングし、及び／又はデジタル化することによって処理された基底帯域信号を生成するＲＸ処理回路３２５に送信される。ＲＸ処理回路３２５はその処理された基底帯域信号を、スピーカー３３０に送信するか（例えば、音声データ）、又は追加処理のためにプロセッサ３４０に送信する（例えば、ウェブブラウジングデータ）。
【００３８】
ＴＸ処理回路３１５はマイクロフォン３２０からアナログ又はデジタル音声データを受信するか又はプロセッサ３４０から他の外向基底帯域データ（例えば、ウェブデータ、電子メール、又は双方向ビデオゲームデータ）を受信する。ＴＸ処理回路３１５はその外向基底帯域データをエンコード、マルチプレクシング 、及び／又はデジタル化し、処理された基底帯域又はＩＦ信号を生成する。ＲＦ送受信機３１０はＴＸ処理回路３１５から外向処理された基底帯域又はＩＦ信号を受信し、その基底帯域又はＩＦ信号を、アンテナ３０５を介して送信されるＲＦ信号でアップ変換する。
【００３９】
プロセッサ３４０は一つ以上のプロセッサ又は他の処理装置を含むことができ、メモリー３６０に記憶されたＯＳ３６１を行うことによってＵＥ１１６の全般的な動作を制御することができる。例えば、プロセッサ３４０はよく知られた原理によってＲＦ送受信機３１０、ＲＸ処理回路３２５、及びＴＸ処理回路３１５によって順方向チャンネル信号の受信及び逆方向チャンネル信号を送信を制御することができる。いくつかの実施形態で、プロセッサ３４０は少なくとも一つのマイクロプロセッサー又はマイクロコントローラーを含む。
【００４０】
プロセッサ３４０はさらにビーム管理のためのプロセスのようなメモリー３６０に常住する他のプロセス及びプログラムを行うことができる。プロセッサ３４０は実行プロセスによる要求によりメモリー３６０内又は外部にデータを移動することができる。いくつかの実施形態で、プロセッサ３４０はＯＳ３６１に基づいて又はｇＮＢ又はオペレーターから受信された信号によってアプリケーション３６２を行うように構成される。さらに、プロセッサ３４０は、ラップトップコンピューター及び携帯用コンピューターのような他の装置に接続される能力をＵＥ１１６に提供するＩ／Ｏインターフェース３４５にカップリングされている。Ｉ／Ｏインターフェース３４５はこの周辺機器とプロセッサ３４０の間の通信経路である。
【００４１】
また、プロセッサ３４０はタッチスクリーン３５０及びディスプレー３５５にカップリングされる。ＵＥ１１６のオペレーターはタッチスクリーン３５０を用いてＵＥ１１６にデータを入力することができる。ディスプレー３５５は例えば、ウェブサイトからのテキスト及び／又は少なくとも制限されたグラフィックをレンダリングすることができる液晶表示装置、発光ダイオードディスプレー、又は他のディスプレーであれば良い。
【００４２】
メモリー３６０はプロセッサ３４０にカップリングされる。メモリー３６０の一部はランダムアクセスメモリー（ＲＡＭ）を含むことができ、メモリー３６０の他の一部はフラッシュメモリー又は他の判読専用メモリー（ＲＯＭ）を含むことができる。
【００４３】
図３がＵＥ１１６の一例を図示しているが、多様な変化が図３に対して行われることができる。例えば、図３の各種コンポネントは組み合せたり、より細分化されたり、省略されることができ、特定必要によって追加コンポネントが付加されることもできる。一特定例として、プロセッサ３４０は複数のプロセッサ、例えば一つ以上の中央処理ユニット（ＣＰＵ）及び一つ以上のグラフィック処理ユニット（ＧＰＵ）に分割されることができる。さらに、図３がモバイル電話機やスマートフォンのように構成されたＵＥ１１６を図示しているが、ＵＥは他のタイプのモバイル又は固定装置として動作するように構成されることもできる。
【００４４】
本開示は、一般的に無線通信システムに関し、より具体的にはＰＤＣＣＨ受信信頼性を改善して関連シグナリングオーバーヘッドを減少させることに関する。通信システムは基地局又は一つ以上の送信ポイントでＵＥへの送信を示すダウンリンク（ＤＬ）及びＵＥで基地局又は一つ以上の受信ポイントへの送信を示すアップリングク（ＵＬ）を含む。
【００４５】
４Ｇ通信システム構築以後の増加する無線データトラフィック需要を満たすため、改善した５Ｇ又はｐｒｅ−５Ｇ通信システムを開発するための努力が成っている。このような理由で、５Ｇ又はｐｒｅ−５Ｇ通信システムは‘Ｂｅｙｏｎｄ  ４Ｇネットワーク’又は‘ポスト（Ｐｏｓｔ）ＬＴＥシステム’と呼ばれられている。５Ｇ無線通信システムはより高いデータ送信率を達成するために、より高い周波数（ｍｍＷａｖｅ）帯域（例えば、６０ＧＨｚ帯域）で具現されることで見なされる。無線波の電波損失を減らして送信距離をふやすため、５Ｇ通信システムではビームフォーミング（ｂｅａｍｆｏｒｍｉｎｇ）、巨大配列多重入出力（ｍａｓｓｉｖｅＭＩＭＯ）、電次元多重入出力（Ｆｕｌｌ  Ｄｉｍｅｎｓｉｏｎａｌ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍｆｏｒｍｉｎｇ）、及び大規模アンテナ（ｌａｒｇｅ  ｓｃａｌｅ  ａｎｔｅｎｎａ）技術が論議されている。
【００４６】
また、システムネットワーク改善のために、５Ｇ通信システムでは改善した小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ、ｃｌｏｕｄ  ＲＡＮ）、超高密度ネットワーク（ｕｌｔｒａ−ｄｅｎｓｅ  ｎｅｔｗｏｒｋ）、Ｄ２Ｄ（ｄｅｖｉｃｅ−ｔｏ−ｄｅｖｉｃｅ）通信、無線バックホール（ｗｉｒｅｌｅｓｓ  ｂａｃｋｈａｕｌ）、移動ネットワーク、協力通信、ＣｏＭＰ（Ｃｏｏｒｄｉｎａｔｅｄ  Ｍｕｌｔｉ−Ｐｏｉｎｔｓ）、及び受信端干渉除去などの技術開発が成っている。５Ｇシステムでは、進歩されたコーディング変調（ａｄｖａｎｃｅｄ  ｃｏｄｉｎｇ  ｍｏｄｕｌａｔｉｏｎ、ＡＣＭ）技術であるＦＱＡＭ（ｈｙｂｒｉｄ  ｆｒｅｑｕｅｎｃｙ  ｓｈｉｆｔ  ｋｅｙｉｎｇ  ａｎｄ  ｑｕａｄｒａｔｕｒｅ  ａｍｐｌｉｔｕｄｅ  ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）と、進歩されたアクセス技術であるＦＢＭＣ（ｆｉｌｔｅｒ  ｂａｎｋ  ｍｕｌｔｉ  ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【００４７】
セルでのＤＬシグナリング又はＵＬシグナリングのための時間ユニットをスロットといい、これは一つ以上のシンボルを含むことができる。シンボルは追加時間ユニットでも用いることができる。周波数（又は帯域幅（ＢＷ））ユニットをリソースブロック（ＲＢ）と言う。一つのＲＢは多数のサブキャリア（ＳＣ）を含む。例えば、スロットは０．５ミリ秒又は１ミリ秒の持続時間を有することができ、それぞれ７個のシンボル又は１４個のシンボルを含むことができ、ＲＢは１８０ｋＨｚ又は３６０ｋＨｚのＢＷを有することができ、１５ｋＨｚ又は３０ｋＨｚのＳＣの間の間隔を有した１２個のＳＣを含むことができる。
【００４８】
ＤＬ信号は情報コンテンツを伝達するデータ信号、ＤＬ制御情報（ＤＣＩ）を伝達する制御信号及びパイロット信号とも知られた基準信号（ＲＳ）を含む。ｇＮＢはそれぞれの物理的ＤＬ共有チャンネル（ＰＤＳＣＨ）又は物理的ＤＬ制御チャンネル（ＰＤＣＣＨ）を介してデータ情報又はＤＣＩを送信することができる。ｇＮＢはチャンネル状態情報ＲＳ（ＣＳＩ−ＲＳ）及び復調ＲＳ（ＤＭＲＳ）を含む多くの類型のＲＳのうちの一つ以上を送信することができる。ＣＳＩ−ＲＳはＵＥがチャンネル状態情報（ＣＳＩ）を測定するか移動性サポートに係る測定のような他の測定を行うためのことである。ＤＭＲＳは各ＰＤＣＣＨ又はＰＤＳＣＨのＢＷにだけで送信されることができ、ＵＥはＤＭＲＳを用いてデータを復調したり情報を制御することができる。
【００４９】
Ｖ２Ｘ（ｖｅｈｉｃｌｅ−ｔｏ−ｅｖｅｒｙｔｈｉｎｇ）と言う車両通信には次のような３つの類型の通信が含まれる：１）Ｖ２Ｖ（ｖｅｈｉｃｌｅ−ｔｏ−ｖｅｈｉｃｌｅ）通信；２）Ｖ２Ｉ（ｖｅｈｉｃｌｅ−ｔｏ−ｉｎｆｒａｓｔｒｕｃｔｕｒｅ）通信及び３）Ｖ２Ｐ（ｖｅｈｉｃｌｅ−ｔｏ−ｐｅｄｅｓｔｒｉａｎ）通信。このような３つの類型のＶ２Ｘは“協同認識”を用いて最終ユーザにより知能的なサービスを提供することができる。これは、車両、道路辺インフラ及び歩行者のような運送主体がローカル環境に対する知識（例えば、近接した他の車両又はセンサー装備から受信した情報）を収集して当該知識を処理して共有することによって協力衝突警告又は自律走行のようなより知能的なサービスを提供することができることを意味する。Ｖ２Ｖで車両の間の直接通信はサイドリンク（ｓｉｄｅｌｉｎｋ、ＳＬ）インターフェースを基盤として、ＳＬは同期化、探索及び通信のためのＵＥの間のインターフェースである。
【００５０】
図４は、本開示の例示的な実施形態による車両中心通信ネットワーク４００の例示的なユースケースを示す図面である。図４に示されたｇＮＢ１０２の実施形態はただ説明のためのことである。図４は本開示の範囲を任意の特定具現で制限しない。
【００５１】
図５は、本開示の実施形態によるＬＴＥ−Ｖ２Ｘでのサイドリンク同期化サブフレーム５００の例示的な構成を示す図面である。図５に示されたサイドリンク同期化サブフレーム５００の構成の実施形態はただ説明のためのことである。図５は、本開示の範囲を任意の特定具現で制限しない。
【００５２】
ＬＴＥ−Ｖ２Ｘで、サイドリンク同期化はサイドリンク同期化サブフレーム内に位置されたサイドリンク同期化信号を検出することによって達成される。（一般サイクリックプレフィックス用）サイドリンク同期化サブフレームの構成に対する説明が図５に示され、ここでサブフレームは１４個のシンボルを含み、そのうちの１３個はプライマリーサイドリンク同期化信号（ｐｒｉｍａｒｙ  ｓｉｄｅｌｉｎｋ  ｓｙｎｃｈｒｏｎｉｚａｔｉｏｎ  ｓｉｇｎａｌ、ＰＳＳＳ）、セカンダリーサイドリンク同期化信号（ｓｅｃｏｎｄａｒｙ  ｓｉｄｅｌｉｎｋ  ｓｙｎｃｈｒｏｎｉｚａｔｉｏｎ  ｓｉｇｎａｌ、ＳＳＳＳ）、物理的サイドリンクブロードキャストチャンネル（ｐｈｙｓｉｃａｌ  ｓｉｄｅｌｉｎｋ  ｂｒｏａｄｃａｓｔ  ｃｈａｎｎｅｌ、ＰＳＢＣＨ）又は復調基準信号（ｄｅｍｏｄｕｌａｔｉｏｎ  ｒｅｆｅｒｅｎｃｅ  ｓｉｇｎａｌ、ＤＭＲＳ）のためにマッピングされる。残り１個のシンボル（例えば、最後のシンボル）は他の目的（例えば、ＤＬ／ＵＬスイッチギャップ）のためのエンプティとして予備される。同期化サブフレームのすべての信号及びチャンネルの帯域幅は６ＲＢであり、キャリアの中央６ＲＢにマッピングされる。
【００５３】
ＰＳＳＳを構成するシーケンスは２つのセットの物理的階層サイドリンク同期化アイデンティティーのうちの一つを示すための、ルートインデックスがそれぞれ２６及び３７である２つのＺＣ−シーケンスのうちの一つを基盤とする。ＳＳＳＳを構成するシーケンスはＬＴＥセカンダリー同期化信号（ＳＳＳ）を構成するシーケンス、すなわち、サイクリックシフトがあるインタリーブされたＭ−シーケンスと類似である。
【００５４】
ＬＴＥ−Ｖ２ＸでＰＳＢＣＨによって伝達するシステム情報はＭＩＢ（Ｍａｓｔｅｒ  Ｉｎｆｏｒｍａｔｉｏｎ  Ｂｌｏｃｋ）で、これがＣＲＣ（Ｃｙｃｌｉｃ  Ｒｅｄｕｎｄａｎｃｙ  Ｃｈｅｃｋ）とさらに結合されることによって全体ＰＢＣＨコンテンツを構成することができる。ＬＴＥ−Ｖ２Ｘ  ＭＩＢに対する要約が表１に要約され、これはフィールド名前、各フィールドの当該ビット大きさ及び当該値を含むことができる。ＭＩＢの総ビット数は４８であり、総ビット大きさＰＢＣＨコンテンツは他のＣＲＣのための１６ビットを追加し、６４ビットである。
【００５５】
【表１】
2021529496.tif 000003
【００５６】
図６は、本開示の実施形態によるＳＳ／ＰＢＣＨブロック６００の例示的な構成を示す図面である。図６に示されたＳＳ／ＰＢＣＨブロック６００の構成の実施形態はただ説明のためのことである。図６は本開示の範囲を任意の特定具現で制限しない。
【００５７】
ＮＲ（Ｎｅｗ  Ｒａｄｉｏ）はさらにダウンリンクで送信される同期化信号を介して同期化をサポートする。ＬＴＥと比べて、ＮＲはより広い範囲のキャリア周波数とより柔軟なニューマロロジー（ｎｕｍｅｒｏｌｏｇｙ）をサポートする。例えば、ＮＲは各キャリア周波数範囲で多重同期化信号及び物理的ブロードキャストチャンネルブロック（ＳＳ／ＰＢＣＨブロック）をサポートし、ここで各ＳＳ／ＰＢＣＨブロックは４個の連続的なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルをコンプロミス（ｃｏｍｐｒｏｍｉｓｅｓ）し（図６参照）、ここで第１のシンボルはプライマリー同期化信号（ＰＳＳ）のためにマッピングされ、第２及び第４のシンボルはＰＢＣＨのためにマッピングされ、第３のシンボルはセカンダリー同期化信号（ＳＳＳ）とＰＢＣＨのすべてのためにマッピングされる。
【００５８】
同一なＳＳ／ＰＢＣＨブロック構成が０ＧＨｚから５２．６ＧＨｚに至るＮＲのサポートされるすべてのキャリア周波数範囲に適用される。ＰＳＳ及びＳＳＳの送信帯域幅（例えば、１２個のリソースブロック（ＲＢ）は全体ＳＳ／ＰＢＣＨブロック（例えば、２０ＲＢ）の送信帯域幅より小さい。ＰＢＣＨのためにマッピングされたすべてのＲＢにおいて、１２個のリソース要素（ＲＥ）のうちの３個がＰＢＣＨのＤＭＲＳ（復調基準信号）のためにマッピングされ、ここで３個のＲＥがＰＲＢに均一に分散され、第１のＲＥの開始位置はセルＩＤを基盤とする。また、ＮＲ  Ｒｅｌ−１５は与えられた帯域において、ＳＳ／ＰＢＣＨブロックに対して１つ又は２つのＳＣＳ（ｓｕｂｃａｒｒｉｅｒ  ｓｐａｃｉｎｇ）をサポートし、ここで同一なＳＣＳがＰＳＳ、ＳＳＳ及びＰＢＣＨ（ＤＭＲＳ含み）に用いられる。キャリア周波数範囲０ＧＨｚ乃至６ＧＨｚの場合、１５ｋＨｚ及び／又は３０ｋＨｚがＳＳ  ＳＣＳに用いられることができる。キャリア周波数範囲６ＧＨｚ乃至５２．６ＧＨｚの場合、１２０ｋＨｚ及び／又は２４０ｋＨｚがＳＳ  ＳＣＳに用いられることができる。
【００５９】
ＰＳＳを構成するシーケンスはＰＳＳによって伝達されるセルＩＤ情報を示すためにサイクリックシフトがあるＭ−シーケンスを基盤として、ＳＳＳを構成するシーケンスはゴールド−シーケンス（２つのＭ−シーケンスのＸＯＲ）を基盤として、ここでゴールド−シーケンスを構成する各Ｍ−シーケンスはＳＳＳによって伝達されるセルＩＤを示すためにサイクリックシフトを行う。
【００６０】
図７は、本開示の実施形態によるサブキャリア間隔に対する例示的なＳＳ／ＰＢＣＨブロックマッピングパターン７００を示す図面である。図７に図示されたサブキャリア間隔に対するＳＳ／ＰＢＣＨブロックマッピングパターン７００の実施形態はただ説明のためのことである。図７は、本開示の範囲を任意の特定具現で制限しない。
【００６１】
ＮＲでは、ＳＳ／ＰＢＣＨブロックがネットワーク具現までビームスイーピング 方式で送信されることができ、ＳＳ／ＰＢＣＨブロックを送信するための多重候補位置がハーフフレームユニット内で予め定義される。１スロットに対するＳＳ／ＰＢＣＨブロックのマッピングパターンが、１５ｋＨｚに係って６ＧＨｚ未満における基準ＳＣＳとして、６０ｋＨｚに係って６ＧＨｚ以上における基準ＳＣＳとしてそれぞれ図７の７０１及び７０２に示されている。３０ｋＨｚＳＳ  ＳＣＳに対して２つのマッピングパターンが設計された：パターン１は非−ＬＴＥ−ＮＲ共存帯域に用いられ、パターン２はＬＴＥ−ＮＲ共存帯域に用いられる。
【００６２】
図８は、本開示の実施形態によるハーフ内の例示的なＳＳ／ＰＢＣＨブロック位置８００を示す図面である。図８に示されたハーフ内のＳＳ／ＰＢＣＨブロック位置８００の実施形態はただ説明のためのことである。図８は本開示の範囲を任意の特定具現で制限しない。
【００６３】
Ｌ＿ＳＳＢに表示されるＳＳ／ＰＢＣＨブロックの最大個数は、キャリア周波数範囲に基づいて決定される：キャリア周波数範囲０ＧＨｚ乃至３ＧＨｚの場合、Ｌ＿ＳＳＢは４であり；キャリア周波数範囲３ＧＨｚ乃至６ＧＨｚの場合、Ｌ＿ＳＳＢは８であり；キャリア周波数範囲６ＧＨｚ乃至５２．６ＧＨｚの場合、Ｌ＿ＳＳＢは６４である。ＳＳ  ＳＣＳ及びＬ＿ＳＳＢの各組み合せに係って、ＳＳ／ＰＢＣＨブロックの候補位置を含むハーフフレームユニット内のスロットの決定が図８に示されている。
【００６４】
初期セル選択で、ＵＥはデフォルトＳＳバーストセット周期性を２０ｍｓと仮定し、非−独立型ＮＲセルを検出するために、ネットワークは周波数キャリア当たり一つのＳＳバーストセット周期性情報をＵＥに提供し、可能な場合、測定タイミング／デュレーションを導出する情報を提供する。
【００６５】
ＳＳ／ＰＢＣＨブロックインデックスはキャリア周波数範囲０乃至６ＧＨｚに該当するＳＳ／ＰＢＣＨブロックでＰＢＣＨのＤＭＲＳと表示され、ＳＳ／ＰＢＣＨブロックインデックスの３個の最下位ビット（ＬＳＢ）はキャリア周波数範囲６ＧＨｚ乃至５２．６ＧＨｚに該当するＳＳ／ＰＢＣＨブロックでＰＢＣＨのＤＭＲＳに表示される（さらに３個の最上位ビット（ＭＳＢ）がＰＢＣＨコンテンツに表示される）。
【００６６】
ＮＲで、ＰＢＣＨコンテンツのビット大きさは、２４ビットＣＲＣを含んで５６である。物理的階層で生成される他の８ビットと共にＮＲ２４ビットＭＩＢの要約が表２に説明され、ここで一部ビット大きさ及びそれに対応する取られた値がキャリア周波数範囲ごとに指定されている。
【００６７】
【表２】
2021529496.tif 000004
【００６８】
ＮＲ  Ｖ２Ｘで、ＮＲサイドリンクの同期化信号はダウンリンクの同期化信号をベースラインとして用いることができ、Ｖ２Ｘに対する独占的な要求事項を解決するための潜在的改善及び／又は修正がサポートされることができる。本開示はＳ−ＳＳＢ構成、同期化信号、ＮＲサイドリンクＰＢＣＨ（ＰＳＢＣＨ）のコンテンツ、ＰＳＢＣＨスクランブリング、ＰＳＢＣＨのＤＭＲＳ及び予め構成されたシステム情報を含む、サイドリンクＳＳ／ＰＢＣＨブロック（Ｓ−ＳＳＢ）の設計に重点を置く。
【００６９】
本開示、特徴及び利点は本開示を行うために考慮される最上のモードを含む、多数の特定実施形態及び具現を単純に例示することによって次の詳細な説明から明らかになる。本開示は、さらに異なる実施形態が可能であり、そのいずれもが本開示の思想及び範囲を逸脱せず範囲内でいくつかの詳細事項は多様な明白な観点で修正されることができる。したがって、図面及び説明は制限的なことではなく、本質的に例示的なことで見なされなければならない。本開示は添付図面で制限ではない例として図示される。
【００７０】
本開示は、一緒又は互いに組み合わせて用いられることができるか、独立的な方式で動作することができる多くの構成要素を含む。
【００７１】
一実施形態で、ＮＲＳＳ／ＰＢＣＨブロック構成（例えば、図６）はＮＲサイドリンクＳＳ及びＰＢＣＨブロック（Ｓ−ＳＳＢ）を設計するための開始点となることができる。この実施形態はＳ−ＳＳＢ構成のための設計様態を詳しく説明する。
【００７２】
図９Ａは、本開示の実施形態によるＳ−ＳＳＢ９００の例示的な設計を示す図面である。図９Ａに示されたＳ−ＳＳＢ９００の設計実施形態はただ説明のためのことである。図９Ａは本開示の範囲を任意の特定具現で制限しない。
【００７３】
図９Ｂは、本開示の実施形態によるＳ−ＳＳＢ９２０の他の例示的な設計を示す図面である。図９Ｂに示されたＳ−ＳＳＢ９２０の設計実施形態はただ説明のためのことである。図９Ｂは本開示の範囲を任意の特定具現で制限しない。
【００７４】
図９Ａ及び図９ＢはＳ−ＳＳＢの設計例を示す。Ｓ−ＳＳＢはＳ−ＰＳＳのためにマッピングされた少なくとも一つのシンボル、ＰＳＢＣＨのためにマッピングされた少なくとも一つのシンボル、Ｓ−ＳＳＳ又はＳ−ＳＳＳとＰＳＢＣＨの多重化のためにマッピングされた少なくとも一つのシンボルを含むことができる。
【００７５】
一例として、Ｓ−ＳＳＢの帯域幅が１１又は１２ＲＢの場合にだけ（図９Ｂの９４２）、Ｓ−ＰＳＳのためにマッピングされた一つ以上のシンボルがＳ−ＰＳＳのためにマッピングされることができる。他の例として、Ｓ−ＳＳＢの帯域幅が１２ＲＢより大きい場合（例えば、２０ＲＢ）(図９Ｂの９４３）、Ｓ−ＰＳＳのためにマッピングされた少なくとも一つのシンボルがＳ−ＰＳＳとエンプティＲＥの多重化のためにマッピングされることができる（例えば、Ｓ−ＰＳＳとＦＤＭされたエンプティＲＥ）。また他の例として、Ｓ−ＳＳＢの帯域幅が２４ＲＢの場合（図９Ｂの９４４）、Ｓ−ＰＳＳのためにマッピングされた少なくとも一つのシンボルがエンプティＲＥとインタリーブされた方式でＳ−ＰＳＳのためにマッピングされることができる（例えば、Ｓ−ＰＳＳシーケンスのようなＲＥレベルでエンプティＲＥとＩＦＤＭされたシンボルが偶数ＲＥ又は奇数ＲＥにだけマッピングされる）。
【００７６】
例えば、Ｓ−ＳＳＢの帯域幅が１１又は１２ＲＢの場合にだけ（図９Ｂの９３２）、Ｓ−ＳＳＳ又はＳ−ＳＳＳとＰＳＢＣＨの多重化のためにマッピングされた少なくとも一つのシンボルがＳ−ＳＳＳのためにマッピングされることができる。他の例として、Ｓ−ＳＳＢの帯域幅が１２個のＲＢ（例えば、２０個のＲＢ）より大きい場合（図９Ｂの９３３）、Ｓ−ＳＳＳ又はＳ−ＳＳＳとＰＳＢＣＨの多重化のためにマッピングされた少なくとも一つのシンボルがＳ−ＳＳＳとＰＳＢＣＨの多重化（例えば、Ｓ−ＳＳＳとＦＤＭされるＰＳＢＣＨ）のためにマッピングされることができる。また他の例として、Ｓ−ＳＳＢの帯域幅が２４ＲＢの場合（図９Ｂの９３４）、Ｓ−ＳＳＳ又はＳ−ＳＳＳとＰＳＢＣＨの多重化のためにマッピングされた少なくとも一つのシンボルがエンプティＲＥとインタリーブ方式でＳ−ＳＳＳのためにマッピングされることができる（例えば、Ｓ−ＳＳＳシーケンスのようなＲＥレベルでエンプティＲＥとＩＦＤＭされたシンボルが偶数ＲＥ又は奇数ＲＥにだけマッピングされる）。
【００７７】
第１接近方式では、Ｓ−ＳＳＢ内にＳ−ＰＳＳのためにマッピングされたシンボルが一つだけあり得る。例えば、図９Ａの例（ａ）で、一つのシンボルだけがＳ−ＳＳＢ内でＳ−ＰＳＳのためにマッピングされる。
【００７８】
第２接近方式では、Ｓ−ＰＳＳのためにマッピングされた多くのシンボルがあり得て、ここでＳ−ＰＳＳのためにマッピングされたシンボルは連続的である。例えば、Ｓ−ＰＳＳのためにマッピングされた２個のシンボルがある場合（例えば、図９Ａの例（ｂ））、Ｓ−ＰＳＳのためにマッピングされた２個のシンボルはＳ−ＳＳＢ内の＃０及び＃１シンボルである。また他の例として、Ｓ−ＰＳＳのためにマッピングされた３個のシンボルがある場合（例えば、図９の例（ｃ））、Ｓ−ＰＳＳのためにマッピングされた３個のシンボルはＳ−ＳＳＢ内の＃０、＃１及び＃２シンボルである。また他の例として、Ｓ−ＰＳＳのためにマッピングされた２個のシンボルがある場合（例えば、図９Ａの例（ｂ））、Ｓ−ＰＳＳのためにマッピングされた２個のシンボルはＳ−ＳＳＢ内の＃１及び＃２シンボルであり、＃０シンボルはＡＧＣ目的のためのことである。
【００７９】
第３接近方式では、Ｓ−ＰＳＳのためにマッピングされた多くのシンボルがある場合（例えば、図９Ａの例（ｂ）又は（ｃ））、異なるシンボルで多くのＳ−ＰＳＳを構成するシーケンスが同一であれば良い。例えば、Ｓ−ＰＳＳのためにマッピングされた多くのシンボル（サイクリックプレフィックス除外）が繰り返される。
【００８０】
第４接近方式では、Ｓ−ＰＳＳのためにマッピングされた多くのシンボルがある場合（例えば、図９Ａの例（ｂ）又は（ｃ））、異なるシンボルで多くのＳ−ＰＳＳを構成するシーケンスが互いに異なることができる。例えば、異なるシンボルのシーケンスが互いに直交するか互いに対して低い相互相関を有する。
【００８１】
第５接近方式では、Ｓ−ＳＳＢ内にＳ−ＳＳＳのためにマッピングされたシンボルが一つだけあり得る。例えば、図９Ａの例（ａ）で、一つのシンボルだけがＳ−ＳＳＢ内でＳ−ＳＳＳのためにマッピングされる。
【００８２】
第６接近方式では、Ｓ−ＳＳＳのためにマッピングされた多くのシンボルがあり得て、ここでＳ−ＳＳＳのためにマッピングされたシンボルは非連続的である。一例として、Ｓ−ＳＳＳのためにマッピングされた２個のシンボルがある場合（例えば、図９Ａの例（ｂ））、Ｓ−ＳＳＢ内でＳ−ＳＳＳのためにマッピングされた２個のシンボルの間に少なくとも一つのシンボルがＰＳＢＣＨのためにマッピングされる。他の例として、Ｓ−ＳＳＳのためにマッピングされた３個のシンボルがある場合（例えば、図９Ａの例（ｃ））、Ｓ−ＳＳＢ内でＳ−ＳＳＳのためにマッピングされたそれぞれの隣接した２個のシンボルの間に少なくとも一つのシンボルがＰＳＢＣＨのためにマッピングされる。
【００８３】
第７接近方式では、Ｓ−ＳＳＳのためにマッピングされた多くのシンボルがあり得て、ここでＳ−ＳＳＳのためにマッピングされたシンボルは連続的である。一例として、Ｓ−ＳＳＳのためにマッピングされたＸ＿ＳＳＳ（ここでＸ＿ＳＳＳ＞１、例えば、Ｘ＿ＳＳＳ＝２又はＸ＿ＳＳＳ＝３）シンボルがある場合、Ｓ−ＳＳＳのためにマッピングされたＸ＿ＳＳＳシンボルはＳ−ＳＳＢ内の最後のＸ＿ＳＳＳシンボルである。
【００８４】
第８接近方式では、Ｓ−ＳＳＳのためにマッピングされた多くのシンボルがある場合（例えば、図９Ａの例（ｂ）又は（ｃ））、異なるシンボルで多くのＳ−ＳＳＳを構成するシーケンスが同一であれば良い。例えば、Ｓ−ＳＳＳのためにマッピングされた多くのシンボル（サイクリックプレフィックス除外）が繰り返される。
【００８５】
第９接近方式では、Ｓ−ＳＳＳのためにマッピングされた多くのシンボルがある場合（例えば、図９Ａの（ｂ）又は（ｃ））、異なるシンボルで多くのＳ−ＳＳＳを構成するシーケンスが互いに異なることができる。例えば、異なるシンボルのシーケンスが互いに直交するか互いに対して低い相互相関を有する。他の例として、一つシンボルのシーケンスは予め定義されたシーケンスによってスクランブリングされた他のシンボルのシーケンスであれば良い。
【００８６】
第１０接近方式では、Ｓ−ＰＳＳ又はＳ−ＳＳＳ（例えば、図９Ａの９０２、９０４、９１３、９１５、９１７、９２４、９２６、９２８、９３０）を含むシンボルによって分離される各サブブロックでＰＳＢＣＨ（ＤＭＲＳ含み）のためにマッピングされたシンボルの数は０、１又は２であれば良く、各サーブブロックに対して独立的に決定されることができる。
【００８７】
第１１接近方式では、ＰＳＢＣＨのＤＭＲＳがＰＳＢＣＨと共にＴＤＭされることができる。例えば、Ｓ−ＰＳＳ又はＳ−ＳＳＳ（例えば、図９Ａの９０２、９０４、９１３、９１５、９１７、９２４、９２６、９２８、９３０）を含むシンボルによって分離されるサブブロックの一部シンボルがＰＳＢＣＨのＤＭＲＳのためにマッピングされることができ、ＰＳＢＣＨのためにマッピングされた他のシンボルとＴＤＭされることができる。
【００８８】
第１２接近方式では、ＰＳＢＣＨのＤＭＲＳがＰＳＢＣＨとＩＦＤＭされることができる。例えば、ＰＳＢＣＨのためにマッピングされたシンボルのすべてのＲＢで、及びＳ−ＳＳＢの帯域幅が１２個ＲＢより大きい場合、Ｓ−ＳＳＳとＰＳＢＣＨの多重化のためにマッピングされたシンボルでＰＳＢＣＨのためにマッピングされたすべてのＲＢで、ＲＥの一部がＰＳＢＣＨのＤＭＲＳのためにマッピングされ、残りはＰＳＢＣＨのためにマッピングされる。
【００８９】
第１３接近方式では、ＰＳＢＣＨのためにマッピングされた多くの連続シンボルがある場合、ＰＳＢＣＨのためにマッピングされた多くのシンボル又はＰＳＢＣＨのためにマッピングされた多くのシンボルのセット（サイクリックプレフィックス除外）が繰り返されることができる。
【００９０】
第１４接近方式では、Ｓ−ＳＳＢ内の第１シンボルが例えば、自動利得制御（ＡＧＣ）を処理するために、ＰＳＢＣＨのためにマッピングされる。
【００９１】
第１５接近方式では、Ｓ−ＰＳＳ、Ｓ−ＳＳＳ及びＰＳＢＣＨ（ＤＭＲＳ含み）が同一ないアンテナポートを用いて送信される。
【００９２】
この実施形態に対する接近方式又は接近方式の組み合せの例が図１０Ａ乃至図１６Ｂに図示されている。
【００９３】
図１０Ａは、本開示の実施形態による例示的なＳ−ＳＳＢ１０００を示す図面である。図１０Ａに示されたＳ−ＳＳＢ１０００の実施形態はただ説明のためのことである。図１０Ａは本開示の範囲を任意の特定具現で制限しない。
【００９４】
図１０Ｂは、本開示の実施形態による他の例示的なＳ−ＳＳＢ１０２０を示す図面である。図１０Ｂに示されたＳ−ＳＳＢ１０２０の実施形態はただ説明のためのことである。図１０Ｂは本開示の範囲を任意の特定具現で制限しない。
【００９５】
図１１は、本開示の実施形態によるまた他の例示的なＳ−ＳＳＢ１１００を示す図面である。図１１に示されたＳ−ＳＳＢ１１００の実施形態はただ説明のためのことである。図１１は本開示の範囲を任意の特定具現で制限しない。
【００９６】
図１２Ａは、本開示の実施形態によるまた他の例示的なＳ−ＳＳＢ１２００を示す図面である。図１２Ａに示されたＳ−ＳＳＢ１２００の実施形態はただ説明のためのことである。図１２Ａは本開示の範囲を任意の特定具現で制限しない。
【００９７】
図１２Ｂは、本開示の実施形態によるまた他の例示的なＳ−ＳＳＢ１２２０を示す図面である。図１２Ｂに示されたＳ−ＳＳＢ１２２０の実施形態はただ説明のためのことである。図１２Ｂは本開示の範囲を任意の特定具現で制限しない。
【００９８】
図１２Ｃは、本開示の実施形態によるまた他の例示的なＳ−ＳＳＢ１２４０を示す図面である。図１２Ｃに示されたＳ−ＳＳＢ１２の実施形態はただ説明のためのことである。図１２Ｃは本開示の範囲を任意の特定具現で制限しない。
【００９９】
図１３Ａは、本開示の実施形態によるまた他の例示的なＳ−ＳＳＢ１３００を示す図面である。図１３Ａに示されたＳ−ＳＳＢ１３００の実施形態はただ説明のためのことである。図１３Ａは本開示の範囲を任意の特定具現で制限しない。
【０１００】
図１３Ｂは、本開示の実施形態によるまた他の例示的なＳ−ＳＳＢ１３２０を示す図面である。図１３Ｂに示されたＳ−ＳＳＢ１３２０の実施形態はただ説明のためのことである。図１３Ｂは本開示の範囲を任意の特定具現で制限しない。
【０１０１】
図１４Ａは、本開示の実施形態によるまた他の例示的なＳ−ＳＳＢ１４００を示す図面である。図１４Ａに示されたＳ−ＳＳＢ１４００の実施形態はただ説明のためのことである。図１４Ａは本開示の範囲を任意の特定具現で制限しない。
【０１０２】
図１４Ｂは、本開示の実施形態によるまた他の例示的なＳ−ＳＳＢ１４２０を示す図面である。図１４Ｂに示されたＳ−ＳＳＢ１４２０の実施形態はただ説明のためのことである。図１４Ｂは本開示の範囲を任意の特定具現で制限しない。
【０１０３】
図１４Ｃは、本開示の実施形態によるまた他の例示的なＳ−ＳＳＢ１４４０を示す図面である。図１４Ｃに示されたＳ−ＳＳＢ１４４０の実施形態はただ説明のためのことである。図１４Ｃは本開示の範囲を任意の特定具現で制限しない。
【０１０４】
図１４Ｄは、本開示の実施形態によるまた他の例示的なＳ−ＳＳＢ１４６０を示す図面である。図１４Ｄに示されたＳ−ＳＳＢ１４６０の実施形態はただ説明のためのことである。図１４Ｄは本開示の範囲を任意の特定具現で制限しない。
【０１０５】
図１４Ｅは、本開示の実施形態によるまた他の例示的なＳ−ＳＳＢ１４８０を示す図面である。図１４Ｅに示されたＳ−ＳＳＢ１４８０の実施形態はただ説明のためのことである。図１４Ｅは本開示の範囲を任意の特定具現で制限しない。
【０１０６】
図１５Ａは、本開示の実施形態によるまた他の例示的なＳ−ＳＳＢ１５００を示す図面である。図１５Ａに示されたＳ−ＳＳＢ１５００の実施形態はただ説明のためのことである。図１５Ａは本開示の範囲を任意の特定具現で制限しない。
【０１０７】
図１５Ｂは、本開示の実施形態によるまた他の例示的なＳ−ＳＳＢ１５２０を示す図面である。図１５Ｂに示されたＳ−ＳＳＢ１５２０の実施形態はただ説明のためのことである。図１５Ｂは本開示の範囲を任意の特定具現で制限しない。
【０１０８】
図１５Ｃは、本開示の実施形態によるまた他の例示的なＳ−ＳＳＢ１５４０を示す図面である。図１５Ｃに示されたＳ−ＳＳＢ１５４０の実施形態はただ説明のためのことである。図１５Ｃは本開示の範囲を任意の特定具現で制限しない。
【０１０９】
図１６Ａは、本開示の実施形態によるまた他の例示的なＳ−ＳＳＢ１６００を示す図面である。図１６Ａに示されたＳ−ＳＳＢ１６００の実施形態はただ説明のためのことである。図１６Ａは本開示の範囲を任意の特定具現で制限しない。
【０１１０】
図１６Ｂは、本開示の実施形態によるまた他の例示的なＳ−ＳＳＢ１６２０を示す図面である。図１６Ｂに示されたＳ−ＳＳＢ１６２０の実施形態はただ説明のためのことである。図１６Ｂは本開示の範囲を任意の特定具現で制限しない。
【０１１１】
図１０Ａ及び図１０Ｂは１４個のシンボルを有する一つのスロットが２個の連続的なＰＳＢＣＨブロック（ＳＳＢ）を含み、スロットの２個のシンボル（例えば、図１０Ａの第１及び最後のシンボル又は図１０Ｂの第７及び最後のシンボル）がＡＧＣ（Ａｕｔｏｍａｔｉｃ  Ｇａｉｎ  Ｃｏｎｔｒｏｌ）又はＴＸ／ＲＸ（Ｔｒａｎｓｍｉｓｓｉｏｎ−ｔｏ−Ｒｅｃｅｐｔｉｏｎ）スイッチギャップのような他の目的のために予備されているこの実施形態の例を示す図面である。一つの考慮事項では、それぞれのＰＳＢＣＨブロックがＳ−ＰＳＳのための２個のシンボル、Ｓ−ＳＳＳ又はＳ−ＳＳＳとＰＳＢＣＨの多重化のための２個のシンボル、ＰＳＢＣＨのための２個のシンボルを含む。他の考慮事項では、それぞれのＰＳＢＣＨブロックがＳ−ＰＳＳのための２個のシンボル、Ｓ−ＳＳＳ又はＳ−ＳＳＳとＰＳＢＣＨの多重化のための１個のシンボル、ＰＳＢＣＨのための３個のシンボルを含む。また他の考慮事項では、それぞれのＰＳＢＣＨブロックがＳ−ＰＳＳのための１個のシンボル、Ｓ−ＳＳＳ又はＳ−ＳＳＳとＰＳＢＣＨの多重化のための２個のシンボル、及びＰＳＢＣＨのための３個のシンボルを含む。また他の考慮事項では、それぞれのＰＳＢＣＨブロックがＳ−ＰＳＳのための１個のシンボル、Ｓ−ＳＳＳ又はＳ−ＳＳＳとＰＳＢＣＨの多重化のための１個のシンボル、及びＰＳＢＣＨのための４個のシンボルを含む。
【０１１２】
一例として（例えば、図１０Ａの１００１）、スロット内の第１及び最後のシンボルは他の目的のために予備され、シンボル＃１乃至＃６はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第１及び第２のシンボル（すなわち、スロット内のシンボルインデックス観点でシンボル＃１、＃２、＃７及び＃８）はＳ−ＰＳＳのためにマッピングされ、Ｓ−ＳＳＢの第４及び第６のシンボル（すなわち、スロット内のシンボルインデックス観点でシンボル＃４、＃６、＃１０、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３及び第５のシンボル（すなわち、スロット内のシンボルインデックス観点でシンボル＃３、＃５、＃９及び＃１１）はＰＳＢＣＨのためにマッピングされる。
【０１１３】
他の例として（例えば、図１０Ａの１００２）、スロット内の第１及び最後のシンボルは他の目的のために予備され、シンボル＃１乃至＃６はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第１及び第２のシンボル（すなわち、スロット内のシンボルインデックス観点でシンボル＃１、＃２、＃７及び＃８）はＳ−ＰＳＳのためにマッピングされ、Ｓ−ＳＳＢの第４及び第５のシンボル（すなわち、スロット内のシンボルインデックスの観点でシンボル＃４、＃６、＃１０及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３及び第６のシンボル（すなわち、スロット内のシンボルインデックス観点でシンボル＃３、＃６、＃９及び＃１２）はＰＳＢＣＨのためにマッピングされる。
【０１１４】
また他の例として（例えば、図１０Ａの１００３）、スロット内の第１及び最後のシンボルは他の目的のために予備され、シンボル＃１乃至＃６はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第１シンボル（すなわち、スロット内のシンボルインデックス観点でシンボル＃１及び＃７）はＳ−ＰＳＳのためにマッピングされ、Ｓ−ＳＳＢの第３及び第５のシンボル（すなわち、スロット内のシンボルインデックス観点でシンボル＃３、＃５、＃９、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第２、第４及び第６のシンボル（すなわち、スロット内のシンボルインデックス観点でシンボル＃２、＃４、＃６、＃８、＃１０、及び＃１２）はＰＳＢＣＨのためにマッピングされる。
【０１１５】
また他の例として（例えば、図１０Ａの１００４）、スロット内の第１及び最後のシンボルは他の目的のために予備され、シンボル＃１乃至＃６はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第２のシンボル（すなわち、スロット内のシンボルインデックス観点でシンボル＃２及び＃８）はＳ−ＰＳＳのためにマッピングされ、Ｓ−ＳＳＢの第４及び第５のシンボル（すなわち、スロット内のシンボルインデックス観点でシンボル＃４、＃５、＃１０、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第３及び第６のシンボル（すなわち、スロット内のシンボルインデックス観点でシンボル＃１、＃３、＃６、＃７、＃９、及び＃１２）はＰＳＢＣＨのためにマッピングされる。
【０１１６】
また他の例として（例えば、図１０Ａの１００５）、スロット内の第１及び最後のシンボルは他の目的のために予備され、シンボル＃１乃至＃６はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第２のシンボル（すなわち、スロット内のシンボルインデックス観点でシンボル＃２及び＃８）はＳ−ＰＳＳのためにマッピングされ、Ｓ−ＳＳＢの第４及び第６のシンボル（すなわち、スロット内のシンボルインデックス観点でシンボル＃４、＃６、＃１０、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第３及び第５のシンボル（すなわち、スロット内のシンボルインデックス観点でシンボル＃１、＃３、＃５、＃７、＃９、及び＃１１）はＰＳＢＣＨのためにマッピングされる。
【０１１７】
また他の例として（例えば、図１０Ａの１００６）、スロット内の第１及び最後のシンボルは他の目的のために予備され、シンボル＃１乃至＃６はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第１及び第２のシンボル（すなわち、スロット内のシンボルインデックス観点でシンボル＃１、＃２、＃７及び＃８）はＳ−ＰＳＳのためにマッピングされ、Ｓ−ＳＳＢの第４のシンボル（すなわち、スロット内のシンボルインデックス観点でシンボル＃４、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３、第５及び第６のシンボル（すなわち、スロット内のシンボルインデックス観点でシンボル＃３、＃５、＃６、＃９、＃１１、及び＃１２）はＰＳＢＣＨのためにマッピングされる。
【０１１８】
また他の例として（例えば、図１０Ａの１００７）、スロット内の第１及び最後のシンボルは他の目的のために予備され、シンボル＃１乃至＃６はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第２のシンボル（すなわち、スロット内のシンボルインデックス観点でシンボル＃２及び＃８）はＳ−ＰＳＳのためにマッピングされ、Ｓ−ＳＳＢの第４のシンボル（すなわち、スロット内のシンボルインデックス観点でシンボル＃４、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第３、第５及び第６のシンボル（すなわち、スロット内のシンボルインデックス観点でシンボル＃１、＃３、＃５、＃６、＃７、＃９、＃１１、及び＃１２）はＰＳＢＣＨのためにマッピングされる。
【０１１９】
また他の例として（例えば、図１０Ｂの１０１１）、スロット内の第７及び最後のシンボルは他の目的のために予備され、シンボル＃０乃至＃５はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第１及び第２のシンボル（すなわち、スロット内のシンボルインデックス観点でシンボル＃１、＃２、＃７及び＃８）はＳ−ＰＳＳのためにマッピングされ、Ｓ−ＳＳＢの第４及び第６のシンボル（すなわち、スロット内のシンボルインデックス観点でシンボル＃３、＃５、＃１０、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３及び第５のシンボル（すなわち、スロット内のシンボルインデックス観点でシンボル＃２、＃４、＃９及び＃１１）はＰＳＢＣＨのためにマッピングされる。
【０１２０】
また他の例として（例えば、図１０Ｂの１０１２）、スロット内の第７及び最後のシンボルは他の目的のために予備され、シンボル＃０乃至＃５はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第１及び第２のシンボル（すなわち、スロット内のシンボルインデックス観点でシンボル＃０、＃１、＃７及び＃８）はＳ−ＰＳＳのためにマッピングされ、Ｓ−ＳＳＢの第４及び第５のシンボル（すなわち、スロット内のシンボルインデックスの観点でシンボル＃３、＃４、＃１０及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３及び第６のシンボル（すなわち、スロット内のシンボルインデックス観点でシンボル＃２、＃５、＃９及び＃１２）はＰＳＢＣＨのためにマッピングされる。
【０１２１】
また他の例として（例えば、図１０Ｂの１０１３）、スロット内の第７及び最後のシンボルは他の目的のために予備され、シンボル＃０乃至＃５はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第２及び第３のシンボル（すなわち、スロット内のシンボルインデックス観点でシンボル＃１、＃２、＃８及び＃９）はＳ−ＰＳＳのためにマッピングされ、Ｓ−ＳＳＢの第５のシンボル（すなわち、スロット内のシンボルインデックスの観点でシンボル＃４、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４及び第６のシンボル（すなわち、スロット内のシンボルインデックス観点でシンボル＃０、＃３、＃５、＃７、＃１０、及び＃１２）はＰＳＢＣＨのためにマッピングされる。
【０１２２】
また他の例として（例えば、図１０Ｂの１０１４）、スロット内の第７及び最後のシンボルは他の目的のために予備され、シンボル＃０乃至＃５はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第２のシンボル（すなわち、スロット内のシンボルインデックス観点でシンボル＃１及び＃８）はＳ−ＰＳＳのためにマッピングされ、Ｓ−ＳＳＢの第４及び第５のシンボル（すなわち、スロット内のシンボルインデックス観点でシンボル＃３、＃４、＃１０、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第３及び第６のシンボル（すなわち、スロット内のシンボルインデックス観点でシンボル＃０、＃２、＃５、＃７、＃９、及び＃１２）はＰＳＢＣＨのためにマッピングされる。
【０１２３】
また他の例として（例えば、図１０Ｂの１０１５）、スロット内の第７及び最後のシンボルは他の目的のために予備され、シンボル＃０乃至＃５はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第２のシンボル（すなわち、スロット内のシンボルインデックス観点でシンボル＃１及び＃８）はＳ−ＰＳＳのためにマッピングされ、Ｓ−ＳＳＢの第３及び第５のシンボル（すなわち、スロット内のシンボルインデックス観点でシンボル＃２、＃４、＃９、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４及び第６のシンボル（すなわち、スロット内のシンボルインデックス観点でシンボル＃０、＃３、＃５、＃７、＃１０、及び＃１２）はＰＳＢＣＨのためにマッピングされる。
【０１２４】
また他の例として（例えば、図１０Ｂの１０１６）、スロット内の第７及び最後のシンボルは他の目的のために予備され、シンボル＃０乃至＃５はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第２のシンボル（すなわち、スロット内のシンボルインデックス観点でシンボル＃１及び＃８）はＳ−ＰＳＳのためにマッピングされ、Ｓ−ＳＳＢの第４のシンボル（すなわち、スロット内のシンボルインデックス観点でシンボル＃３、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第３、第４及び第６のシンボル（すなわち、スロット内のシンボルインデックス観点でシンボル＃０、＃２、＃４、＃５、＃７、＃９、＃１１、及び＃１２）はＰＳＢＣＨのためにマッピングされる。
【０１２５】
また他の例として（例えば、図１０Ｂの１０１７）、スロット内の第７及び最後のシンボルは他の目的のために予備され、シンボル＃０乃至＃５はスロット内の第１のＳ−ＳＳＢのためにマッピングされ、シンボル＃７乃至＃１２はスロット内の第２のＳ−ＳＳＢのためにマッピングされ、ここで２個のＳ−ＳＳＢは時間ドメインマッピングに対して同一な構成を有する：Ｓ−ＳＳＢの第２のシンボル（すなわち、スロット内のシンボルインデックス観点でシンボル＃１及び＃８）はＳ−ＰＳＳのためにマッピングされ、Ｓ−ＳＳＢの第５のシンボル（すなわち、スロット内のシンボルインデックス観点でシンボル＃４、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第３、第４及び第６のシンボル（すなわち、スロット内のシンボルインデックス観点でシンボル＃０、＃２、＃３、＃５、＃７、＃９、＃１０、及び＃１２）はＰＳＢＣＨのためにマッピングされる。
【０１２６】
図１１は、１４個のシンボルを有する一つのスロットが２個の連続的なＰＳＢＣＨブロック（ＳＳＢ）を含み、それぞれのＰＳＢＣＨブロックが７個のシンボルを含み、スロットのシンボルが他の目的のために予備されないこの実施形態の例を示す図面である。一つの考慮事項では、それぞれのＰＳＢＣＨブロックがＳ−ＰＳＳのための２個のシンボル、Ｓ−ＳＳＳ又はＳ−ＳＳＳとＰＳＢＣＨの多重化のための２個のシンボル、ＰＳＢＣＨのための３個のシンボルを含む。
【０１２７】
また他の例として（例えば、図１１の１１０１）、シンボル＃０乃至＃６はスロット内の第１のＳ−ＳＳＢのためにマッピングされ、シンボル＃７乃至＃１３はスロット内の第２のＳ−ＳＳＢのためにマッピングされ、ここで２個のＳ−ＳＳＢは時間ドメインマッピングに対して同一な構成を有する：Ｓ−ＳＳＢの第１及び第２のシンボル（すなわち、スロット内のシンボルインデックス観点でシンボル＃０、＃１、＃７及び＃８）はＳ−ＰＳＳのためにマッピングされ、Ｓ−ＳＳＢの第４及び第６のシンボル（すなわち、スロット内のシンボルインデックス観点でシンボル＃３、＃５、＃１０、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３、第５及び第７のシンボル（すなわち、スロット内のシンボルインデックス観点でシンボル＃２、＃４、＃６、＃９、＃１１、及び＃１３）はＰＳＢＣＨのためにマッピングされる。
【０１２８】
また他の例として（例えば、図１１の１１０２）、シンボル＃０乃至＃６はスロット内の第１のＳ−ＳＳＢのためにマッピングされ、シンボル＃７乃至＃１３はスロット内の第２のＳ−ＳＳＢのためにマッピングされ、ここで２個のＳ−ＳＳＢは時間ドメインマッピングに対して同一な構成を有する：Ｓ−ＳＳＢの第１及び第２のシンボル（すなわち、スロット内のシンボルインデックス観点でシンボル＃０、＃１、＃７及び＃８）はＳ−ＰＳＳのためにマッピングされ、Ｓ−ＳＳＢの第６及び第７のシンボル（すなわち、スロット内のシンボルインデックス観点でシンボル＃５、＃６、＃１２、及び＃１３）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３、第４及び第５のシンボル（すなわち、スロット内のシンボルインデックス観点でシンボル＃２、＃３、＃４、＃９、＃１０、及び＃１１）はＰＳＢＣＨのためにマッピングされる。
【０１２９】
また他の例として（例えば、図１１の１１０３）、シンボル＃０乃至＃６はスロット内の第１のＳ−ＳＳＢのためにマッピングされ、シンボル＃７乃至＃１３はスロット内の第２のＳ−ＳＳＢのためにマッピングされ、ここで２個のＳ−ＳＳＢは時間ドメインマッピングに対して同一な構成を有する：Ｓ−ＳＳＢの第２及び第３のシンボル（すなわち、スロット内のシンボルインデックス観点でシンボル＃１、＃２、＃８及び＃９）はＳ−ＰＳＳのためにマッピングされ、Ｓ−ＳＳＢの第５及び第６のシンボル（すなわち、スロット内のシンボルインデックス観点でシンボル＃４、＃５、＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４及び第７のシンボル（すなわち、スロット内のシンボルインデックス観点でシンボル＃０、＃３、＃６、＃７、＃１０、及び＃１３）はＰＳＢＣＨのためにマッピングされる。
【０１３０】
また他の例として（例えば、図１１の１１０４）、シンボル＃０乃至＃６はスロット内の第１のＳ−ＳＳＢのためにマッピングされ、シンボル＃７乃至＃１３はスロット内の第２のＳ−ＳＳＢのためにマッピングされ、ここで２個のＳ−ＳＳＢは時間ドメインマッピングに対して同一な構成を有する：Ｓ−ＳＳＢの第２及び第３のシンボル（すなわち、スロット内のシンボルインデックス観点でシンボル＃１、＃２、＃８及び＃９）はＳ−ＰＳＳのためにマッピングされ、Ｓ−ＳＳＢの第５及び第７のシンボル（すなわち、スロット内のシンボルインデックス観点でシンボル＃４、＃６、＃１１、及び＃１３）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４及び第６のシンボル（すなわち、スロット内のシンボルインデックス観点でシンボル＃０、＃３、＃５、＃７、＃１０、及び＃１２）はＰＳＢＣＨのためにマッピングされる。
【０１３１】
また他の例として（例えば、図１１の１１０５）、シンボル＃０乃至＃６はスロット内の第１のＳ−ＳＳＢのためにマッピングされ、シンボル＃７乃至＃１３はスロット内の第２のＳ−ＳＳＢのためにマッピングされ、ここで２個のＳ−ＳＳＢは時間ドメインマッピングに対して同一な構成を有する：Ｓ−ＳＳＢの第２及び第３のシンボル（すなわち、スロット内のシンボルインデックス観点でシンボル＃１、＃２、＃８及び＃９）はＳ−ＰＳＳのためにマッピングされ、Ｓ−ＳＳＢの第４及び第６のシンボル（すなわち、スロット内のシンボルインデックス観点でシンボル＃３、＃５、＃１０、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第３及び第５のシンボル（すなわち、スロット内のシンボルインデックス観点でシンボル＃０、＃４、＃６、＃７、＃１１、及び＃１３）はＰＳＢＣＨのためにマッピングされる。
【０１３２】
図１２Ａ、図１２Ｂ及び図１２Ｃは１４個のシンボルがある一つのスロットが一つのＰＳＢＣＨブロック（ＳＳＢ）を含み、ＰＳＢＣＨブロックが１２個のシンボルを含み、スロットの第１及び最後のシンボルが自動利得制御（ＡＧＣ）又は送−受信（ＴＸ／ＲＸ）スイッチギャップのような他の目的のために予備されるこの実施形態の例を示す図面である。一つの考慮事項では、それぞれのＰＳＢＣＨブロックがＳ−ＰＳＳのための３個のシンボル、Ｓ−ＳＳＳ又はＳ−ＳＳＳとＰＳＢＣＨの多重化のための３個のシンボル、ＰＳＢＣＨのための６個のシンボルを含む。他の考慮事項では、それぞれのＰＳＢＣＨブロックがＳ−ＰＳＳのための２個のシンボル、Ｓ−ＳＳＳ又はＳ−ＳＳＳとＰＳＢＣＨの多重化のための２個のシンボル、ＰＳＢＣＨのための８個のシンボルを含む。また他の考慮事項では、それぞれのＰＳＢＣＨブロックがＳ−ＰＳＳのための４個のシンボル、Ｓ−ＳＳＳ又はＳ−ＳＳＳとＰＳＢＣＨの多重化のための４個のシンボル、及びＰＳＢＣＨのための４個のシンボルを含む。
【０１３３】
一例として（例えば、図１２Ａの１２０１）、シンボル＃１乃至＃１２はスロット内のＳ−ＳＳＢのためにマッピングされ、ここで：Ｓ−ＳＳＢの第１、第２及び第３のシンボル（すなわち、スロット内のシンボルインデックス観点でシンボル＃１、＃２、及び＃３）はＳ−ＰＳＳのためにマッピングされ、Ｓ−ＳＳＢの第６、第９、第１２のシンボル（すなわち、スロット内のシンボルインデックス観点でシンボル＃６、＃９、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第７、第８、第１０及び第１１のシンボル（すなわち、スロット内のシンボルインデックス観点でシンボル＃４、＃５、＃７、＃８、＃１０、及び＃１１）はＰＳＢＣＨのためにマッピングされる。
【０１３４】
他の例として（例えば、図１２Ａの１２０２）、シンボル＃１乃至＃１２はスロット内のＳ−ＳＳＢのためにマッピングされ、ここで：Ｓ−ＳＳＢの第１、第２及び第３のシンボル（すなわち、スロット内のシンボルインデックス観点でシンボル＃１、＃２、及び＃３）はＳ−ＰＳＳのためにマッピングされ、Ｓ−ＳＳＢの第１０、第１１、第１２のシンボル（すなわち、スロット内のシンボルインデックス観点でシンボル＃１０、＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第６、第７、第８及び第９のシンボル（すなわち、スロット内のシンボルインデックス観点でシンボル＃４、＃５、＃６、＃７、＃８、及び＃９）はＰＳＢＣＨのためにマッピングされる。
【０１３５】
また他の例として（例えば、図１２Ａの１２０３）、シンボル＃１乃至＃１２はスロット内のＳ−ＳＳＢのためにマッピングされ、ここで：Ｓ−ＳＳＢの第１、第２及び第３のシンボル（すなわち、スロット内のシンボルインデックス観点でシンボル＃１、＃２、及び＃３）はＳ−ＰＳＳのためにマッピングされ、Ｓ−ＳＳＢの第５、第８及び第１１のシンボル（すなわち、スロット内のシンボルインデックス観点でシンボル＃５、＃８、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第６、第７、第９、第１０及び第１２のシンボル（すなわち、スロット内のシンボルインデックス観点でシンボル＃４、＃６、＃７、＃９、＃１０、及び＃１２）はＰＳＢＣＨのためにマッピングされる。
【０１３６】
また他の例として（例えば、図１２Ｂの１２１１）、シンボル＃１乃至＃１２はスロット内のＳ−ＳＳＢのためにマッピングされ、ここで：Ｓ−ＳＳＢの第１及び第２のシンボル（すなわち、スロット内のシンボルインデックス観点でシンボル＃１、及び＃２）はＳ−ＰＳＳのためにマッピングされ、Ｓ−ＳＳＢの第６及び第９のシンボル（すなわち、スロット内のシンボルインデックス観点でシンボル＃６、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３、第４、第５、第７、第８、第１０、第１１、及び第１２のシンボル（すなわち、スロット内のシンボルインデックス観点でシンボル＃３、＃４、＃５、＃７、＃８、＃１０、＃１１、及び＃１２）はＰＳＢＣＨのためにマッピングされる。
【０１３７】
また他の例として（例えば、図１２Ｂの１２１２）、シンボル＃１乃至＃１２はスロット内のＳ−ＳＳＢのためにマッピングされ、ここで：Ｓ−ＳＳＢの第１及び第２のシンボル（すなわち、スロット内のシンボルインデックス観点でシンボル＃１、及び＃２）はＳ−ＰＳＳのためにマッピングされ、Ｓ−ＳＳＢの第５及び第１０のシンボル（すなわち、スロット内のシンボルインデックス観点でシンボル＃５、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３、第４、第６、第７、第８、第９、第１１、及び第１２のシンボル（すなわち、スロット内のシンボルインデックス観点でシンボル＃３、＃４、＃６、＃７、＃８、＃９、＃１１、及び＃１２）はＰＳＢＣＨのためにマッピングされる。
【０１３８】
また他の例として（例えば、図１２Ｂの１２１３）、シンボル＃１乃至＃１２はスロット内のＳ−ＳＳＢのためにマッピングされ、ここで：Ｓ−ＳＳＢの第１及び第２のシンボル（すなわち、スロット内のシンボルインデックス観点でシンボル＃１、及び＃２）はＳ−ＰＳＳのためにマッピングされ、Ｓ−ＳＳＢの第７及び第８のシンボル（すなわち、スロット内のシンボルインデックス観点でシンボル＃７、及び＃８）はＳ−ＳＳＳのためにマッピングされるか（Ｓ−ＳＳＢのＢＷが１２ＲＢ又は２４ＲＢの場合)、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第３、第４、第５、第６、第９、第１０、第１１、及び第１２のシンボル（すなわち、スロット内のシンボルインデックス観点でシンボル＃３、＃４、＃６、＃７、＃８、＃９、＃１１、及び＃１２）はＰＳＢＣＨのためにマッピングされる。
【０１３９】
また他の例として（例えば、図１２Ｃの１２２１）、シンボル＃１乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第６、第７、第１０及び第１１のシンボル（すなわち、スロット内のシンボルインデックス観点でシンボル＃６、＃７、＃１０、及び＃１１）はＳ−ＳＳＳのためにマッピングされるか（Ｓ−ＳＳＢのＢＷが１２ＲＢ又は２４ＲＢの場合)、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第８、第９、及び第１２のシンボル（すなわち、スロット内のシンボルインデックス観点でシンボル＃５、＃８、＃９、及び＃１２）はＰＳＢＣＨのためにマッピングされる。
【０１４０】
他の例として（例えば、図１２Ｃの１２２２）、シンボル＃１乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第７、第８、第９及び第１０のシンボル（すなわち、スロット内のシンボルインデックス観点でシンボル＃７、＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第１１、及び第１２のシンボル（すなわち、スロット内のシンボルインデックス観点でシンボル＃５、＃６、＃１１、及び＃１２）はＰＳＢＣＨのためにマッピングされる。
【０１４１】
また他の例として（例えば、図１２Ｃの１２２３）、シンボル＃１乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第５、第７、第９及び第１１のシンボル（すなわち、スロット内のシンボルインデックス観点でシンボル＃５、＃７、＃９、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第６、第８、第１０、及び第１２のシンボル（すなわち、スロット内のシンボルインデックス観点でシンボル＃６、＃８、＃１０、及び＃１２）はＰＳＢＣＨのためにマッピングされる。
【０１４２】
また他の例として（例えば、図１２Ｃの１２２４）、シンボル＃１乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第６、第８、第１０及び第１２のシンボル（すなわち、スロット内のシンボルインデックス観点でシンボル＃６、＃８、＃１０、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第７、第９、及び第１１のシンボル（すなわち、スロット内のシンボルインデックス観点でシンボル＃５、＃７、＃９、及び＃１１）はＰＳＢＣＨのためにマッピングされる。
【０１４３】
図１３Ａ及び図１３Ｂは１４個のシンボルを持った一つのスロットが一つのＰＳＢＣＨブロック（ＳＳＢ）を含み、ＰＳＢＣＨブロックが１３個のシンボルを含み、スロットの第１のシンボルが自動利得制御（ＡＧＣ）又は送−受信（ＴＸ／ＲＸ）スイッチギャップのような他の目的のために予備されるこの実施形態の例を示す図面である。一つの考慮事項では、それぞれのＰＳＢＣＨブロックがＳ−ＰＳＳのための３個のシンボル、Ｓ−ＳＳＳ又はＳ−ＳＳＳとＰＳＢＣＨの多重化のための３個のシンボル、ＰＳＢＣＨのための７個のシンボルを含む。他の考慮事項では、それぞれのＰＳＢＣＨブロックがＳ−ＰＳＳのための２個のシンボル、Ｓ−ＳＳＳ又はＳ−ＳＳＳとＰＳＢＣＨの多重化のための２個のシンボル、ＰＳＢＣＨのための９個のシンボルを含む。また他の考慮事項では、それぞれのＰＳＢＣＨブロックがＳ−ＰＳＳのための４個のシンボル、Ｓ−ＳＳＳ又はＳ−ＳＳＳとＰＳＢＣＨの多重化のための４個のシンボル、ＰＳＢＣＨのための５個のシンボルを含む。
【０１４４】
一例として（例えば、図１３Ａの１３０１）、シンボル＃１乃至＃１３はスロット内のＳ−ＳＳＢのためにマッピングされ、ここで：Ｓ−ＳＳＢの第１、第２及び第３のシンボル（すなわち、スロット内のシンボルインデックス観点でシンボル＃１、＃２、及び＃３）はＳ−ＰＳＳのためにマッピングされ、Ｓ−ＳＳＢの第６、第９、及び第１２のシンボル（すなわち、スロット内のシンボルインデックス観点でシンボル＃６、＃９、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第７、第８、第９、第１１、及び第１３のシンボル（すなわち、スロット内のシンボルインデックス観点でシンボル＃４、＃５、＃７、＃８、＃１０、＃１１、及び＃１３）はＰＳＢＣＨのためにマッピングされる。
【０１４５】
他の例として（例えば、図１３Ａの１３０２）、シンボル＃１乃至＃１３はスロット内のＳ−ＳＳＢのためにマッピングされ、ここで：Ｓ−ＳＳＢの第１、第２及び第３のシンボル（すなわち、スロット内のシンボルインデックス観点でシンボル＃１、＃２、及び＃３）はＳ−ＰＳＳのためにマッピングされ、Ｓ−ＳＳＢの第１１、第１２、及び第１３のシンボル（すなわち、スロット内のシンボルインデックス観点でシンボル＃１１、＃１２、及び＃１３）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第６、第７、第８、第９、及び第１０のシンボル（すなわち、スロット内のシンボルインデックス観点でシンボル＃４、＃５、＃６、＃７、＃８、＃９、及び＃１０）はＰＳＢＣＨのためにマッピングされる。
【０１４６】
また他の例として（例えば、図１３Ａの１３０３）、シンボル＃１乃至＃１３はスロット内のＳ−ＳＳＢのためにマッピングされ、ここで：Ｓ−ＳＳＢの第１、第２及び第３のシンボル（すなわち、スロット内のシンボルインデックス観点でシンボル＃１、＃２、及び＃３）はＳ−ＰＳＳのためにマッピングされ、Ｓ−ＳＳＢの第５、第８、及び第１１のシンボル（すなわち、スロット内のシンボルインデックス観点でシンボル＃５、＃８、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第６、第７、第９、第１０、第１２及び第１３のシンボル（すなわち、スロット内のシンボルインデックス観点でシンボル＃４、＃６、＃７、＃９、＃１０、＃１２、及び＃１３）はＰＳＢＣＨのためにマッピングされる。
【０１４７】
また他の例として（例えば、図１３Ａの１３０４）、シンボル＃１乃至＃１３はスロット内のＳ−ＳＳＢのためにマッピングされ、ここで：Ｓ−ＳＳＢの第１、第２及び第３のシンボル（すなわち、スロット内のシンボルインデックス観点でシンボル＃１、＃２、及び＃３）はＳ−ＰＳＳのためにマッピングされ、Ｓ−ＳＳＢの第７、第８、及び第９のシンボル（すなわち、スロット内のシンボルインデックス観点でシンボル＃７、＃８、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第６、第１０、第１１、第１２及び第１３のシンボル（すなわち、スロット内のシンボルインデックス観点でシンボル＃４、＃５、＃６、＃１０、＃１１、＃１２、及び＃１３）はＰＳＢＣＨのためにマッピングされる。
【０１４８】
また他の例として（例えば、図１３Ａの１３０５）、シンボル＃１乃至＃１３はスロット内のＳ−ＳＳＢのためにマッピングされ、ここで：Ｓ−ＳＳＢの第１、第２及び第３のシンボル（すなわち、スロット内のシンボルインデックス観点でシンボル＃１、＃２、及び＃３）はＳ−ＰＳＳのためにマッピングされ、Ｓ−ＳＳＢの第８、第９、及び第１０のシンボル（すなわち、スロット内のシンボルインデックス観点でシンボル＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第６、第７、第１１、第１２及び第１３のシンボル（すなわち、スロット内のシンボルインデックス観点でシンボル＃４、＃５、＃６、＃７、＃１１、＃１２、及び＃１３）はＰＳＢＣＨのためにマッピングされる。
【０１４９】
また他の例として（例えば、図１３Ｂの１３１１）、シンボル＃１乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第６、第８、第１０、及び第１２のシンボル（すなわち、スロット内のシンボルインデックス観点でシンボル＃６、＃８、＃１０、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第７、第９、第１１及び第１３のシンボル（すなわち、スロット内のシンボルインデックス観点でシンボル＃５、＃７、＃９、＃１１、及び＃１３）はＰＳＢＣＨのためにマッピングされる。
【０１５０】
また他の例として（例えば、図１３Ｂの１３１２）、シンボル＃１乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第１０、第１１、第１２及び第１３のシンボル（すなわち、スロット内のシンボルインデックス観点でシンボル＃１０、＃１１、＃１２、及び＃１３）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第７、第８及び第９のシンボル（すなわち、スロット内のシンボルインデックス観点でシンボル＃５、＃６、＃７、＃８、及び＃９）はＰＳＢＣＨのためにマッピングされる。
【０１５１】
また他の例として（例えば、図１３Ｂの１３１３）、シンボル＃１乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第８、第９、第１０及び第１１のシンボル（すなわち、スロット内のシンボルインデックス観点でシンボル＃８、＃９、＃１０、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第７、第１２及び第１３のシンボル（すなわち、スロット内のシンボルインデックス観点でシンボル＃５、＃６、＃７、＃１２、及び＃１３）はＰＳＢＣＨのためにマッピングされる。
【０１５２】
また他の例として（例えば、図１３Ｂの１３１４）、シンボル＃１乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第７、第８、第９及び第１０のシンボル（すなわち、スロット内のシンボルインデックス観点でシンボル＃７、＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第１１、第１２及び第１３のシンボル（すなわち、スロット内のシンボルインデックス観点でシンボル＃５、＃６、＃１１、＃１２、及び＃１３）はＰＳＢＣＨのためにマッピングされる。
【０１５３】
また他の例として（例えば、図１３Ｂの１３１５）、シンボル＃１乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第７、第８、第１０及び第１１のシンボル（すなわち、スロット内のシンボルインデックス観点でシンボル＃７、＃８、＃１０、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第９、第１２及び第１３のシンボル（すなわち、スロット内のシンボルインデックス観点でシンボル＃５、＃６、＃９、＃１２、及び＃１３）はＰＳＢＣＨのためにマッピングされる。
【０１５４】
また他の例として（例えば、図１３Ｂの１３１６）、シンボル＃１乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃１、＃２、＃３、及び＃４）はＳ−ＰＳＳのためにマッピングされ、Ｓ−ＳＳＢの第６、第７、第１１及び第１２のシンボル（すなわち、スロット内のシンボルインデックス観点でシンボル＃６、＃７、＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第８、第９、第１０及び第１３のシンボル（すなわち、スロット内のシンボルインデックス観点でシンボル＃５、＃８、＃９、＃１０、及び＃１３）はＰＳＢＣＨのためにマッピングされる。
【０１５５】
図１４Ａ、図１４Ｂ、図１４Ｃ及び図１４Ｄは、１４個のシンボルを有する一つのスロットが一つのＰＳＢＣＨブロック（ＳＳＢ）を含み、ＰＳＢＣＨブロックが１３個のシンボルを含み、スロットの最後のシンボルが送−受信（ＴＸ／ＲＸ）スイッチギャップのような他の目的のために予備されるこの実施形態の例を示す図面である。一つの考慮事項では、それぞれのＰＳＢＣＨブロックがＳ−ＰＳＳのための３個のシンボル、Ｓ−ＳＳＳ又はＳ−ＳＳＳとＰＳＢＣＨの多重化のための３個のシンボル、ＰＳＢＣＨのための７個のシンボルを含む。他の考慮事項では、それぞれのＰＳＢＣＨブロックがＳ−ＰＳＳのための２個のシンボル、Ｓ−ＳＳＳ又はＳ−ＳＳＳとＰＳＢＣＨの多重化のための２個のシンボル、ＰＳＢＣＨのための９個のシンボルを含む。また他の考慮事項では、それぞれのＰＳＢＣＨブロックがＳ−ＰＳＳのための４個のシンボル、Ｓ−ＳＳＳ又はＳ−ＳＳＳとＰＳＢＣＨの多重化のための４個のシンボル、ＰＳＢＣＨのための５個のシンボルを含む。
【０１５６】
一例として（例えば、図１４Ａの１４０１）、シンボル＃０乃至＃１２はスロット内のＳ−ＳＳＢのためにマッピングされ、ここで：Ｓ−ＳＳＢの第１、第２及び第３のシンボル（すなわち、スロット内のシンボルインデックス観点でシンボル＃０、＃１、及び＃２）はＳ−ＰＳＳのためにマッピングされ、Ｓ−ＳＳＢの第６、第９、及び第１２のシンボル（すなわち、スロット内のシンボルインデックス観点でシンボル＃５、＃８、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第７、第８、第９、第１１及び第１３のシンボル（すなわち、スロット内のシンボルインデックス観点でシンボル＃３、＃４、＃６、＃７、＃９、＃１０、及び＃１２）はＰＳＢＣＨのためにマッピングされる。
【０１５７】
他の例として（例えば、図１４Ａの１４０２）、シンボル＃０乃至＃１２はスロット内のＳ−ＳＳＢのためにマッピングされ、ここで：Ｓ−ＳＳＢの第１、第２及び第３のシンボル（すなわち、スロット内のシンボルインデックス観点でシンボル＃０、＃１、及び＃２）はＳ−ＰＳＳのためにマッピングされ、Ｓ−ＳＳＢの第１１、第１２、及び第１３のシンボル（すなわち、スロット内のシンボルインデックス観点でシンボル＃１０、＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第６、第７、第８、第９及び第１０のシンボル（すなわち、スロット内のシンボルインデックス観点でシンボル＃３、＃４、＃５、＃６、＃７、＃８、及び＃９）はＰＳＢＣＨのためにマッピングされる。
【０１５８】
また他の例として（例えば、図１４Ａの１４０３）、シンボル＃０乃至＃１２はスロット内のＳ−ＳＳＢのためにマッピングされ、ここで：Ｓ−ＳＳＢの第１、第２及び第３のシンボル（すなわち、スロット内のシンボルインデックス観点でシンボル＃０、＃１、及び＃２）はＳ−ＰＳＳのためにマッピングされ、Ｓ−ＳＳＢの第５、第８、及び第１１のシンボル（すなわち、スロット内のシンボルインデックス観点でシンボル＃４、＃７、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第６、第７、第９、第１０、第１２及び第１３のシンボル（すなわち、スロット内のシンボルインデックス観点でシンボル＃３、＃５、＃６、＃８、＃９、＃１１、及び＃１２）はＰＳＢＣＨのためにマッピングされる。
【０１５９】
また他の例として（例えば、図１４Ａの１４０４）、シンボル＃０乃至＃１２はスロット内のＳ−ＳＳＢのためにマッピングされ、ここで：Ｓ−ＳＳＢの第１、第２及び第３のシンボル（すなわち、スロット内のシンボルインデックス観点でシンボル＃０、＃１、及び＃２）はＳ−ＰＳＳのためにマッピングされ、Ｓ−ＳＳＢの第７、第８、及び第９のシンボル（すなわち、スロット内のシンボルインデックス観点でシンボル＃６、＃７、及び＃８）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第６、第１０、第１１、第１２及び第１３のシンボル（すなわち、スロット内のシンボルインデックス観点でシンボル＃３、＃４、＃５、＃９、＃１０、＃１１、及び＃１２）はＰＳＢＣＨのためにマッピングされる。
【０１６０】
また他の例として（例えば、図１４Ａの１４０５）、シンボル＃０乃至＃１２はスロット内のＳ−ＳＳＢのためにマッピングされ、ここで：Ｓ−ＳＳＢの第１、第２及び第３のシンボル（すなわち、スロット内のシンボルインデックス観点でシンボル＃０、＃１、及び＃２）はＳ−ＰＳＳのためにマッピングされ、Ｓ−ＳＳＢの第８、第９、及び第１０のシンボル（すなわち、スロット内のシンボルインデックス観点でシンボル＃７、＃８、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第６、第７、第１１、第１２及び第１３のシンボル（すなわち、スロット内のシンボルインデックス観点でシンボル＃３、＃４、＃５、＃６、＃１０、＃１１、及び＃１２）はＰＳＢＣＨのためにマッピングされる。
【０１６１】
また他の例として（例えば、図１４Ｂの１４１１）、シンボル＃０乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第６、第８、第１０及び第１２のシンボル（すなわち、スロット内のシンボルインデックス観点でシンボル＃５、＃７、＃９、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第７、第９、第１１及び第１３のシンボル（すなわち、スロット内のシンボルインデックス観点でシンボル＃４、＃６、＃８、＃１０、及び＃１２）はＰＳＢＣＨのためにマッピングされる。
【０１６２】
また他の例として（例えば、図１４Ｂの１４１２）、シンボル＃０乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第１０、第１１、第１２及び第１３のシンボル（すなわち、スロット内のシンボルインデックス観点でシンボル＃９、＃１０、＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第７、第８及び第９のシンボル（すなわち、スロット内のシンボルインデックス観点でシンボル＃４、＃５、＃６、＃７、及び＃８）はＰＳＢＣＨのためにマッピングされる。
【０１６３】
また他の例として（例えば、図１４Ｂの１４１３）、シンボル＃０乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第８、第９、第１０及び第１１のシンボル（すなわち、スロット内のシンボルインデックス観点でシンボル＃７、＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第７、第１２及び第１３のシンボル（すなわち、スロット内のシンボルインデックス観点でシンボル＃４、＃５、＃６、＃１１、及び＃１２）はＰＳＢＣＨのためにマッピングされる。
【０１６４】
また他の例として（例えば、図１４Ｂの１４１４）、シンボル＃０乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第７、第８、第９及び第１０のシンボル（すなわち、スロット内のシンボルインデックス観点でシンボル＃６、＃７、＃８、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第１１、第１２及び第１３のシンボル（すなわち、スロット内のシンボルインデックス観点でシンボル＃４、＃５、＃１０、＃１１、及び＃１２）はＰＳＢＣＨのためにマッピングされる。
【０１６５】
また他の例として（例えば、図１４Ｂの１４１５）、シンボル＃０乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第７、第８、第１０及び第１１のシンボル（すなわち、スロット内のシンボルインデックス観点でシンボル＃６、＃７、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第９、第１２及び第１３のシンボル（すなわち、スロット内のシンボルインデックス観点でシンボル＃４、＃５、＃８、＃１１、及び＃１２）はＰＳＢＣＨのためにマッピングされる。
【０１６６】
また他の例として（例えば、図１４Ｂの１４１６）、シンボル＃０乃至＃１２はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第６、第７、第１１及び第１２のシンボル（すなわち、スロット内のシンボルインデックス観点でシンボル＃５、＃６、＃１０、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第８、第９、第１０及び第１３のシンボル（すなわち、スロット内のシンボルインデックス観点でシンボル＃４、＃７、＃８、＃９、及び＃１２）はＰＳＢＣＨのためにマッピングされる。
【０１６７】
また他の例として（例えば、図１４Ｃの１４２１）、シンボル＃０乃至＃１２はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第６、第９及び第１２のシンボル（すなわち、スロット内のシンボルインデックス観点でシンボル＃５、＃８、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第７、第８、第１０、第１１及び第１３のシンボル（すなわち、スロット内のシンボルインデックス観点でシンボル＃０、＃４、＃６、＃７、＃９、＃１０、及び＃１２）はＰＳＢＣＨのためにマッピングされる。
【０１６８】
また他の例として（例えば、図１４Ｃの１４２２）、シンボル＃０乃至＃１２はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第１１、第１２及び第１３のシンボル（すなわち、スロット内のシンボルインデックス観点でシンボル＃１０、＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第７、第８、第９及び第１０のシンボル（すなわち、スロット内のシンボルインデックス観点でシンボル＃０、＃４、＃５、＃６、＃７、＃８、及び＃９）はＰＳＢＣＨのためにマッピングされる。
【０１６９】
また他の例として（例えば、図１４Ｃの１４２３）、シンボル＃０乃至＃１２はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第８、第９及び第１０のシンボル（すなわち、スロット内のシンボルインデックス観点でシンボル＃７、＃８、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第７、第１１、第１２及び第１３のシンボル（すなわち、スロット内のシンボルインデックス観点でシンボル＃０、＃４、＃５、＃６、＃１０、＃１１、及び＃１２）はＰＳＢＣＨのためにマッピングされる。
【０１７０】
また他の例として（例えば、図１４Ｃの１４２４）、シンボル＃０乃至＃１２はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第５、第８及び第１１のシンボル（すなわち、スロット内のシンボルインデックス観点でシンボル＃４、＃７、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第７、第９、第１０、第１２及び第１３のシンボル（すなわち、スロット内のシンボルインデックス観点でシンボル＃０、＃５、＃６、＃８、＃９、＃１１、及び＃１２）はＰＳＢＣＨのためにマッピングされる。
【０１７１】
また他の例として（例えば、図１４Ｄの１４３１）、シンボル＃０乃至＃１２はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第６及び第１０のシンボル（すなわち、スロット内のシンボルインデックス観点でシンボル＃５、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第５、第７、第８、第９、第１１、第１２及び第１３のシンボル（すなわち、スロット内のシンボルインデックス観点でシンボル＃０、＃３、＃４、＃６、＃７、＃８、＃１０、＃１１、及び＃１２）はＰＳＢＣＨのためにマッピングされる。
【０１７２】
また他の例として（例えば、図１４Ｄの１４３２）、シンボル＃０乃至＃１２はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第１２及び第１３のシンボル（すなわち、スロット内のシンボルインデックス観点でシンボル＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第５、第６、第７、第８、第９、第１０及び第１１のシンボル（すなわち、スロット内のシンボルインデックス観点でシンボル＃０、＃３、＃４、＃５、＃６、＃７、＃８、＃９、及び＃１０）はＰＳＢＣＨのためにマッピングされる。
【０１７３】
また他の例として（例えば、図１４Ｄの１４３３）、シンボル＃０乃至＃１２はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第８及び第９のシンボル（すなわち、スロット内のシンボルインデックス観点でシンボル＃７、及び＃８）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第５、第６、第７、第１０、第１１、第１２及び第１３のシンボル（すなわち、スロット内のシンボルインデックス観点でシンボル＃０、＃３、＃４、＃５、＃６、＃９、＃１０、＃１１、及び＃１２）はＰＳＢＣＨのためにマッピングされる。
【０１７４】
また他の例として（例えば、図１４Ｄの１４３４）、シンボル＃０乃至＃１２はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第４及び第９のシンボル（すなわち、スロット内のシンボルインデックス観点でシンボル＃３、及び＃８）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第７、第８、第１０、第１１、第１２及び第１３のシンボル（すなわち、スロット内のシンボルインデックス観点でシンボル＃０、＃４、＃５、＃６、＃７、＃９、＃１０、＃１１、及び＃１２）はＰＳＢＣＨのためにマッピングされる。
【０１７５】
また他の例として（例えば、図１４Ｄの１４３５）、シンボル＃０乃至＃１２はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第６及び第９のシンボル（すなわち、スロット内のシンボルインデックス観点でシンボル＃４、及び＃８）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第６、第７、第８、第１０、第１１、第１２及び第１３のシンボル（すなわち、スロット内のシンボルインデックス観点でシンボル＃０、＃３、＃５、＃６、＃７、＃９、＃１０、＃１１、及び＃１２）はＰＳＢＣＨのためにマッピングされる。
【０１７６】
また他の例として（例えば、図１４Ｄの１４３６）、シンボル＃０乃至＃１２はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第５及び第１０のシンボル（すなわち、スロット内のシンボルインデックス観点でシンボル＃４、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第６、第７、第８、第９、第１１、第１２及び第１３のシンボル（すなわち、スロット内のシンボルインデックス観点でシンボル＃０、＃３、＃５、＃６、＃７、＃８、＃１０、＃１１、及び＃１２）はＰＳＢＣＨのためにマッピングされる。
【０１７７】
また他の例として（例えば、図１４Ｅの１４４１）、シンボル＃０乃至＃１２はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第８、第９、第１０及び第１１のシンボル（すなわち、スロット内のシンボルインデックス観点でシンボル＃７、＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第７、第１２及び第１３のシンボル（すなわち、スロット内のシンボルインデックス観点でシンボル＃０、＃５、＃６、＃１１、及び＃１２）はＰＳＢＣＨのためにマッピングされる。
【０１７８】
また他の例として（例えば、図１４Ｅの１４４２）、シンボル＃０乃至＃１２はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第１０、第１１、第１２及び第１３のシンボル（すなわち、スロット内のシンボルインデックス観点でシンボル＃９、＃１０、＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第７、第８及び第９のシンボル（すなわち、スロット内のシンボルインデックス観点でシンボル＃０、＃５、＃６、＃７、及び＃８）はＰＳＢＣＨのためにマッピングされる。
【０１７９】
第１７の例として（例えば、図１４Ｅの１４４３）、シンボル＃０乃至＃１２はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第７、第９、第１１及び第１３のシンボル（すなわち、スロット内のシンボルインデックス観点でシンボル＃６、＃８、＃１０、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第８、第１０及び第１２のシンボル（すなわち、スロット内のシンボルインデックス観点でシンボル＃０、＃５、＃７、＃９、及び＃１１）はＰＳＢＣＨのためにマッピングされる。
【０１８０】
また他の例として（例えば、図１４Ｅの１４４４）、シンボル＃０乃至＃１２はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第６、第８、第１０及び第１２のシンボル（すなわち、スロット内のシンボルインデックス観点でシンボル＃５、＃７、＃９、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第７、第９、第１１及び第１３のシンボル（すなわち、スロット内のシンボルインデックス観点でシンボル＃０、＃６、＃８、＃１０、及び＃１２）はＰＳＢＣＨのためにマッピングされる。
【０１８１】
図１５Ａ、図１５Ｂ及び図１５Ｃは１４個のシンボルを有する一つのスロットが一つのＰＳＢＣＨブロック（ＳＳＢ）を含み、ＰＳＢＣＨブロックが１４個のシンボルを含み、スロット内のシンボルが他の目的のために予備されないこの実施形態の例を示す図面である。一つの考慮事項では、それぞれのＰＳＢＣＨブロックがＳ−ＰＳＳのための３個のシンボル、Ｓ−ＳＳＳ又はＳ−ＳＳＳとＰＳＢＣＨの多重化のための３個のシンボル、ＰＳＢＣＨのための８個のシンボルを含む。他の考慮事項では、それぞれのＰＳＢＣＨブロックがＳ−ＰＳＳのための２個のシンボル、Ｓ−ＳＳＳ又はＳ−ＳＳＳとＰＳＢＣＨの多重化のための２個のシンボル、ＰＳＢＣＨのための１０個のシンボルを含む。また他の考慮事項では、それぞれのＰＳＢＣＨブロックがＳ−ＰＳＳのための４個のシンボル、Ｓ−ＳＳＳ又はＳ−ＳＳＳとＰＳＢＣＨの多重化のための４個のシンボル、及びＰＳＢＣＨのための６個のシンボルを含む。
【０１８２】
一例として（例えば、図１５Ａの１５０１）、シンボル＃０乃至＃１３はスロット内のＳ−ＳＳＢのためにマッピングされ、ここで：Ｓ−ＳＳＢの第１、第２及び第３のシンボル（すなわち、スロット内のシンボルインデックス観点でシンボル＃０、＃１、及び＃２）はＳ−ＰＳＳのためにマッピングされ、Ｓ−ＳＳＢの第６、第９及び第１２のシンボル（すなわち、スロット内のシンボルインデックス観点でシンボル＃５、＃８、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第７、第８、第９、第１１及び第１３のシンボル（すなわち、スロット内のシンボルインデックス観点でシンボル＃３、＃４、＃６、＃７、＃９、＃１０、＃１２、及び＃１３）はＰＳＢＣＨのためにマッピングされる。
【０１８３】
他の例として（例えば、図１５Ａの１５０２）、シンボル＃０乃至＃１３はスロット内のＳ−ＳＳＢのためにマッピングされ、ここで：Ｓ−ＳＳＢの第１、第２及び第３のシンボル（すなわち、スロット内のシンボルインデックス観点でシンボル＃０、＃１、及び＃２）はＳ−ＰＳＳのためにマッピングされ、Ｓ−ＳＳＢの第１２、第１３及び第１４のシンボル（すなわち、スロット内のシンボルインデックス観点でシンボル＃１１、＃１２、及び＃１３）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第７、第８、第９、第１１、第１３及び第１４のシンボル（すなわち、スロット内のシンボルインデックス観点でシンボル＃３、＃４、＃６、＃７、＃９、＃１０、＃１２、及び＃１３）はＰＳＢＣＨのためにマッピングされる。
【０１８４】
第３の例として（例えば、図１５Ａの１５０３）、シンボル＃０乃至＃１３はスロット内のＳ−ＳＳＢのためにマッピングされ、ここで：Ｓ−ＳＳＢの第１、第２及び第３のシンボル（すなわち、スロット内のシンボルインデックス観点でシンボル＃０、＃１、及び＃２）はＳ−ＰＳＳのためにマッピングされ、Ｓ−ＳＳＢの第８、第９及び第１０のシンボル（すなわち、スロット内のシンボルインデックス観点でシンボル＃７、＃８、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第４、第５、第６、第７、第１１、第１２、第１３及び第１４のシンボル（すなわち、スロット内のシンボルインデックス観点でシンボル＃３、＃４、＃５、＃６、＃１０、＃１１、＃１２、及び＃１３）はＰＳＢＣＨのためにマッピングされる。
【０１８５】
また他の例として（例えば、図１５Ａの１５０４）、シンボル＃０乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第８、第９、第１０及び第１１のシンボル（すなわち、スロット内のシンボルインデックス観点でシンボル＃７、＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第７、第１２、第１３及び第１４のシンボル（すなわち、スロット内のシンボルインデックス観点でシンボル＃４、＃５、＃６、＃１１、＃１２、及び＃１３）はＰＳＢＣＨのためにマッピングされる。
【０１８６】
また他の例として（例えば、図１５Ａの１５０５）、シンボル＃０乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第１１、第１２、第１３及び第１４のシンボル（すなわち、スロット内のシンボルインデックス観点でシンボル＃１０、＃１１、＃１２、及び＃１３）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第７、第８、第９及び第１０のシンボル（すなわち、スロット内のシンボルインデックス観点でシンボル＃４、＃５、＃６、＃７、＃８、及び＃９）はＰＳＢＣＨのためにマッピングされる。
【０１８７】
また他の例として（例えば、図１５Ａの１５０６）、シンボル＃０乃至＃１３はスロット内のＳ−ＳＳＢのためにマッピングされ、ここで：Ｓ−ＳＳＢの第１、第２、第３及び第４のシンボル（すなわち、スロット内のシンボルインデックス観点でシンボル＃０、＃１、＃２、及び＃３）はＳ−ＰＳＳのためにマッピングされ、Ｓ−ＳＳＢの第７、第８、第１１及び第１２のシンボル（すなわち、スロット内のシンボルインデックス観点でシンボル＃６、＃７、＃１０、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第５、第６、第９、第１０、第１３及び第１４のシンボル（すなわち、スロット内のシンボルインデックス観点でシンボル＃４、＃５、＃８、＃９、＃１２、及び＃１３）はＰＳＢＣＨのためにマッピングされる。
【０１８８】
また他の例として（例えば、図１５Ｂの１５１１）、シンボル＃０乃至＃１３はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第７、第１０及び第１３のシンボル（すなわち、スロット内のシンボルインデックス観点でシンボル＃６、＃９、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第８、第９、第１１、第１２及び第１４のシンボル（すなわち、スロット内のシンボルインデックス観点でシンボル＃０、＃４、＃５、＃７、＃８、＃１０、＃１１、及び＃１３）はＰＳＢＣＨのためにマッピングされる。
【０１８９】
また他の例として（例えば、図１５Ｂの１５１２）、シンボル＃０乃至＃１３はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第１２、第１３及び第１４のシンボル（すなわち、スロット内のシンボルインデックス観点でシンボル＃１１、＃１２、及び＃１３）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第７、第８、第９、第１０及び第１１のシンボル（すなわち、スロット内のシンボルインデックス観点でシンボル＃０、＃４、＃５、＃６、＃７、＃８、＃９、及び＃１０）はＰＳＢＣＨのためにマッピングされる。
【０１９０】
また他の例として（例えば、図１５Ｂの１５１３）、シンボル＃０乃至＃１３はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第８、第９及び第１０のシンボル（すなわち、スロット内のシンボルインデックス観点でシンボル＃７、＃８、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第７、第１１、第１２、第１３及び第１４のシンボル（すなわち、スロット内のシンボルインデックス観点でシンボル＃０、＃４、＃５、＃６、＃１０、＃１１、＃１２、及び＃１３）はＰＳＢＣＨのためにマッピングされる。
【０１９１】
また他の例として（例えば、図１５Ｂの１５１４）、シンボル＃０乃至＃１３はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第９、第１０及び第１１のシンボル（すなわち、スロット内のシンボルインデックス観点でシンボル＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第７、第８、第１２、第１３及び第１４のシンボル（すなわち、スロット内のシンボルインデックス観点でシンボル＃０、＃４、＃５、＃６、＃７、＃１１、＃１２、及び＃１３）はＰＳＢＣＨのためにマッピングされる。
【０１９２】
また他の例として（例えば、図１５Ｃの１５２１）、シンボル＃０乃至＃１３はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第１１、第１２、第１３及び第１４のシンボル（すなわち、スロット内のシンボルインデックス観点でシンボル＃１０、＃１１、＃１２、及び＃１３）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第７、第８、第９、及び第１０のシンボル（すなわち、スロット内のシンボルインデックス観点でシンボル＃０、＃５、＃６、＃７、＃８、及び＃９）はＰＳＢＣＨのためにマッピングされる。
【０１９３】
また他の例として（例えば、図１５Ｃの１５２２）、シンボル＃０乃至＃１３はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第７、第８、第１１及び第１２のシンボル（すなわち、スロット内のシンボルインデックス観点でシンボル＃６、＃７、＃１０、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第９、第１０、第１３及び第１４のシンボル（すなわち、スロット内のシンボルインデックス観点でシンボル＃０、＃５、＃８、＃９、＃１２、及び＃１３）はＰＳＢＣＨのためにマッピングされる。
【０１９４】
また他の例として（例えば、図１５Ｃの１５２３）、シンボル＃０乃至＃１３はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第８、第９、第１０及び第１１のシンボル（すなわち、スロット内のシンボルインデックス観点でシンボル＃７、＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第７、第１２、第１３及び第１４のシンボル（すなわち、スロット内のシンボルインデックス観点でシンボル＃０、＃５、＃６、＃１１、＃１２、及び＃１３）はＰＳＢＣＨのためにマッピングされる。
【０１９５】
また他の例として（例えば、図１５Ｃの１５２４）、シンボル＃０乃至＃１３はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第９、第１０、第１１及び第１２のシンボル（すなわち、スロット内のシンボルインデックス観点でシンボル＃８、＃９、＃１０、及び＃１１）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第７、第８、第１３及び第１４のシンボル（すなわち、スロット内のシンボルインデックス観点でシンボル＃０、＃５、＃６、＃７、＃１２、及び＃１３）はＰＳＢＣＨのためにマッピングされる。
【０１９６】
また他の例として（例えば、図１５Ｃの１５２５）、シンボル＃０乃至＃１３はスロット内のＳ−ＳＳＢのためにマッピングされ、ここで：Ｓ−ＳＳＢの第２、第３、第４及び第５のシンボル（すなわち、スロット内のシンボルインデックス観点でシンボル＃１、＃２、＃３、及び＃４）はＳ−ＰＳＳのためにマッピングされ、Ｓ−ＳＳＢの第８、第９、第１２及び第１３のシンボル（すなわち、スロット内のシンボルインデックス観点でシンボル＃７、＃８、＃１１、及び＃１２）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第７、第１０、第１１及び第１４のシンボル（すなわち、スロット内のシンボルインデックス観点でシンボル＃０、＃５、＃６、＃９、＃１０、及び＃１３）はＰＳＢＣＨのためにマッピングされる。
【０１９７】
図１６Ａ及び図１６Ｂは、１２個のシンボル（例えば、拡張されたＣＰの場合）がある一つのスロットが一つのＰＳＢＣＨブロック（ＳＳＢ）を含み、ＰＳＢＣＨブロックが１１個のシンボルを含み、スロット内の一つのシンボル（例えば、最後のシンボル）が送−受信（ＴＸ／ＲＸ）スイッチギャップのような他の目的のために予備されるこの実施形態の例を示す図面である。一つの考慮事項では、それぞれのＰＳＢＣＨブロックがＳ−ＰＳＳのための３個のシンボル、Ｓ−ＳＳＳ又はＳ−ＳＳＳとＰＳＢＣＨの多重化のための３個のシンボル、及びＰＳＢＣＨのための５個のシンボルを含む。他の考慮事項では、それぞれのＰＳＢＣＨブロックがＳ−ＰＳＳのための２個のシンボル、Ｓ−ＳＳＳ又はＳ−ＳＳＳとＰＳＢＣＨの多重化のための２個のシンボル、及びＰＳＢＣＨのための７個のシンボルを含む。また他の考慮事項では、それぞれのＰＳＢＣＨブロックがＳ−ＰＳＳのための４個のシンボル、Ｓ−ＳＳＳ又はＳ−ＳＳＳとＰＳＢＣＨの多重化のための４個のシンボル、及びＰＳＢＣＨのための３個のシンボルを含む。
【０１９８】
一例として（例えば、図１６Ａの１６０１）、シンボル＃０乃至＃１０はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第６及び第１１のシンボル（すなわち、スロット内のシンボルインデックス観点でシンボル＃５、及び＃８）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第５、第７、第８、第１０及び第１１のシンボル（すなわち、スロット内のシンボルインデックス観点でシンボル＃０、＃３、＃４、＃６、＃７、＃９、及び＃１０）はＰＳＢＣＨのためにマッピングされる。
【０１９９】
他の例として（例えば、図１６Ａの１６０２）、シンボル＃０乃至＃１０はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第７及び第８のシンボル（すなわち、スロット内のシンボルインデックス観点でシンボル＃６、及び＃７）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第５、第６、第９、第１０及び第１１のシンボル（すなわち、スロット内のシンボルインデックス観点でシンボル＃０、＃３、＃４、＃５、＃８、＃９、及び＃１０）はＰＳＢＣＨのためにマッピングされる。
【０２００】
また他の例として（例えば、図１６Ａの１６０３）、シンボル＃０乃至＃１０はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第５及び第９のシンボル（すなわち、スロット内のシンボルインデックス観点でシンボル＃４、及び＃８）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第６、第７、第８、第１０及び第１１のシンボル（すなわち、スロット内のシンボルインデックス観点でシンボル＃０、＃３、＃５、＃６、＃７、＃９、及び＃１０）はＰＳＢＣＨのためにマッピングされる。
【０２０１】
また他の例として（例えば、図１６Ａの１６０４）、シンボル＃０乃至＃１０はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第５及び第８のシンボル（すなわち、スロット内のシンボルインデックス観点でシンボル＃４、及び＃７）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第６、第７、第９、第１０及び第１１のシンボル（すなわち、スロット内のシンボルインデックス観点でシンボル＃０、＃３、＃５、＃６、＃８、＃９、及び＃１０）はＰＳＢＣＨのためにマッピングされる。
【０２０２】
また他の例として（例えば、図１６Ａの１６０５）、シンボル＃０乃至＃１０はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第４及び第８のシンボル（すなわち、スロット内のシンボルインデックス観点でシンボル＃３、及び＃７）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第７、第９、第１０及び第１１のシンボル（すなわち、スロット内のシンボルインデックス観点でシンボル＃０、＃４、＃５、＃６、＃８、＃９、及び＃１０）はＰＳＢＣＨのためにマッピングされる。
【０２０３】
また他の例として（例えば、図１６Ａの１６０６）、シンボル＃０乃至＃１０はスロット内のＳ−ＳＳＢのためにマッピングされ、ここで：Ｓ−ＳＳＢの第２及び第３のシンボル（すなわち、スロット内のシンボルインデックス観点でシンボル＃１、及び＃２）はＳ−ＰＳＳのためにマッピングされ、Ｓ−ＳＳＢの第１０及び第１１のシンボル（すなわち、スロット内のシンボルインデックス観点でシンボル＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第４、第５、第６、第７、第８及び第９のシンボル（すなわち、スロット内のシンボルインデックス観点でシンボル＃０、＃３、＃４、＃５、＃６、＃７、及び＃８）はＰＳＢＣＨのためにマッピングされる。
【０２０４】
また他の例として（例えば、図１６Ｂの１６１１）、シンボル＃０乃至＃１０はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第６、第８及び第１０のシンボル（すなわち、スロット内のシンボルインデックス観点でシンボル＃５、＃７、及び＃９）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第７、第９及び第１１のシンボル（すなわち、スロット内のシンボルインデックス観点でシンボル＃０、＃４、＃６、＃８、及び＃１０はＰＳＢＣＨのためにマッピングされる。
【０２０５】
また他の例として（例えば、図１６Ｂの１６１２）、シンボル＃０乃至＃１０はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第５、第７及び第９のシンボル（すなわち、スロット内のシンボルインデックス観点でシンボル＃４、＃６、及び＃８）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第６、第８、第１０及び第１１のシンボル（すなわち、スロット内のシンボルインデックス観点でシンボル＃０、＃５、＃７、＃９、及び＃１０）はＰＳＢＣＨのためにマッピングされる。
【０２０６】
また他の例として（例えば、図１６Ｂの１６１３）、シンボル＃０乃至＃１０はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第７、第８及び第９のシンボル（すなわち、スロット内のシンボルインデックス観点でシンボル＃６、＃７、及び＃８）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第１０及び第１１のシンボル（すなわち、スロット内のシンボルインデックス観点でシンボル＃０、＃４、＃５、＃９、及び＃１０）はＰＳＢＣＨのためにマッピングされる。
【０２０７】
また他の例として（例えば、図１６Ｂの１６１４）、シンボル＃０乃至＃１０はスロット内のＳ−ＳＳＢのためにマッピングされ、ここで：Ｓ−ＳＳＢの第２、第３及び第４のシンボル（すなわち、スロット内のシンボルインデックス観点でシンボル＃１、＃２、及び＃３）はＳ−ＰＳＳのためにマッピングされ、Ｓ−ＳＳＢの第９、第１０及び第１１のシンボル（すなわち、スロット内のシンボルインデックス観点でシンボル＃８、＃９、及び＃１０）はＳ−ＳＳＳのためにマッピングされるか（Ｓ−ＳＳＢのＢＷが１２ＲＢ又は２４ＲＢの場合）、Ｓ−ＳＳＳとＰＳＢＣＨの多重化（Ｓ−ＳＳＢのＢＷが１２ＲＢより大きい場合、例えば、２０ＲＢ）のためにマッピングされ、Ｓ−ＳＳＢの第１、第５、第６、第７及び第８のシンボル（すなわち、スロット内のシンボルインデックス観点でシンボル＃０、＃４、＃５、＃６、及び＃７）はＰＳＢＣＨのためにマッピングされる。
【０２０８】
Ｓ−ＳＳＢバーストセットの時間ドメインマッピングのための第１接近方式で、Ｓ−ＳＳＢバーストセットを含む連続的なスロットはＳ−ＳＳＢバーストセットを送信する期間の開始のような、予め定義された位置からマッピングされることができる。
【０２０９】
図１７は、本開示の実施形態によるＳ−ＳＳＢバーストセット１７００の例示的な時間ドメインマッピングを示す図面である。図１７に示されたＳ−ＳＳＢバーストセット１７００の時間ドメインマッピングの実施形態はただ説明のためのことである。図１７は本開示の範囲を任意の特定具現で制限しない。
【０２１０】
この接近方式の一例として（例えば、図１７の１７０１）、Ｓ−ＳＳＢバーストセットを送信する周期がＮスロットであり、Ｓ−ＳＳＢバーストセットのデュレーションがＭスロットの場合、Ｓ−ＳＳＢバーストセットを含む連続的なスロットはＮスロットのすべての期間の第１スロットから開始されることができ、、例えば、バーストセットはスロット＃０、＃１，…、＃Ｍ−１にマッピングされる。
【０２１１】
Ｓ−ＳＳＢバーストセットの時間ドメインマッピングのための第２接近方式で、Ｓ−ＳＳＢバーストセットを含む連続的なスロットはＳ−ＳＳＢバーストセットを送信する期間内の任意のスロットから開始されてマッピングされることができる。この接近方式で、Ｓ−ＳＳＢバーストセットの開始位置（例えば、期間内のスロットインデックス）がＶ２Ｘ  ＵＥに表示されるか（例えば、同期化信号、又はＰＢＣＨコンテンツ、又はＰＢＣＨのＤＭＲＳ、又はこれらの組み合せを用いて）又はＶ２Ｘ  ＵＥに予め構成されることができる。
【０２１２】
この接近方式の一例として（例えば、図１７の１７０２）、Ｓ−ＳＳＢバーストセットを送信する周期がＮスロットであり、Ｓ−ＳＳＢバーストセットのデュレーションがＭスロットの場合、Ｓ−ＳＳＢバーストセットを含む連続的なスロットはＮスロット（例えば、スロット＃Ｓ、＃Ｓ＋１，…、＃Ｓ＋Ｍ−１）内の任意のスロットから開始されることができ、、その開始位置（例えば、スロットＳに対する情報）が同期化信号、又はＰＢＣＨコンテンツ、又はＰＢＣＨのＤＭＲＳ、又はこれらの組み合せを用いてＶ２Ｘ  ＵＥに表示されるか（例えば、スロットインデックス、又はＳＦＮ（Ｓｙｓｔｅｍ  Ｆｒａｍｅ  Ｎｕｍｂｅｒ）／ＤＦＮ（Ｄｉｒｅｃｔ  Ｆｒａｍｅ  Ｎｕｍｂｅｒ）と表示されたＳＦＮ／ＤＦＮ内のスロットインデックスの組み合せ形態で）、Ｖ２Ｘ  ＵＥに予め構成されることができる。
【０２１３】
この接近方式の他の例として、Ｓ−ＳＳＢバーストセットを送信する周期がＮスロットであり、Ｓ−ＳＳＢバーストセットのデュレーションがＭスロットの場合、Ｓ−ＳＳＢバーストセットを含む連続的なスロットが任意のフレーム境界から開始されることができ、、その開始位置（例えば、スロットＳに対する情報）が同期化信号、又はＰＢＣＨコンテンツ、又はＰＢＣＨのＤＭＲＳ、又はこれらの組み合せを用いてＶ２Ｘ  ＵＥに表示されるか（例えば、ＳＦＮ（Ｓｙｓｔｅｍ  Ｆｒａｍｅ  Ｎｕｍｂｅｒ）／ＤＦＮ（Ｄｉｒｅｃｔ  Ｆｒａｍｅ  Ｎｕｍｂｅｒ）の形態で）、Ｖ２Ｘ  ＵＥに予め構成されることができる。
【０２１４】
この接近方式のまた他の例として、Ｓ−ＳＳＢバーストセットを送信する周期がＮスロットであり、Ｓ−ＳＳＢバーストセットのデュレーションがＭスロットの場合、Ｓ−ＳＳＢバーストセットを含む連続的なスロットが任意のハーフフレーム境界から開始されることができ、その開始位置（例えば、スロットＳに対する情報）が同期化信号、又はＰＢＣＨコンテンツ、又はＰＢＣＨのＤＭＲＳ、又はこれらの組み合せを用いてＶ２Ｘ  ＵＥに表示されるか（例えば、ＳＦＮ（Ｓｙｓｔｅｍ  Ｆｒａｍｅ  Ｎｕｍｂｅｒ）／ＤＦＮ（Ｄｉｒｅｃｔ  Ｆｒａｍｅ  Ｎｕｍｂｅｒ）内のハーフフレームインデックス及びＳＦＮ／ＤＦＮの形態で）、Ｖ２Ｘ  ＵＥに予め構成されることができる。
【０２１５】
Ｓ−ＳＳＢバーストセットの時間ドメインマッピングに対する第３接近方式では、Ｓ−ＳＳＢバーストセットを含むスロットが非連続であれば良い。一つの下位接近方式では、Ｓ−ＳＳＢバーストセットのすべての送信が一つのスロットだけ有し、Ｓ−ＳＳＢバーストセットを含む多くのスロットがＳ−ＳＳＢバーストセット期間内に均一なインターバルを有することができる。
【０２１６】
この接近方式の第１例として（例えば、図１７の１７０３）、Ｓ−ＳＳＢバーストセットを送信する周期がＮスロットであり、Ｓ−ＳＳＢバーストセットのデュレーションがＭスロットの場合、Ｓ−ＳＳＢを含むスロットが全体期間デュレーション内に均一に分散されることができ、例えば、Ｓ−ＳＳＢを含むスロットが＃０、＃（Ｎ／Ｍ）、＃２＊（Ｎ／Ｍ）,…,＃（Ｍ−１）＊（Ｎ／Ｍ）である。
【０２１７】
この接近方式の第２例として（例えば、図１７の１７０４）、Ｓ−ＳＳＢバーストセットを送信する周期がＮスロットであり、Ｓ−ＳＳＢバーストセットのデュレーションがＭスロットの場合、Ｓ−ＳＳＢを含むスロットが期間デュレーションのサブセット内に均一に分散されることができ、例えば、Ｓ−ＳＳＢを含むスロットが＃０、＃（Ｎ／Ｋ）、＃２＊（Ｎ／Ｋ）,…,＃（Ｍ−１）＊（Ｎ／Ｋ）で、ここでＫは予め定義された値でＫ＞Ｍである。
【０２１８】
この接近方式の第３例として（例えば、図１７の１７０５）、Ｓ−ＳＳＢバーストセットを送信する周期がＮスロットであり、Ｓ−ＳＳＢバーストセットのデュレーションがＭスロットの場合、Ｓ−ＳＳＢを含むスロットが全体期間デュレーション内に均一に分散されることができ、開始スロットが任意に実行可能であり、Ｖ２Ｘ  ＵＥに表示されることができ、例えば、Ｓ−ＳＳＢを含むスロットは＃Ｘ、＃Ｘ＋(Ｎ／Ｍ）、＃Ｘ＋２＊（Ｎ／Ｍ）,…,＃Ｘ＋（Ｍ−１）＊（Ｎ／Ｍ）であり、ここでＸは開始位置で同期化信号、又はＰＢＣＨコンテンツ、又はＰＢＣＨのＤＭＲＳ、又はこれらの組み合せを用いてＶ２Ｘ  ＵＥに表示されるか（例えば、スロットインデックス、又はＳＦＮ／ＤＦＮと表示されたＳＦＮ／ＤＦＮ内のスロットインデックスの組み合せ形態で）、Ｖ２Ｘ  ＵＥに予め構成されることができる。
【０２１９】
この接近方式の第４例として（例えば、図１７の１７０６）、Ｓ−ＳＳＢバーストセットを送信する周期がＮスロットであり、Ｓ−ＳＳＢバーストセットのデュレーションがＭスロットの場合、Ｓ−ＳＳＢを含むスロットが期間デュレーションのサブセット内に均一に分散されることができ、開始スロットが任意に実行可能であり、Ｖ２Ｘ  ＵＥに表示されることができ、例えば、Ｓ−ＳＳＢを含むスロットは＃Ｘ、＃Ｘ＋（Ｎ／Ｋ）、＃Ｘ＋２＊（Ｎ／Ｋ），…，＃Ｘ＋（Ｍ−１）＊（Ｎ／Ｋ）であり、ここでＫは予め定義された値でＫ＞Ｍであり、Ｘは開始位置で同期化信号、又はＰＢＣＨコンテンツ、又はＰＢＣＨのＤＭＲＳ、又はこれらの組み合せを用いてＶ２Ｘ  ＵＥに表示されるか（例えば、スロットインデックス、又はＳＦＮ／ＤＦＮと表示されたＳＦＮ／ＤＦＮ内のスロットインデックスの組み合せ形態で）、Ｖ２Ｘ  ＵＥに予め構成されることができる。
一実施形態で、Ｓ−ＰＳＳシーケンスの設計は本開示の他の実施形態の例と組み合せることができる。
【０２２０】
一接近方式では、各シンボル内でＳ−ＰＳＳを構成するシーケンスの数が一つである（すなわち、Ｎ＿ＳＰＳＳ＝１）。この接近方式の一様態では、Ｓ−ＰＳＳを構成するシーケンスがサイドリンク同期化ＩＤに対する情報を伝達しない。この接近方式の他の様態では、サイドリンク同期化ＩＤセットが互いに異なる同期化ソースを示すために続いてグループに分割されることができ、ここで各グループの大きさは同一でないこともある。この接近方式の例では、３個のサイドリンク同期化ＩＤグループがそれぞれＧＮＳＳ、カバレッジ−内のＵＥ及びカバレッジ−外のＵＥを示すためのことであり、ここで各グループに対するＩＤの数は同一でないこともある。
【０２２１】
この接近方式の第１の例では、Ｓ−ＳＳＢ内にＳ−ＰＳＳのためにマッピングされた単一シンボルがある場合、Ｓ−ＰＳＳを構成する単一シーケンスがＮＲ−ＰＳＳを構成するシーケンスのうちの一つである（例えば、ＮＲ−ＰＳＳを構成する３個のシーケンスのうちの一つを選択）。
【０２２２】
この接近方式の第２の例では、Ｓ−ＳＳＢ内にＳ−ＰＳＳのためにマッピングされた単一シンボルがある場合、Ｓ−ＰＳＳを構成する単一シーケンスがＮＲ−ＰＳＳを構成するすべてのシーケンスに直交するか低い相互相関を有する。
【０２２３】
この接近方式の第３の例では、Ｓ−ＳＳＢ内にＳ−ＰＳＳのためにマッピングされた多くのシンボルがある場合、異なるシンボルでＳ−ＰＳＳを構成する単一シーケンスが異なり、Ｓ−ＰＳＳを構成するシーケンスはＮＲ−ＰＳＳを構成するシーケンスのセットからのことであるか又はセットのサブセットからのことである（例えば、ＮＲ−ＰＳＳを構成する３個のシーケンスのうちの２個又は３個選択）。
【０２２４】
この接近方式の第４の例では、Ｓ−ＳＳＢ内にＳ−ＰＳＳのためにマッピングされた多くのシンボルがある場合、異なるシンボルでＳ−ＰＳＳを構成する単一シーケンスが異なり、一つのシンボルでＳ−ＰＳＳを構成するシーケンスの一部がＮＲ−ＰＳＳを構成するシーケンスのセットからのことであるか、又はセットのサブセットからのことであり（例えば、ＮＲ−ＰＳＳを構成する３個のシーケンスの中で１個又は２個又は３個選択）、残りシーケンスはＮＲ−ＰＳＳを構成するシーケンスのサブセットからのシーケンスに直交するか低い相互相関を有する。
【０２２５】
この接近方式の第５の例では、Ｓ−ＳＳＢ内にＳ−ＰＳＳのためにマッピングされた多くのシンボルがある場合、異なるシンボルでＳ−ＰＳＳを構成する単一シーケンスが異なり、Ｓ−ＰＳＳを構成するシーケンスのいずれもＮＲ−ＰＳＳを構成するシーケンスのセットからのことではなく、すべてのシーケンスがＮＲ−ＰＳＳを構成するすべてのシーケンスに直交するかこれらに対して低い相互相関を有する。
【０２２６】
この接近方式の第６の例では、Ｓ−ＳＳＢ内にＳ−ＰＳＳのためにマッピングされた多くのシンボルがある場合、異なるシンボルでＳ−ＰＳＳを構成する単一シーケンスが同一であるが、Ｓ−ＰＳＳのためのシンボルに対して異なるパターンにマッピングされる。例えば、Ｓ−ＰＳＳを構成する単一シーケンスがＳ−ＰＳＳのためのシンボルの一部で周波数ドメインにおいて下位から上位にマッピングされ、Ｓ−ＰＳＳのための他のシンボルでは周波数ドメインにおいて上位から下位にマッピングされる。
【０２２７】
この接近方式の第７の例では、Ｓ−ＳＳＢ内にＳ−ＰＳＳのためにマッピングされた多くのシンボルがある場合、異なるシンボルでＳ−ＰＳＳを構成する単一シーケンスが同一であり、同一なパターンでＳ−ＰＳＳのためのシンボルにマッピングされる（例えば、Ｓ−ＰＳＳのためのシンボル（ＣＰ除外）が繰り返される）。
【０２２８】
この接近方式の第８の例では、Ｓ−ＳＳＢ内にＳ−ＰＳＳのためにマッピングされた多くのシンボルがある場合、Ｓ−ＰＳＳのための単一シーケンスが生成されてＳ−ＰＳＳのためのすべてのシンボルにマッピングされることができる。
【０２２９】
他の接近方式では、各シンボル内でＳ−ＰＳＳを構成するシーケンスの数が２個である（すなわち、Ｎ＿ＳＰＳＳ＝２）。この接近方式で、Ｓ−ＰＳＳを構成するシーケンスは２個のサイドリンク同期化ＩＤグループ内でグループインデックスを識別するのに用いられることができる。
【０２３０】
２個のグループに対する例として、同期化ソースがＮＲノード又はＬＴＥノードからのことであることで言及されることができる。２個のグループに対する他の例で、同期化ソースがｇＮＢ／ｅＮＢのカバレッジ内にあることで、又はそうではないことで言及されることができる。２個のグループに対するまた他の例として、同期化ソースがＮｏｄｅＢ又はＵＥであることで言及されることができる。２個のグループのまた他の例として、同期化ソースがｇＮＢ／ｅＮＢのカバレッジの内にあることで、又はＧＮＳＳの内にあることで、又はｇＮＢ／ｅＮＢのカバレッジの外にあることで言及されることができる。２個のグループのまた他の例として、同期化ソースがｇＮＢ／ｅＮＢのカバレッジの内にあることで、又はｇＮＢ／ｅＮＢカバレッジの外又はＧＮＳＳの外にあることで言及されることができる。
【０２３１】
各グループ内のサイドリンク同期化ＩＤ数に対する一例として、２個のグループの大きさが同一であれば良い（例えば、Ｓ−ＳＳＳシーケンス設計に容易である）。各グループ内のサイドリンク同期化ＩＤの数に対する他の例で、２個のグループの大きさが同一でないこともある（例えば、２個のグループのＩＤがｇＮＢ／ｅＮＢカバレッジの外及びｇＮＢ／ｅＮＢカバレッジの内を示す場合、各グループのＩＤ数は各グループのユースケースに係って同一でないこともある）。
【０２３２】
この接近方式の第１の例では、Ｓ−ＳＳＢ内にＳ−ＰＳＳのためにマッピングされた単一シンボルがある場合、Ｓ−ＰＳＳを構成するシーケンスのセットはＮＲ−ＰＳＳを構成するシーケンスのサブセットである（例えば、ＮＲ−ＰＳＳを構成する３個のシーケンスのうちの２個選択）。
【０２３３】
この接近方式の第２の例では、Ｓ−ＳＳＢ内にＳ−ＰＳＳのためにマッピングされた単一シンボルがある場合、Ｓ−ＰＳＳを構成するシーケンスのいずれもＮＲ−ＰＳＳを構成するシーケンスのセットからのことではなく、ＮＲ−ＰＳＳを構成するすべてのシーケンスに直交するか低い相互相関を有する。
【０２３４】
この接近方式の第３の例では、Ｓ−ＳＳＢ内にＳ−ＰＳＳのためにマッピングされた多くのシンボルがある場合、異なるシンボルでＳ−ＰＳＳを構成するシーケンスのセクドルが異なり、異なるシンボルでＳ−ＰＳＳを構成するシーケンスのセットがそのセットにわたって直交するか低い相互相関を有する。例えば、一部シンボルに対してＳ−ＰＳＳを構成する一つのシーケンスのセットがＮＲ−ＰＳＳを構成するシーケンスのサブセット（例えば、ＮＲ−ＰＳＳを構成する３個のシーケンスで２個選択）で、残りシーケンスのセットはＮＲ−ＰＳＳを構成するシーケンスのセットからのことではなく、ＮＲ−ＰＳＳを構成するシーケンスのセットに直交するか低い相互相関を有する。
【０２３５】
この接近方式の第４の例では、Ｓ−ＳＳＢ内にＳ−ＰＳＳのためにマッピングされた多くのシンボルがある場合、異なるシンボルでＳ−ＰＳＳを構成するシーケンスのセットが異なり、異なるシンボルでＳ−ＰＳＳを構成するシーケンスのセットがそのセットにわたって直交するか低い相互相関を有する。例えば、Ｓ−ＰＳＳを構成するシーケンスのうちのいずれもＮＲ−ＰＳＳを構成するシーケンスのセットからのことではなく、ＮＲ−ＰＳＳを構成するすべてのシーケンスに対して直交するか低い相互相関を有する。
【０２３６】
この接近方式の第５の例では、Ｓ−ＳＳＢ内にＳ−ＰＳＳのためにマッピングされた多くのシンボルがある場合、異なるシンボルでＳ−ＰＳＳを構成するシーケンスのセットが同一であるが、Ｓ−ＰＳＳのためのシンボルに対して異なるパターンにマッピングされる。例えば、Ｓ−ＰＳＳを構成するシーケンスがＳ−ＰＳＳのためのシンボルのうちの一つで周波数ドメインにおいて下位から上位にマッピングされ、Ｓ−ＰＳＳのための他のシンボルでは周波数ドメインにおいて上位から下位にマッピングされる。
【０２３７】
この接近方式の第６の例では、Ｓ−ＳＳＢ内にＳ−ＰＳＳのためにマッピングされた多くのシンボルがある場合、異なるシンボルでＳ−ＰＳＳを構成するシーケンスのセットが同一で、同一なパターンでＳ−ＰＳＳのためのシンボルにマッピングされる（例えば、Ｓ−ＰＳＳのためのシンボル（ＣＰ除外）が繰り返される）。
【０２３８】
この接近方式の第７の例では、Ｓ−ＳＳＢ内にＳ−ＰＳＳのためにマッピングされた多くのシンボルがある場合、Ｓ−ＰＳＳのための２個のシーケンスそれぞれが生成されてＳ−ＰＳＳのためのすべてのシンボルにマッピングされることができる。
【０２３９】
また他の接近方式では、各シンボル内でＳ−ＰＳＳを構成するシーケンスの数は３個である（すなわち、Ｎ＿ＳＰＳＳ＝３）。この接近方式で、Ｓ−ＰＳＳを構成するシーケンスはサイドリンク同期化ＩＤグループインデックスを識別するのに用いられることができる。
【０２４０】
３個のグループに対する例では、例えば、ＮＲ  ｇＮＢ、ＮＲ  ＵＥ又はＬＴＥ  ｅＮＢのような異なる類型の同期化ソースが考慮されることで言及されることができる。
【０２４１】
一例としては、各グループ内のサイドリンク同期化ＩＤの数が同一で（例えば、Ｓ−ＳＳＳシーケンス設計に容易である）、各グループは特定ユースケースを示す。他の例では、各グループ内のサイドリンク同期化ＩＤの数が同一で（例えば、Ｓ−ＳＳＳシーケンス設計に容易である）、２個のグループがユースケースを示す一方、他のグループは他のユースケースを示す（例えば、２個のグループがｇＮＢカバレッジの内のためのことで、１個のグループはｇＮＢカバレッジの外のためのことであるか、又は１個のグループがｇＮＢ／ｅＮＢカバレッジの内のためのことで、２個のグループはｇＮＢ／ｅＮＢカバレッジの外のためのことである）。また他の例では、各グループ内のサイドリンク同期化ＩＤの数が同じではない（例えば、３個のグループのＩＤが互いに異なるユースケースを示す場合、各グループのＩＤ数が各グループのユースケースに係って同一ではないこともある）。
【０２４２】
この接近方式の第１の例では、Ｓ−ＳＳＢ内にＳ−ＰＳＳのためにマッピングされた単一シンボルがある場合、Ｓ−ＰＳＳを構成するシーケンスのセットがＮＲ−ＰＳＳを構成するシーケンスのセットである（例えば、ＮＲ−ＰＳＳを構成する３個のシーケンス選択）。
【０２４３】
この接近方式の第２の例では、Ｓ−ＳＳＢ内にＳ−ＰＳＳのためにマッピングされた単一シンボルがある場合、Ｓ−ＰＳＳを構成するシーケンスのいずれもＮＲ−ＰＳＳを構成するシーケンスのセットからのことではなく、ＮＲ−ＰＳＳを構成するすべてのシーケンスに対して直交するか低い相互相関を有する。
【０２４４】
この接近方式の第３の例では、Ｓ−ＳＳＢ内にＳ−ＰＳＳのためにマッピングされた多くのシンボルがある場合、異なるシンボルでＳ−ＰＳＳを構成するシーケンスのセットが異なり、異なるシンボルでＳ−ＰＳＳを構成するシーケンスのセットがそのセットにわたって直交するか低い相互相関を有する。例えば、一部シンボルに対してＳ−ＰＳＳを構成する一つのシーケンスのセットがＮＲ−ＰＳＳを構成するシーケンスのセットからのことであり（例えば、ＮＲ−ＰＳＳを構成する３個のシーケンス選択）、残りシーケンスのセットはＮＲ−ＰＳＳを構成するシーケンスのセットからのことではなく、ＮＲ−ＰＳＳを構成するシーケンスのセットに対して直交するか低い相互相関を有する。
【０２４５】
この接近方式の第４の例では、Ｓ−ＳＳＢ内にＳ−ＰＳＳのためにマッピングされた多くのシンボルがある場合、異なるシンボルでＳ−ＰＳＳを構成するシーケンスのセットが異なり、異なるシンボルでＳ−ＰＳＳを構成するシーケンスのセットがそのセットにわたって直交するか低い相互相関を有する。例えば、Ｓ−ＰＳＳを構成するシーケンスのうちのでいずれもＮＲ−ＰＳＳを構成するシーケンスのセットからのことではなく、ＮＲ−ＰＳＳを構成するすべてのシーケンスに対して直交するか低い相互相関を有する。
【０２４６】
この接近方式の第５の例では、Ｓ−ＳＳＢ内にＳ−ＰＳＳのためにマッピングされた多くのシンボルがある場合、異なるシンボルでＳ−ＰＳＳを構成するシーケンスのセットが同一であるが、Ｓ−ＰＳＳのためのシンボルに対して異なるパターンにマッピングされる。例えば、Ｓ−ＰＳＳを構成するシーケンスがＳ−ＰＳＳのためのシンボルのうちの一つで周波数ドメインにおいて下位から上位にマッピングされ、Ｓ−ＰＳＳのための他のシンボルでは周波数ドメインにおいて上位から下位にマッピングされる。
【０２４７】
この接近方式の第６の例では、Ｓ−ＳＳＢ内にＳ−ＰＳＳのためにマッピングされた多くのシンボルがある場合、異なるシンボルでＳ−ＰＳＳを構成するシーケンスのセットが同一で、同一なパターンでＳ−ＰＳＳのためのシンボルにマッピングされる（例えば、Ｓ−ＰＳＳのためのシンボル（ＣＰ除外）が繰り返される）。
【０２４８】
この接近方式の第７の例では、Ｓ−ＳＳＢ内にＳ−ＰＳＳのためにマッピングされた多くのシンボルがある場合、Ｓ−ＰＳＳに対する３個のシーケンスそれぞれが生成されてＳ−ＰＳＳのためのすべてのシンボルにマッピングされることができる。
【０２４９】
Ｓ−ＰＳＳを構成するシーケンスの一部例が以下で詳細に説明され、ここでシーケンス設計はこの実施形態で前記の接近方式を反映する。同時に用いられる多くの例があり得る（例えば、Ｓ−ＰＳＳに対する一つのシンボルのためにマッピングされる一つの例と、Ｓ−ＰＳＳに対する他のシンボルのためにマッピングされる他の例）。
【０２５０】
一つの例のＩＩＩ−１で、Ｓ−ＰＳＳに対するシンボルのシーケンスｄ＿ＳＰＳＳ（ｎ）は長さが１２７であるＢＰＳＫ変調Ｍ−シーケンスによって定義され、ｄ＿ＳＰＳＳ（ｎ）＝１−２＊ｘ（ｍ）、ｍ＝（ｎ＋４３＊Ｎ＿ＧＩＤ＾ＳＬ）ｍｏｄ１２７、０≦ｎ＜１２７によって与えられ、ここでｘ（ｍ）は生成多項式ｇ（ｘ）＝ｘ＾７＋ｘ＾４＋１を有するＭ−シーケンスであり、すなわち、ｘ（ｉ＋７）＝（ｘ（ｉ＋４）＋ｘ（ｉ））ｍｏｄ２（ｉ＝０，１，…，１１９）であり、ｘ（ｍ）の初期条件はｘ（６：０）＝［１１１０１１０］によって与えられる。
【０２５１】
一様態で、シンボル内のＳ−ＰＳＳに対するシーケンスの数が１個である場合、ＳＬ同期化ＩＤグループインデックスＮ＿ＧＩＤ＾ＳＬ＝０である。
【０２５２】
他の様態で、シンボル内のＳ−ＰＳＳに対するシーケンスの数が２個である場合、ＳＬ同期化ＩＤグループインデックスＮ＿ＧＩＤ＾ＳＬは０又は１である。
【０２５３】
また他の様態で、シンボル内のＳ−ＰＳＳに対するシーケンスの数が３個である場合、ＳＬ同期化ＩＤグループインデックスＮ＿ＧＩＤ＾ＳＬは０又は１又は２である。
【０２５４】
ＩＩＩ−２の一例として、Ｓ−ＰＳＳに対するシンボルのシーケンスｄ＿ＳＰＳＳ（ｎ）は長さが１２７であるＢＰＳＫ変調Ｍ−シーケンスによって定義され、ｄ＿ＳＰＳＳ（ｎ）＝１−２＊ｘ（ｍ）、ｍ＝（ｎ＋４３＊Ｎ＿ＧＩＤ＾ＳＬ＋Ｋ＿１）ｍｏｄ１２７、０≦ｎ＜１２７によって与えられ、ここでｘ（ｍ）は生成多項式ｇ（ｘ）＝ｘ＾７＋ｘ＾４＋１を有するＭ−シーケンスであり、すなわち、ｘ（ｉ＋７）＝（ｘ（ｉ＋４）＋ｘ（ｉ））ｍｏｄ２（ｉ＝０，１，…，１１９）であり、ｘ（ｍ）の初期条件はｘ（６：０）＝［１１１０１１０］によって与えられ、Ｋ＿１は０、４３又は８６以外の予め定義された整数整数である。
【０２５５】
一様態で、シンボル内のＳ−ＰＳＳに対するシーケンスの数が１個である場合、ＳＬ同期化ＩＤグループインデックスＮ＿ＧＩＤ＾ＳＬ＝０である。
【０２５６】
また他の様態で、シンボル内のＳ−ＰＳＳに対するシーケンスの数が２個である場合、ＳＬ同期化ＩＤグループインデックスＮ＿ＧＩＤ＾ＳＬは０又は１である。
【０２５７】
また他の様態で、シンボル内のＳ−ＰＳＳに対するシーケンスの数が３個である場合、ＳＬ同期化ＩＤグループインデックスＮ＿ＧＩＤ＾ＳＬは０又は１又は２である。
【０２５８】
一つの下位例で、Ｓ−ＳＳＢ内に、Ｓ−ＰＳＳに対するシンボルのＳ−ＰＳＳに対するシーケンスがＳ−ＰＳＳに対する他のシンボルのＳ−ＰＳＳに対するシーケンスと異なる場合、Ｋ＿１は２個のシンボルに対して異なるように選択されることができ、例えば，Ｓ−ＰＳＳのための一つのシンボルに対してＫ＿１＝２１であり、Ｓ−ＰＳＳのための他のシンボルに対してＫ＿１＝６４であるか、又はＳ−ＰＳＳのための一つのシンボルに対してＫ＿１＝２２であり、Ｓ−ＰＳＳのための他のシンボルに対してＫ＿１＝６５である。
【０２５９】
図１８は、本開示の実施形態によるＳ−ＰＳＳシーケンス１８００の例示的なＰＡＰＲ値を示す図面である。図１８に示されたＳ−ＰＳＳシーケンス１８００のＰＡＰＲ値の実施形態はただ説明のためのことである。図１８は本開示の範囲を任意の特定具現で制限しない。
【０２６０】
他の下位例として、Ｋ＿１はＳ−ＰＳＳシーケンスのＰＡＰＲ値を最小化するように選択されることができ、例えば、Ｋ＿１＝６３である（例えば、図１８による）。
【０２６１】
また他の下位例で、Ｋ＿１はＮＲ−ＰＳＳに用いられるサイクリックシフトから（例えば、０、４３及び８６）最大距離を有するように選択されることができ、例えば、Ｋ＿１＝２１又はＫ＿１＝２２又はＫ＿１＝６４、 又はＫ＿１＝６５である。
【０２６２】
ＩＩＩ−３の例として、Ｓ−ＰＳＳに対するシンボルのシーケンスｄ＿ＳＰＳＳ（ｎ）は長さが１２７であるＢＰＳＫ変調Ｍ−シーケンスによって定義され、ｄ＿ＳＰＳＳ（ｎ）＝１−２＊ｘ（ｍ）、ｍ＝（ｎ＋Ｋ＿１）ｍｏｄ１２７、０≦ｎ＜１２７によって与えられ、ここでｘ（ｍ）は表３の例のうちの一つによって与えられる生成多項式があるＭ−シーケンスであり、例えば、ｇ（ｘ）＝ｘ＾７＋ｘ＋１又はｇ（ｘ）＝ｘ＾７＋ｘ＾３＋１であり、適切な初期条件を有し（例えば、ｘ（６：０）＝［１１１０１１０］又は［００００００１］）；Ｋ＿１はＳＬ同期化ＩＤグループインデックスＮ＿ＧＩＤ＾ＳＬによって変わることができる整数である。
【０２６３】
図１９は、本開示の実施形態によるＳ−ＰＳＳシーケンス１９００の他の例示的なＰＡＰＲ値を示す図面である。図１９に示されたＳ−ＰＳＳシーケンス１９００のＰＡＰＲ値の実施形態はただ説明のためのことである。図１９は本開示の範囲を任意の特定具現で制限しない。
【０２６４】
図２０は、本開示の実施形態によるＳ−ＰＳＳシーケンス２０００のまた他の例示的なＰＡＰＲ値を示す図面である。図２０に示されたＳ−ＰＳＳシーケンス２０００のＰＡＰＲ値の実施形態はただ説明のためのことである。図２０は本開示の範囲を任意の特定具現で制限しない。
【０２６５】
一様態で、シンボル内のＳ−ＰＳＳに対するシーケンスの数が１個である場合、ＳＬ同期化ＩＤグループインデックスＮ＿ＧＩＤ＾ＳＬ＝０である。すると、Ｋ＿１はこの様態に対して予め定義された定数整数となることができる。この様態に対する一つの考慮事項では、Ｋ＿１が０（単一シーケンスに対するサイクリックシフト無し）に選択されることができる。この様態に対する他の考慮事項では、Ｋ＿１がＳ−ＰＳＳシーケンスのＰＡＰＲ値を最小化するように選択されることができ、例えば、生成器がｇ（ｘ）＝ｘ＾７＋ｘ＋１を用いる場合、Ｋ＿１＝７２（例えば、図１９による）であるか、又は生成器がｇ（ｘ）＝ｘ＾７＋ｘ＾３＋１を用いる場合、Ｋ＿１＝１２３（例えば、図２０による）である。他の考慮事項では、Ｋ＿１がＮＲ−ＰＳＳに用いられるサイクリックシフト（例えば、０、４３及び８６）から最大距離を有するように選択されることができ、例えば、Ｋ＿１＝２１、又はＫ＿１＝２２、又はＫ＿１＝６４、又はＫ＿１＝６５である。
[３２１]
他の様態で、シンボル内のＳ−ＰＳＳに対するシーケンスの数が２個である場合、ＳＬ同期化ＩＤグループインデックスＮ＿ＧＩＤ＾ＳＬは０又は１である。すると、Ｋ＿１はＮ＿ＧＩＤ＾ＳＬの値によって、予め定義された２個の候補整数値のうちの一つを取る。この様態に対する一つの考慮事項では、Ｋ＿１がＳ−ＰＳＳシーケンスのＰＡＰＲ値を最小化するように選択されることができ、例えば、生成器がｇ（ｘ）＝ｘ＾７＋ｘ＋１を用いる場合、Ｎ＿ＧＩＤ＾ＳＬ＝０に対してＫ＿１＝７２であり、Ｎ＿ＧＩＤ＾ＳＬ＝１に対してＫ＿１＝１０２であるか（例えば、図１９による）、又は生成器がｇ（ｘ）＝ｘ＾７＋ｘ＾３＋１を用いる場合、Ｎ＿ＧＩＤ＾ＳＬ＝０に対してＫ＿１＝５５であり、Ｎ＿ＧＩＤ＾ＳＬ＝１に対してＫ＿１＝１２３である（例えば、図２０による）。他の考慮事項では、Ｋ＿１がＮＲ−ＰＳＳに用いられるサイクリックシフト（例えば、０、４３及び８６）から最大距離を有するように選択されることができ、例えば、Ｎ＿ＧＩＤ＾ＳＬ＝０に対してＫ＿１＝２１であり、Ｎ＿ＧＩＤ＾ＳＬ＝１に対してＫ＿１＝６５である。また他の考慮事項では、Ｋ＿１がＫ＿１＝Ｎ＿ＧＩＤ＾ＳＬ＊６４＋Ｋ＿２の形態であり、ここでＫ＿２は予め定義された整数で、例えば、Ｋ＿２＝０又はＫ＿２＝３２である。また他の考慮事項では、Ｋ＿１がＫ＿１＝Ｎ＿ＧＩＤ＾ＳＬ＊４３＋Ｋ＿２の形態であり、ここでＫ＿２は予め定義された整数で、例えば、Ｋ＿２＝０、又はＫ＿２＝２１、又はＫ＿２＝２２である。
【０２６６】
また他の様態で、シンボル内のＳ−ＰＳＳのためのシーケンスの数が３個である場合、ＳＬ同期化ＩＤグループインデックスＮ＿ＧＩＤ＾ＳＬは０又は１又は２である。この様態に対する一つの考慮事項では、Ｋ＿１がＳ−ＰＳＳシーケンスのＰＡＰＲ値を最小化するように選択されることができる。他の考慮事項では、Ｋ＿１がＫ＿１＝Ｎ＿ＧＩＤ＾ＳＬ＊４３＋Ｋ＿２の形態であり、ここでＫ＿２は予め定義された整数で、例えば、Ｋ＿２＝０、又はＫ＿２＝２１、又はＫ＿２＝２２である。
【０２６７】
一つの下位例として、Ｓ−ＳＳＢ内の、Ｓ−ＰＳＳに対するシンボルのＳ−ＰＳＳに対するシーケンスがＳ−ＰＳＳに対する他のシンボルのＳ−ＰＳＳに対するシーケンスと異なる場合、ｇ（ｘ）は２個のシンボルに対して異なるように選択されることができ、例えば、Ｓ−ＰＳＳのための一つのシンボルに対してｇ（ｘ）＝ｘ＾７＋ｘ＋１でＳ−ＰＳＳのための他のシンボルに対してｇ（ｘ）＝ｘ＾７＋ｘ＾３＋１である。
【０２６８】
【表３】
2021529496.tif 000005
【０２６９】
ＩＩＩ−４の例で、Ｓ−ＰＳＳに対するシンボルのシーケンスｄ＿ＳＰＳＳ（ｎ）は長さが２５５であるＢＰＳＫ変調Ｍ−シーケンスによって定義され、ｄ＿ＳＰＳＳ（ｎ）＝１−２＊ｘ（ｍ）、ｍ＝（ｎ＋Ｋ＿１＊Ｎ＿ＧＩＤ＾ＳＬ）ｍｏｄ２５５、０≦ｎ＜２５５によって与えられ、ここでｘ（ｍ）は表４の例のうちの一つによって与えられる生成多項式を有するＭ−シーケンスであり、例えば、ｇ（ｘ）＝ｘ＾８＋ｘ＾７＋ｘ＾６＋ｘ＋１であり、適切な初期条件（例えば、ｘ（７：０）＝［１０００００００］又は［０００００００１］）を有し；Ｋ＿１は予め定義された定数整数で、例えば、Ｎ＿ＳＰＳＳ＞１の場合、
【数１】
2021529496.tif 000006
であり、Ｎ＿ＳＰＳＳ＝１の場合、Ｋ＿１＝０である。この例はＳ−ＰＳＳを構成するシーケンスがＳ−ＰＳＳのためのすべてのシンボルにマッピングされる場合に適用される。
【０２７０】
一様態で、シンボル内のＳ−ＰＳＳに対するシーケンスの数が１個である場合、ＳＬ同期化ＩＤグループインデックスＮ＿ＧＩＤ＾ＳＬ＝０である。
【０２７１】
他の様態で、シンボル内のＳ−ＰＳＳに対するシーケンス数が２個である場合、ＳＬ同期化ＩＤグループインデックスＮ＿ＧＩＤ＾ＳＬは０又は１である。
【０２７２】
また他の様態で、シンボル内のＳ−ＰＳＳのためのシーケンスの数が３個である場合、ＳＬ同期化ＩＤグループインデックスＮ＿ＧＩＤ＾ＳＬは０又は１又は２である。
【０２７３】
【表４】
2021529496.tif 000007
【０２７４】
ＩＩＩ−５の一例として：Ｓ−ＰＳＳに対するシンボルのシーケンスｄ＿ＳＰＳＳ（ｎ）は長さが１２７であるＢＰＳＫ変調Ｍ−シーケンスによって定義され、ｄ＿ＳＰＳＳ（ｎ）＝１−２＊ｘ（ｍ）、ｍ＝（ｎ＋Ｋ＿１）ｍｏｄ１２７、０≦ｎ＜１２７によって与えられ、ここでｘ（ｍ）は生成多項式ｇ（ｘ）＝ｘ＾７＋ｘ＾４＋１を有するＭ−シーケンスであり、すなわち、ｘ（ｉ＋７）＝（ｘ（ｉ＋４）＋ｘ（ｉ））ｍｏｄ２（ｉ＝０，１，…，１１９）であり、ｘ（ｍ）の初期条件はｘ（６：０）＝［１１１０１１０］によって与えられ、Ｋ＿１は０、４３又は８６以外の整数で、ＳＬ同期化ＩＤグループインデックスＮ＿ＧＩＤ＾ＳＬによって変わることができる。
【０２７５】
一様態で、シンボル内のＳ−ＰＳＳに対するシーケンスの数が１個である場合、ＳＬ同期化ＩＤグループインデックスＮ＿ＧＩＤ＾ＳＬ＝０である。一つの考慮事項では、Ｋ＿１がＳ−ＰＳＳシーケンスのＰＡＰＲ値を最小化するように選択されることができ、例えば、Ｋ＿１＝６３である（例えば、図１８による）。他の考慮事項では、Ｋ＿１がＮＲ−ＰＳＳに用いられるサイクリックシフト（例えば、０、４３及び８６）から最大距離を有するように選択されることができ、例えば、Ｋ＿１＝２１、又はＫ＿１＝２２、又はＫ＿１＝６４、又はＫ＿１＝６５である。
【０２７６】
他の様態で、シンボル内のＳ−ＰＳＳに対するシーケンス数が２個である場合、ＳＬ同期化ＩＤグループインデックスＮ＿ＧＩＤ＾ＳＬは０又は１である。一つの考慮事項では、Ｋ＿１がＳ−ＰＳＳシーケンスのＰＡＰＲ値を最小化するように選択されることができ、例えば、Ｎ＿ＧＩＤ＾ＳＬ＝０に対してＫ＿１＝２０であり、Ｎ＿ＧＩＤ＾ＳＬ＝１に対してＫ＿１＝６３である（例えば、図１８による）。他の考慮事項では、Ｋ＿１がＮＲ−ＰＳＳに用いられるサイクリックシフト（例えば、０、４３及び８６）から最大距離を有するように選択されることができ、例えば、Ｎ＿ＧＩＤ＾ＳＬ＝０に対してＫ＿１＝２１、Ｎ＿ＧＩＤ＾ＳＬ＝１に対してＫ＿１＝６５であるか、又はＮ＿ＧＩＤ＾ＳＬ＝０に対してＫ＿１＝２２、Ｎ＿ＧＩＤ＾ＳＬ＝１に対してＫ＿１＝６４である。
【０２７７】
また他の様態で、シンボル内のＳ−ＰＳＳのためのシーケンスの数が３個である場合、ＳＬ同期化ＩＤグループインデックスＮ＿ＧＩＤ＾ＳＬは０又は１又は２である。一つの考慮事項では、Ｋ＿１がＳ−ＰＳＳシーケンスのＰＡＰＲ値を最小化するように選択されることができ、例えば、Ｎ＿ＧＩＤ＾ＳＬ＝０に対してＫ＿１＝２０、Ｎ＿ＧＩＤ＾ＳＬ＝１に対してＫ＿１＝６３、Ｎ＿ＧＩＤ＾ＳＬ＝２に対してＫ＿１＝１００である（例えば、図１８による）。他の考慮事項では、Ｋ＿１がＮＲ−ＰＳＳに用いられるサイクリックシフト（例えば、０、４３及び８６）から最大距離を有するように選択されることができ、例えば、Ｎ＿ＧＩＤ＾ＳＬ＝０に対してＫ＿１＝２１、Ｎ＿ＧＩＤ＾ＳＬ＝１に対してＫ＿１＝６５、Ｎ＿ＧＩＤ＾ＳＬ＝２に対してＫ＿１＝１０８であるか、又はＮ＿ＧＩＤ＾ＳＬ＝０に対してＫ＿１＝２２、Ｎ＿ＧＩＤ＾ＳＬ＝１に対してＫ＿１＝６４、Ｎ＿ＧＩＤ＾ＳＬ＝２に対してＫ＿１＝１０７である。
【０２７８】
一実施形態で、Ｓ−ＳＳＳシーケンスの設計は本開示の他の実施形態の例と組み合せされることができる。
【０２７９】
一接近方式で、各シンボル内のＳ−ＳＳＳを構成するシーケンスの数はサイドリンク同期化ＩＤの数と同一である(例えば、すべてのサイドリンク同期化ＩＤがＳ−ＳＳＳのためにマッピングされた各シンボル内のＳ−ＳＳＳに対する固有シーケンスにマッピングされる）。
【０２８０】
この接近方式の第１の例では、Ｓ−ＳＳＢ内にＳ−ＳＳＳのためにマッピングされた単一シンボルがある場合、Ｓ−ＳＳＳに対するシーケンスの数が１００８以下であれば、Ｓ−ＳＳＳを構成するシーケンスのセットがＮＲ−ＳＳＳを構成するシーケンスのサブセットである。
【０２８１】
この接近方式の第２の例では、Ｓ−ＳＳＢ内にＳ−ＳＳＳのためにマッピングされた単一シンボルがある場合、Ｓ−ＳＳＳを構成するシーケンスのセットが例えば、少なくとも一つの異なるＭ−シーケンス生成多項式及び／又はサイクリックシフトを用い、ＮＲ−ＳＳＳを構成するシーケンスのセットと異なる。
【０２８２】
この接近方式の第３の例では、Ｓ−ＳＳＢ内にＳ−ＳＳＳのためにマッピングされた多くのシンボルがある場合、異なるシンボルでＳ−ＳＳＳを構成するシーケンスが同一であれば良く、Ｓ−ＳＳＳのためのシンボルに対して異なるパターンにマッピングされることができる。例えば、Ｓ−ＳＳＳを構成するシーケンスがＳ−ＳＳＳのためのシンボルのうちの一つで周波数ドメインにおいて下位から上位にマッピングされ、Ｓ−ＳＳＳのための他のシンボルでは周波数ドメインにおいて上位から下位にマッピングされる。
【０２８３】
この接近方式の第４の例では、Ｓ−ＳＳＢ内にＳ−ＳＳＳのためにマッピングされた多くのシンボルがある場合、異なるシンボルでＳ−ＳＳＳを構成するシーケンスが同一であれば良く、同一なパターンでＳ−ＳＳＳのためのシンボルにマッピングされることができる（例えば、Ｓ−ＳＳＳのためのシンボル（ＣＰ除外）が繰り返される）。
【０２８４】
この接近方式の第５の例では、Ｓ−ＳＳＢ内にＳ−ＳＳＳのためにマッピングされた多くのシンボルがある場合、一つのシンボルでＳ−ＳＳＳを構成するシーケンスが他のシンボルでＳ−ＳＳＳを構成するシーケンスと異なることができ、同一なパターン（例えば、時間−周波数ドメインマッピング手順）でＳ−ＳＳＳのためのシンボルにマッピングされることができ、ここで各シンボルのシーケンスはこの接近方式の第１又は第２の例のシーケンスを用いることができる。例えば、異なるシンボルで互いに異なるシーケンスのセットを達成する一つ方法はカバーコード（ｃｏｖｅｒ  ｃｏｄｅ）を用いることで（すなわち、一つのシンボルでＳ−ＳＳＳを構成するシーケンスがカバーコードがある他のシンボルでＳ−ＳＳＳを構成するシーケンスであれば良い）、異なるシンボルで互いに異なるシーケンスのセットを達成する他の方法は異なる生成多項式及び／又は異なるサイクリックシフトを用いることである。
【０２８５】
この接近方式の第６の例は、Ｓ−ＳＳＢ内にＳ−ＳＳＳのためにマッピングされた多くのシンボルがある場合、一つのシンボルでＳ−ＳＳＳを構成するシーケンスが他のシンボルでＳ−ＳＳＳを構成するシーケンスと異なることができ、Ｓ−ＳＳＳのためのシンボルに対して異なるパターンにマッピングされることができ、ここで各シンボルのシーケンスはこの接近方式の第１又は第２の例のシーケンスを用いることができる。例えば、Ｓ−ＳＳＳを構成するシーケンスはＳ−ＳＳＳのための一部シンボルで周波数ドメインにおいて下位から上位にマッピングされ、Ｓ−ＳＳＳのための他のシンボルでは周波数ドメインにおいて上位から下位にマッピングされる。例えば、異なるシンボルで互いに異なるシーケンスのセットを達成する一つ方法はカバーコードを用いることで（すなわち、一つのシンボルでＳ−ＳＳＳを構成するシーケンスがカバーコードがある他のシンボルでＳ−ＳＳＳを構成するシーケンスであれば良い）、異なるシンボルで互いに異なるシーケンスのセットを達成する他の方法は異なる生成多項式及び／又は異なるサイクリックシフトを用いることである。
【０２８６】
この接近方式の第７の例では、Ｓ−ＳＳＢ内にＳ−ＳＳＳのためにマッピングされた多くのシンボルがある場合、Ｓ−ＳＳＳに対する各シーケンスが生成されてＳ−ＳＳＳのためのすべてのシンボルにマッピングされることができる。
【０２８７】
Ｓ−ＳＳＳを構成するシーケンスの一部例が以下で詳細に説明され、ここでシーケンス設計はこの実施形態で前記の接近方式を反映する。同時に用いられる多くの例があり得る（例えば、Ｓ−ＳＳＳに対する一つのシンボルのためにマッピングされる一つの例と、Ｓ−ＳＳＳに対する他のシンボルのためにマッピングされる他の例）。
【０２８８】
ＩＶ−１の例で、構成方法はＮＲ−ＳＳＳと同一で、したがって、Ｓ−ＳＳＳセットはＮＲ−ＳＳＳセットと同一なサブセットとなる。例えば、Ｓ−ＳＳＳに対するシンボルのシーケンスｄ＿ＳＳＳＳ（ｎ）は長さが１２７であるＢＰＳＫ変調ゴールド−シーケンスと定義され、
【数２】
2021529496.tif 000008
によって与えられ、ここでｘ＿０（ｎ＿０）は生成多項式ｇ＿０（ｘ）＝ｘ＾７＋ｘ＾４＋１を有するＭ−シーケンスであり、すなわち、ｘ＿０（ｉ＋７）＝（ｘ＿０（ｉ＋４）＋ｘ＿０（ｉ））ｍｏｄ２（ｉ＝０、１，…，１１９）であり、ｘ＿０（ｎ＿０）の初期条件はｘ＿０（６：０）＝［００００００１］によって与えられて；ｘ＿１（ｎ＿１）は生成多項式ｇ＿１（ｘ）＝ｘ＾７＋ｘ＋１を有するＭ−シーケンスであり、すなわち、ｘ＿１（ｉ＋７）＝（ｘ＿１（ｉ）＋ｘ＿１（ｉ））ｍｏｄ２（ｉ＝０，１，…，１１９）であり、ｘ＿１（ｎ＿１）の初期条件はｘ＿１（６：０）＝［００００００１］によって与えられて；また、Ｎ＿ＩＤｉｎＧ＾ＳＬはグループ内のＳＬ同期化ＩＤインデックスであり、Ｎ＿ＩＤ＾ＳＬ＝Ｎ＿ＳＰＳＳ＊Ｎ＿ＩＤｉｎＧ＾ＳＬ＋Ｎ＿ＧＩＤ＾ＳＬである。一つの考慮事項で、この例はＳ−ＳＳＳのためのシンボルのうちの一つでＳ−ＳＳＳを構成するシーケンスがＮＲ−ＳＳＳを構成するシーケンスのサブセットの場合に適用される。
【０２８９】
一例として、Ｎ＿ＳＰＳＳ＝１であり、Ｎ＿ＧＩＤ＾ＳＬ＝０であり、Ｎ＿ＩＤｉｎＧ＾ＳＬはＮ＿ＩＤ＾ＳＬと同一である。
【０２９０】
他の例で、Ｎ＿ＳＰＳＳ＝２の場合、Ｎ＿ＧＩＤ＾ＳＬ＝０又は１である。
【０２９１】
ＩＶ−２の例で、Ｓ−ＳＳＳのためのシンボルのシーケンスｄ＿ＳＳＳＳ（ｎ）は長さが１２７であるＢＰＳＫ変調ゴールド−シーケンスによって定義され、
【数３】
2021529496.tif 000009
によって与えられ、ここでｘ＿０（ｎ＿０）は生成多項式ｇ＿０（ｘ）＝ｘ＾７＋ｘ＾４＋１を有するＭ−シーケンスであり、すなわちｘ＿０（ｉ＋７）＝（ｘ＿０（ｉ＋４）＋ｘ＿０（ｉ））ｍｏｄ２（ｉ＝０，１，…，１１９）であり、ｘ＿０（ｎ＿０）の初期条件はｘ＿０（６：０）＝［００００００１］によって与えられて；また、ｘ＿１（ｎ＿１）は生成多項式ｇ＿１（ｘ）＝ｘ＾７＋ｘ＋１を有するＭ−シーケンスであり、すなわちｘ＿１（ｉ＋７）＝（ｘ＿１（ｉ）＋ｘ＿１（ｉ））ｍｏｄ２（ｉ＝０，１，…，１１９）であり、ｘ＿１（ｎ＿１）の初期条件はｘ＿１（６：０）＝［００００００１］によって与えられて；また、Ｎ＿ＩＤｉｎＧ＾ＳＬはグループ内のＳＬ同期化ＩＤインデックスであり、Ｎ＿ＩＤ＾ＳＬ＝Ｎ＿ＳＰＳＳ＊Ｎ＿ＩＤｉｎＧ＾ＳＬ＋Ｎ＿ＧＩＤ＾ＳＬであり；Ｋ＿２、Ｋ＿３及びＫ＿４は予め定義された整数である。
【０２９２】
一例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが３３６の場合、Ｋ＿２＝１５、Ｋ＿３＝１１２、Ｋ＿４＝０である。
【０２９３】
他の例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが３３６の場合、Ｋ＿２＝４５、Ｋ＿３＝１１２、Ｋ＿４＝０である。
【０２９４】
また他の例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが５０４の場合、Ｋ＿２＝１５、Ｋ＿３＝１１２、Ｋ＿４＝０である。
【０２９５】
また他の例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが５０４の場合、Ｋ＿２＝４５、Ｋ＿３＝１１２、Ｋ＿４＝０である。
【０２９６】
また他の例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが６７２の場合、Ｋ＿２＝１５、Ｋ＿３＝１１２、Ｋ＿４＝０である。
【０２９７】
また他の例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが１００８の場合、Ｋ＿２＝１５、Ｋ＿３＝１２６、Ｋ＿４＝０である。
【０２９８】
また他の特定例で、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが１００８の場合、Ｋ＿２＝１５、Ｋ＿３＝１１２、Ｋ＿４＝０である。
【０２９９】
また他の例として、Ｎ＿ＳＰＳＳ＝２、Ｎ＿ＧＩＤ＾ＳＬ＝０又は１であるとき、Ｎ＿ＮＩＤ＾ＳＬが６７２の場合、Ｋ＿２＝１５、Ｋ＿３＝１１２、Ｋ＿４＝５である。
【０３００】
また他の例として、Ｎ＿ＳＰＳＳ＝２、Ｎ＿ＧＩＤ＾ＳＬ＝０又は１であるとき、Ｎ＿ＮＩＤ＾ＳＬが３３６の場合、Ｋ＿２＝１５、Ｋ＿３＝８４、Ｋ＿４＝５である。
【０３０１】
また他の例として、Ｎ＿ＳＰＳＳ＝２、Ｎ＿ＧＩＤ＾ＳＬ＝０又は１であるとき、Ｎ＿ＮＩＤ＾ＳＬが３３６の場合、Ｋ＿２＝１５、Ｋ＿３＝５６、Ｋ＿４＝５である。
【０３０２】
また他の例として、Ｎ＿ＳＰＳＳ＝３、Ｎ＿ＧＩＤ＾ＳＬ＝０又は１又は２であるとき、Ｎ＿ＮＩＤ＾ＳＬが６７２の場合、Ｋ＿２＝１５、Ｋ＿３＝１１２、Ｋ＿４＝５である。
【０３０３】
また他の例として、Ｎ＿ＳＰＳＳ＝３、Ｎ＿ＧＩＤ＾ＳＬ＝０又は１又は２であるとき、Ｎ＿ＮＩＤ＾ＳＬが６７２の場合、Ｋ＿２＝１５、Ｋ＿３＝７５、Ｋ＿４＝５である。
【０３０４】
また他の例として、Ｎ＿ＳＰＳＳ＝３、Ｎ＿ＧＩＤ＾ＳＬ＝０又は１又は２であるとき、Ｎ＿ＮＩＤ＾ＳＬが３３６の場合、Ｋ＿２＝１５、Ｋ＿３＝１１２、Ｋ＿４＝５である。
【０３０５】
ＩＶ−３の例で、Ｓ−ＳＳＳのためのシンボルのシーケンスｄ＿ＳＳＳＳ（ｎ）は長さが１２７であるＢＰＳＫ変調ゴールド−シーケンスによって定義され、
【数４】
2021529496.tif 000010
によって与えられ、ここでｘ＿０（ｎ＿０及びｘ＿１（ｎ＿１）は２個の長さ−１２７Ｍ−シーケンスとして、そのそれぞれは表３で選択された生成多項式（例えば、一つは生成多項式ｇ＿０（ｘ）＝ｘ＾７＋ｘ＾６＋１を行われて他の一つは生成多項式ｇ＿１（ｘ）＝ｘ＾７＋ｘ＾３＋１を行い）及び適切な初期条件（例えば、ｘ＿０（６：０）＝ｘ＿１（６：０）＝［００００００１］）を有し；また、Ｎ＿ＩＤｉｎＧ＾ＳＬはグループ内のＳＬ同期化ＩＤインデックスであり、Ｎ＿ＩＤ＾ＳＬ＝Ｎ＿ＳＰＳＳ＊Ｎ＿ＩＤｉｎＧ＾ＳＬ＋Ｎ＿ＧＩＤ＾ＳＬであり；また、Ｋ＿２、Ｋ＿３及びＫ＿４は予め定義された整数である。
【０３０６】
一例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが３３６、又は５０４、又は６７２の場合、Ｋ＿２＝１５、Ｋ＿３＝１１２、Ｋ＿４＝０である。
【０３０７】
他の例として、Ｎ＿ＳＰＳＳ＝２、Ｎ＿ＧＩＤ＾ＳＬ＝０又は１であるとき、Ｎ＿ＮＩＤ＾ＳＬが６７２の場合、Ｋ＿２＝１５、Ｋ＿３＝１１２、Ｋ＿４＝５である。
【０３０８】
また他の例として、Ｎ＿ＳＰＳＳ＝２、Ｎ＿ＧＩＤ＾ＳＬ＝０又は１であるとき、Ｎ＿ＮＩＤ＾ＳＬが３３６の場合、Ｋ＿２＝１５、Ｋ＿３＝８４、Ｋ＿４＝５である。
【０３０９】
また他の例として、Ｎ＿ＳＰＳＳ＝２、Ｎ＿ＧＩＤ＾ＳＬ＝０又は１であるとき、Ｎ＿ＮＩＤ＾ＳＬが３３６の場合、Ｋ＿２＝１５、Ｋ＿３＝５６、Ｋ＿４＝５である。
【０３１０】
また他の特定例で、Ｎ＿ＳＰＳＳ＝３、Ｎ＿ＧＩＤ＾ＳＬ＝０又は１又は２であるとき、Ｎ＿ＮＩＤ＾ＳＬが６７２の場合、Ｋ＿２＝１５、Ｋ＿３＝１１２、Ｋ＿４＝５である。
【０３１１】
また他の例として、Ｎ＿ＳＰＳＳ＝３、Ｎ＿ＧＩＤ＾ＳＬ＝０又は１又は２であるとき、Ｎ＿ＮＩＤ＾ＳＬが６７２の場合、Ｋ＿２＝１５、Ｋ＿３＝７５、Ｋ＿４＝５である。
【０３１２】
また他の例として、Ｎ＿ＳＰＳＳ＝３、Ｎ＿ＧＩＤ＾ＳＬ＝０又は１又は２であるとき、Ｎ＿ＮＩＤ＾ＳＬが３３６の場合、Ｋ＿２＝１５、Ｋ＿３＝１１２、Ｋ＿４＝５である。
【０３１３】
ＩＶ−４の例で、Ｓ−ＳＳＳのためのシンボルのシーケンスｄ＿ＳＳＳＳ（ｎ）は長さが２５５であるＢＰＳＫ変調ゴールド−シーケンスによって定義され、
【数５】
2021529496.tif 000011
によって与えられ、ここでｘ＿０（ｎ＿０及びｘ＿１（ｎ＿１）は２つの長さ−２５５Ｍ−シーケンスとして、そのそれぞれは表４で選択された生成多項式（例えば、一つは生成多項式ｇ＿０（ｘ）＝ｘ＾８＋ｘ＾７＋ｘ＾６＋ｘ＋１を有して他の一つは生成多項式ｇ＿１（ｘ）＝ｘ＾８＋ｘ＾７＋ｘ＾２＋ｘ＋１を有し）及び適切な初期条件（例えば、ｘ＿０（７：０）＝ｘ＿１（７：０）＝［０００００００１］又は［１０００００００］）を有し；また、Ｎ＿ＩＤｉｎＧ＾ＳＬはグループ内のＳＬ同期化ＩＤインデックスであり、Ｎ＿ＩＤ＾ＳＬ＝Ｎ＿ＳＰＳＳ＊Ｎ＿ＩＤｉｎＧ＾ＳＬ＋Ｎ＿ＧＩＤ＾ＳＬであり；また、Ｋ＿２、Ｋ＿３及びＫ＿４は予め定義された整数である。一つの考慮事項で、この例はＳ−ＳＳＳを構成するシーケンスがＳ−ＳＳＳのためのすべてのシンボルにマッピングされる場合に適用されることができる。
【０３１４】
一例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが３３６、又は５０４、又は６７２の場合、Ｋ＿２＝３０、Ｋ＿３＝２２４、Ｋ＿４＝０である。
【０３１５】
他の例として、Ｎ＿ＳＰＳＳ＝２、Ｎ＿ＧＩＤ＾ＳＬ＝０又は１であるとき、Ｎ＿ＮＩＤ＾ＳＬが６７２の場合、Ｋ＿２＝３０、Ｋ＿３＝２２４、Ｋ＿４＝１０である。
【０３１６】
また他の例として、Ｎ＿ＳＰＳＳ＝２、Ｎ＿ＧＩＤ＾ＳＬ＝０又は１であるとき、Ｎ＿ＮＩＤ＾ＳＬが３３６の場合、Ｋ＿２＝３０、Ｋ＿３＝１６８、Ｋ＿４＝１０である。
【０３１７】
また他の例として、Ｎ＿ＳＰＳＳ＝３、Ｎ＿ＧＩＤ＾ＳＬ＝０又は１又は２であるとき、Ｎ＿ＮＩＤ＾ＳＬが６７２の場合、Ｋ＿２＝３０、Ｋ＿３＝２２４、Ｋ＿４＝１０である。
【０３１８】
また他の例として、Ｎ＿ＳＰＳＳ＝３、Ｎ＿ＧＩＤ＾ＳＬ＝０又は１又は２であるとき、Ｎ＿ＮＩＤ＾ＳＬが３３６の場合、Ｋ＿２＝３０、Ｋ＿３＝１１２、Ｋ＿４＝１０である。
【０３１９】
ＩＶ−５の例で、Ｓ−ＳＳＳのためのシンボルのシーケンスｄ＿ＳＳＳＳ（ｎ）は長さが１２７であるＢＰＳＫ変調ゴールド−シーケンスによって定義され、
【数６】
2021529496.tif 000012
によって与えられ、ここでｘ＿０（ｎ＿０）は生成多項式ｇ＿０（ｘ）＝ｘ＾７＋ｘ＾４＋１を有するＭ−シーケンスであり、すなわちｘ＿０（ｉ＋７）＝（ｘ＿０（ｉ＋４）＋ｘ＿０（ｉ））ｍｏｄ２（ｉ＝０，１，…，１１９）であり、ｘ＿０（ｎ＿０）の初期条件はｘ＿０（６：０）＝［００００００１］によって与えられて；ｘ＿１（ｎ＿１）は生成多項式ｇ＿１（ｘ）＝ｘ＾７＋ｘ＋１を有するＭ−シーケンスであり、すなわち、ｘ＿１（ｉ＋７）＝（ｘ＿１（ｉ）＋ｘ＿１（ｉ））ｍｏｄ２（ｉ＝０，１，…，１１９）であり、ｘ＿１（ｎ＿１）の初期条件はｘ＿１（６：０）＝［００００００１］によって与えられて；また、Ｎ＿ＩＤｉｎＧ＾ＳＬはグループ内のＳＬ同期化ＩＤインデックスであり、Ｎ＿ＩＤ＾ＳＬ＝（Ｎ＿ＳＰＳＳ＊Ｎ＿ＩＤｉｎＧ＾ＳＬ＋Ｎ＿ＧＩＤ＾ＳＬ）／Ｋ＿５であり；Ｋ＿２、Ｋ＿３、Ｋ＿４及びＫ＿５は予め定義された整数である。
【０３２０】
一例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが３３６の場合、Ｋ＿２＝１５、Ｋ＿３＝１１２、Ｋ＿４＝０、Ｋ＿５＝３である。
【０３２１】
他の例として、Ｎ＿ＳＰＳＳ＝３、Ｎ＿ＧＩＤ＾ＳＬ＝０又は１又は２であるとき、Ｎ＿ＮＩＤ＾ＳＬが３３６の場合、Ｋ＿２＝１５、Ｋ＿３＝１１２、Ｋ＿４＝０、Ｋ＿５＝３である。
【０３２２】
また他の例として、Ｎ＿ＳＰＳＳ＝１、Ｎ＿ＧＩＤ＾ＳＬ＝０、Ｎ＿ＩＤｉｎＧ＾ＳＬがＮ＿ＩＤ＾ＳＬと同一であるとき、Ｎ＿ＮＩＤ＾ＳＬが５０４の場合、Ｋ＿２＝１５、Ｋ＿３＝１１２、Ｋ＿４＝０、Ｋ＿５＝２である。
【０３２３】
また他の例として、Ｎ＿ＳＰＳＳ＝２、Ｎ＿ＧＩＤ＾ＳＬ＝０又は１であるとき、Ｎ＿ＮＩＤ＾ＳＬが５０４の場合、Ｋ＿２＝１５、Ｋ＿３＝１１２、Ｋ＿４＝０、Ｋ＿５＝２である。
【０３２４】
ＩＶ−６の例で、構成方法はＮＲ−ＳＳＳと同一で、したがって、Ｓ−ＳＳＳセットはＮＲ−ＳＳＳセットと同一なサブセットである。例えば、Ｓ−ＳＳＳのためのシンボルのシーケンスｄ＿ＳＳＳＳ（ｎ）は長さが１２７であるＢＰＳＫ変調ゴールド−シーケンスによって定義され、
【数７】
2021529496.tif 000013
によって与えられ、ここでｘ＿０（ｎ＿０）は生成多項式ｇ＿０（ｘ）＝ｘ＾７＋ｘ＾４＋１を有するＭ−シーケンスであり、すなわち、ｘ＿０（ｉ＋７）＝（ｘ＿０（ｉ＋４）＋ｘ＿０（ｉ））ｍｏｄ２（ｉ＝０，１，…，１１９）であり、ｘ＿０（ｎ＿０）の初期条件はｘ＿０（６：０）＝［００００００１］によって与えられて；また、ｘ＿１（ｎ＿１）は生成多項式ｇ＿１（ｘ）＝ｘ＾７＋ｘ＋１を有するＭ−シーケンスであり、すなわちｘ＿１（ｉ＋７）＝（ｘ＿１（ｉ）＋ｘ＿１（ｉ））ｍｏｄ２（ｉ＝０，１，…，１１９）であり、ｘ＿１（ｎ＿１）の初期条件はｘ＿１（６：０）＝［００００００１］によって与えられて；また、Ｎ＿ＩＤｉｎＧ＾ＳＬはグループ内のＳＬ同期化ＩＤインデックスであり、ＳＬ同期化ＩＤはＮ＿ＩＤ＾ＳＬ＝Ｎ＿Ｇ＊Ｎ＿ＩＤｉｎＧ＾ＳＬ＋Ｎ＿ＧＩＤ＾ＳＬに表現されることができ、ここでＮ＿Ｇはグループ数であり、Ｎ＿ＧＩＤ＾ＳＬはグループＩＤであり；Ｋ＿１は予め定義された整数である。
【０３２５】
一様態では、単一Ｓ−ＰＳＳシーケンス（例えば、Ｎ＿ＳＰＳＳ＝１）があって、単一ＳＬ同期化ＩＤグループ（例えば、Ｎ＿Ｇ＝１）がある。この様態では、ＳＬ同期化ＩＤの数が３３６個であり、Ｎ＿ＧＩＤ＾ＳＬ＝０であり、Ｎ＿ＩＤｉｎＧ＾ＳＬはＮ＿ＩＤ＾ＳＬと同一であれば良い。この様態の例では、Ｋ＿１＝０であり、Ｓ−ＳＳＳシーケンスのセットはＮＲ−ＳＳＳシーケンスのサブセットである。この様態の他の例では、Ｓ−ＳＳＳシーケンスのセットがサイクリックシフトを有するＮＲ−ＳＳＳシーケンスのサブセットであり、Ｋ＿１＞０（例えば、Ｋ＿１＝２又はＫ＿１＝３）である。
【０３２６】
他の様態では、単一Ｓ−ＰＳＳシーケンス（例えば、Ｎ＿ＳＰＳＳ＝１）があって、２個のＳＬ同期化ＩＤグループ（例えば、Ｎ＿Ｇ＝２）があり、例えばＮＲ−ＳＬ＿ＰＳＳシーケンスはグループＩＤを伝達しない。この様態では、ＳＬ同期化ＩＤの数が６７２個であり、Ｎ＿ＧＩＤ＾ＳＬ＝０又は１であれば良い。この様態の例では、Ｋ＿１＝０であり、Ｓ−ＳＳＳシーケンスのセットがＮＲ−ＳＳＳシーケンスのサブセットである。この様態のまた他の例では、Ｓ−ＳＳＳシーケンスのセットがサイクリックシフトを有するＮＲ−ＳＳＳシーケンスのサブセットであり、Ｋ＿１＞０（例えば、Ｋ＿１＝２又はＫ＿１＝３）である。
【０３２７】
また他の様態では、２個のＳ−ＰＳＳシーケンス（例えば、Ｎ＿ＳＰＳＳ＝２）があって、２個のＳＬ同期化ＩＤグループ（例えば、Ｎ＿Ｇ＝２）があり、例えば、各Ｓ−ＰＳＳシーケンスはＳＬ同期化ＩＤグループのうちの一つを示す。この様態では、ＳＬ同期化ＩＤの数が６７２個であり、Ｎ＿ＧＩＤ＾ＳＬ＝０又は１であれば良い。この様態の例では、Ｋ＿１＝０であり、Ｓ−ＳＳＳシーケンスのセットはＮＲ−ＳＳＳシーケンスのサブセットである。この様態の他の例では、Ｓ−ＳＳＳシーケンスのセットがサイクリックシフトを有するＮＲ−ＳＳＳシーケンスのサブセットであり、Ｋ＿１＞０（例えば、Ｋ＿１＝７又はＫ＿１＝８）である。
【０３２８】
ＰＳＢＣＨコンテンツの構成要素に対する一実施形態で、ＰＳＢＣＨコンテンツを構成するために一つ以上の接近方式が同時にサポートされることができる。例えば、一部接近方式又は接近方式の例がキャリア周波数範囲に対してだけサポートされることができる。
【０３２９】
第１接近方式では、ＰＳＢＣＨコンテンツが当該Ｓ−ＳＳＢのＰＳＢＣＨが位置される個所を示す時間ドメイン情報を含むことができ、ここで時間ドメイン情報はＤＦＮ−レベル情報（例えば、ＤＦＮ又はＤＦＮの一部）、ハーフ−フレーム−レベル情報（例えば、ハーフフレームインジケーター）、スロット−レベル情報（例えば、フレーム又はハーフフレーム又は予め定義された時間デュレーション内のスロットインデックス）又はＳ−ＳＳＢインデックス（例えば、Ｌ＿ＳＳＢ＞１に対してスロット内の２つ以上のＳ−ＳＳＢ）のうちの少なくとも一つを含むことができる。ＰＳＢＣＨコンテンツに含まれたシステム情報検出時に、ＵＥはスロットの予め定義されたＳ−ＳＳＢマッピングを用いてスロット内のシンボルインデックスを決定することができ、ここでＳ−ＳＳＢインデックスは一つのスロットが２個のＳ−ＳＳＢを含む場合、スロット内のシンボルインデックスを決定するのに用いられることもでき、ＵＥはＰＳＢＣＨコンテンツに含まれたシステム情報を用いてフレーム及びＤＦＮ内のスロットインデックスを決定することもできる。
【０３３０】
図２１は、本開示の実施形態によるＳ−ＳＳＢバーストセット２１００の例示的な時間ドメインマッピングを示す図面である。図２１に示されたＳ−ＳＳＢバーストセット２１００の時間ドメインマッピングの実施形態はただ説明のためのことである。図２１は本開示の範囲を任意の特定具現で制限しない。
【０３３１】
第１接近方式の第１の例では、一つのＳ−ＳＳＢバーストセットが単一Ｓ−ＳＳＢ（すなわち、Ｌ＿ＳＳＢ＝１）だけ含み、例えば、Ｓ−ＳＳＢが単一ビーム方式で作動し、Ｓ−ＳＳＢを含むスロットの位置は仕様で固定され、例えば、Ｓ−ＳＳＢバーストセット（例えば、図２１の２１０１）の周期内の特定スロット（例えば、第１スロット）として固定されるか、又はＤＦＮ内の特定スロット（例えば、第１スロット）として固定されるか、又はハーフフレーム内の特定スロット（例えば、第１スロット）として固定される。
【０３３２】
一つの下位例では、Ｓ−ＳＳＢバーストセットの周期が２＾ｎフレームであり（ｎ≧０）、Ｓ−ＳＳＢを含むスロットの位置がＳ−ＳＳＢバーストセットの周期内の特定スロット（例えば、第１スロット）で固定された場合、当該Ｓ−ＳＳＢのＰＳＢＣＨが位置されるＤＦＮの(１０−ｎ）ＭＳＢ（例えば、（１０−ｎ）ビットフィールド）がＰＳＢＣＨコンテンツに表示されることができる。
【０３３３】
他の下位例では、Ｓ−ＳＳＢバーストセットの周期が２＾ｎフレームであり（ｎ≧０）、Ｓ−ＳＳＢを含むスロットの位置がＤＦＮ内の特定スロット（例えば、第１スロット）で固定された場合、当該Ｓ−ＳＳＢのＰＳＢＣＨが位置されるＤＦＮ（例えば、０から１０２３までの値を有する１０ビットフィールド）がＰＳＢＣＨコンテンツに表示されることができる。
【０３３４】
また他の下位例では、Ｓ−ＳＳＢを含むスロットの位置がハーフフレーム内の特定スロット（例えば、第１スロット）に固定された場合、当該Ｓ−ＳＳＢのＰＳＢＣＨが位置されるＤＦＮ（例えば、０から１０２３までの値を有する１０ビットフィールド）及びハーフフレーム番号（例えば、フレーム内の第１又は第２のハーフフレームを示す１ビットフィールド）がＰＳＢＣＨコンテンツに表示されることができる。
【０３３５】
第１接近方式の第２の例では、一つのＳ−ＳＳＢバーストセットが単一Ｓ−ＳＳＢ（すなわち、Ｌ＿ＳＳＢ＝１）だけ含み、例えば、Ｓ−ＳＳＢが単一ビーム方式で作動し、Ｓ−ＳＳＢを含むスロットの位置は可変的で表示される（例えば、図２１の２１０２）。
【０３３６】
一つの下位例では、当該Ｓ−ＳＳＢのＰＳＢＣＨが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝２）最も大きいＳＣＳである。
【０３３７】
図２２は、本開示の実施形態によるＳ−ＳＳＢバーストセット２２００の他の例示的な時間ドメインマッピングを示す図面である。図２２に示されたＳ−ＳＳＢバーストセット２２００の時間ドメインマッピングの実施形態はただ説明のためのことである。図２２は本開示の範囲を任意の特定具現で制限しない。
【０３３８】
第１接近方式の第３の例では、一つのＳ−ＳＳＢバーストセットが多重Ｓ−ＳＳＢ（すなわち、Ｌ＿ＳＳＢ＞１）を含み、例えば、Ｓ−ＳＳＢは多重ビーム方式及び／又は繰り返し方式で作動することができ、Ｓ−ＳＳＢを含むスロットは連続的で、Ｓ−ＳＳＢを含むスロットの位置は仕様で固定され、例えば、Ｓ−ＳＳＢバーストセット（例えば、図２２の２２０１）の周期内で特定スロット（例えば、第１スロット）で開始されることで固定されるか、又はハーフフレーム内の特定スロット（例えば、第１スロット）で開始されることで固定される。
【０３３９】
一つの下位例で、Ｓ−ＳＳＢバーストセットの周期が２＾ｎフレームで（ｎ≧０）、Ｓ−ＳＳＢを含むスロットの位置がＳ−ＳＳＢバーストセットの周期内の特定スロット（例えば、第１スロット）から開始されることで固定された場合、当該Ｓ−ＳＳＢのＰＳＢＣＨが位置されるＤＦＮの(１０−ｎ）ＭＳＢ（例えば、（１０−ｎ）ビットフィールド）及びＳ−ＳＳＢインデックス（又はＳ−ＳＳＢインデックスのＭＳＢ）がＰＳＢＣＨコンテンツに表示されることができる。
【０３４０】
他の下位例で、Ｓ−ＳＳＢバーストセットの周期が２＾ｎフレームで（ｎ≧０）、Ｓ−ＳＳＢを含むスロットの位置がＳ−ＳＳＢバーストセットの周期内の特定スロット（例えば、第１スロット）から開始されることで固定された場合、当該Ｓ−ＳＳＢのＰＳＢＣＨが位置されるＤＦＮの(１０−ｎ）ＭＳＢ（例えば、（１０−ｎ）ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３４１】
また他の下位例で、Ｓ−ＳＳＢバーストセットの周期が２＾ｎフレームで（ｎ≧０）、Ｓ−ＳＳＢを含むスロットの位置がＤＦＮ内の特定スロット（例えば、第１スロット）から開始されることで固定された場合、当該Ｓ−ＳＳＢのＰＳＢＣＨが位置されるＤＦＮ（例えば、０から１０２３までの値を有する１０ビットフィールド）及びＳ−ＳＳＢインデックスがＰＳＢＣＨコンテンツに表示されることができる。
【０３４２】
また他の下位例として、Ｓ−ＳＳＢバーストセットの周期が２＾ｎフレームであり（ｎ≧０）、Ｓ−ＳＳＢを含むスロットの位置がＤＦＮ内の特定スロット（例えば、第１スロット）から開始されることで固定された場合、当該Ｓ−ＳＳＢのＰＳＢＣＨが位置されるＤＦＮ（例えば、０から１０２３までの値を有する１０ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３４３】
また他の下位例として、Ｓ−ＳＳＢを含むスロットの位置がハーフフレーム内の特定スロット（例えば、第１スロット）で開始されることで固定される場合、当該Ｓ−ＳＳＢのＰＳＢＣＨが位置されるＤＦＮ（例えば、０から１０２３までの値を有する１０ビットフィールド）及びハーフフレーム番号（例えば、フレーム内の第１又は第２のハーフフレームを示す１ビットフィールド）がＰＳＢＣＨコンテンツに表示されることができる。
【０３４４】
また他の下位例として、Ｓ−ＳＳＢを含むスロットの位置がハーフフレーム内の特定スロット（例えば、第１スロット）で開始されることで固定される場合、当該Ｓ−ＳＳＢのＰＳＢＣＨが位置されるＤＦＮ（例えば、０から１０２３までの値を有する１０ビットフィールド）及びハーフフレーム番号（例えば、フレーム内の第１又は第２のハーフフレームを示す１ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３４５】
第１接近方式の第４の例では、一つのＳ−ＳＳＢバーストセットが多重Ｓ−ＳＳＢ（すなわち、Ｌ＿ＳＳＢ＞１）を含み、例えば、Ｓ−ＳＳＢは多重ビーム方式及び／又は繰り返し方式で作動することができ、Ｓ−ＳＳＢを含むスロットは連続的で、Ｓ−ＳＳＢを含むスロットの開始位置は可変的で表示される（例えば、図２２の２２０２）。  
【０３４６】
一つの下位例では、Ｓ−ＳＳＢを含む第１スロットが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳである。
【０３４７】
他の下位例では、Ｓ−ＳＳＢを含む第１スロットが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳであり、Ｓ−ＳＳＢインデックスがＰＳＢＣＨのＤＭＲＳのようなＰＳＢＣＨの他の信号／チャンネルを用いて表示される。
【０３４８】
図２３は、本開示の実施形態によるＳ−ＳＳＢバーストセット２３００の他の例示的な時間ドメインマッピングを示す図面である。図２３に示されたＳ−ＳＳＢバーストセット２３００の時間ドメインマッピングの実施形態はただ説明のためのことである。図２３は本開示の範囲を任意の特定具現で制限しない。
【０３４９】
第１接近方式の第５の例では、一つのＳ−ＳＳＢバーストセットが多重Ｓ−ＳＳＢ（すなわち、Ｌ＿ＳＳＢ＞１）を含み、例えば、Ｓ−ＳＳＢは多重ビーム方式及び／又は繰り返し方式で作動することができ、Ｓ−ＳＳＢを含むスロットは非連続であることもあり、Ｓ−ＳＳＢを含むスロットはＳ−ＳＳＢバーストセットの周期内で固定されたインターバルで均一に分散され、Ｓ−ＳＳＢを含む第１スロットは仕様に固定され、例えば、Ｓ−ＳＳＢバーストセット（例えば、図２３の２３０１）周期内の特定スロット（例えば、第１スロット）で開始されることで固定されるか、又はＤＦＮ内の特定スロット（例えば、第１スロット）で開始されることで固定されるか、又はハーフフレーム内の特定スロット（例えば、第１スロット）で開始されることで固定される。例えば、Ｓ−ＳＳＢバーストセット（又はＤＦＮ又はハーフフレーム）の周期内でＳ−ＳＳＢを含むスロットのインデックスは各スロットが単一Ｓ−ＳＳＢを含む場合、＃０、＃（Ｎ／Ｌ＿ＳＳＢ）、＃２＊（Ｎ／Ｌ＿ＳＳＢ）,…,＃（Ｌ＿ＳＳＢ−１）＊（Ｎ／Ｌ＿ＳＳＢ）によって与えられることができ、各スロットが２個のＳ−ＳＳＢを含む場合、＃０、＃２＊（Ｎ／Ｌ＿ＳＳＢ）、＃２＊２＊（Ｎ／Ｌ＿ＳＳＢ）,…,＃２＊（Ｌ＿ＳＳＢ／２−１）＊（Ｎ／Ｌ＿ＳＳＢ）によって与えられることができ、ここでＬ＿ＳＳＢはキャリア周波数範囲ごとに決定されるバーストセットの最大Ｓ−ＳＳＢ数であり、Ｎはスロット観点でのＳ−ＳＳＢバーストセット（又はＤＦＮ又はハーフフレーム）の周期である。
【０３５０】
一つの下位例として、Ｓ−ＳＳＢバーストセットの周期が２＾ｎフレームであり（ｎ≧０）、Ｓ−ＳＳＢを含むスロットの位置がＳ−ＳＳＢバーストセットの周期内の特定スロット（例えば、第１スロット）から開始されることで固定された場合、当該Ｓ−ＳＳＢのＰＳＢＣＨが位置されるＤＦＮの(１０−ｎ）ＭＳＢ（例えば、（１０−ｎ）ビットフィールド）及びＳ−ＳＳＢインデックス（又はＳ−ＳＳＢインデックスのＭＳＢ）がＰＳＢＣＨコンテンツに表示されることができる。
【０３５１】
他の下位例として、Ｓ−ＳＳＢバーストセットの周期が２＾ｎフレームであり（ｎ≧０）、Ｓ−ＳＳＢを含むスロットの位置がＳ−ＳＳＢバーストセットの周期内の特定スロット（例えば、第１スロット）から開始されることで固定された場合、当該Ｓ−ＳＳＢのＰＳＢＣＨが位置されるＤＦＮの(１０−ｎ）ＭＳＢ（例えば、（１０−ｎ）ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３５２】
また他の下位例として、Ｓ−ＳＳＢバーストセットの周期が２＾ｎフレームで（ｎ≧０）、Ｓ−ＳＳＢを含むスロットの位置がＤＦＮ内の特定スロット（例えば、第１スロット）から開始されることで固定された場合、当該Ｓ−ＳＳＢのＰＳＢＣＨが位置されるＤＦＮ（例えば、０から１０２３までの値を有する１０ビットフィールド）及びＳ−ＳＳＢインデックスがＰＳＢＣＨコンテンツに表示されることができる。
【０３５３】
また他の下位例として、Ｓ−ＳＳＢバーストセットの周期が２＾ｎフレームで（ｎ≧０）、Ｓ−ＳＳＢを含むスロットの位置がＤＦＮ内の特定スロット（例えば、第１スロット）から開始されることで固定された場合、当該Ｓ−ＳＳＢのＰＳＢＣＨが位置されるＤＦＮ（例えば、０から１０２３までの値を有する１０ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３５４】
また他の下位例として、Ｓ−ＳＳＢを含むスロットの位置がハーフフレーム内の特定スロット（例えば、第１スロット）で開始されることで固定される場合、当該Ｓ−ＳＳＢのＰＳＢＣＨが位置されるＤＦＮ（例えば、０から１０２３までの値を有する１０ビットフィールド）及びハーフフレーム番号（例えば、フレーム内の第１又は第２のハーフフレームを示す１ビットフィールド）そしてＳ−ＳＳＢインデックス（又はＳ−ＳＳＢインデックスのＭＳＢ）がＰＳＢＣＨコンテンツに表示されることができる。
【０３５５】
また他の下位例で、Ｓ−ＳＳＢを含むスロットの位置がハーフフレーム内の特定スロット（例えば、第１スロット）で開始されることで固定される場合、当該Ｓ−ＳＳＢのＰＳＢＣＨが位置されるＤＦＮ（例えば、０から１０２３までの値を有する１０ビットフィールド）及びハーフフレーム番号（例えば、フレーム内の第１又は第２のハーフフレームを示す１ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３５６】
第１接近方式の第６の例で、一つのＳ−ＳＳＢバーストセットが多重Ｓ−ＳＳＢ（すなわち、Ｌ＿ＳＳＢ＞１）を含み、例えば、Ｓ−ＳＳＢが多重ビーム方式及び／又は繰り返し方式で作動し、Ｓ−ＳＳＢを含むスロットは非連続であることがあり、Ｓ−ＳＳＢを含むスロットはＳ−ＳＳＢバーストセットの周期内で固定されたインターバルで均一に分散され、Ｓ−ＳＳＢを含む第１スロットは可変的で表示される（例えば、図２３の２３０２）。
【０３５７】
例えば、Ｓ−ＳＳＢバーストセット（又はＤＦＮ又はハーフフレーム）の周期内でＳ−ＳＳＢを含むスロットのインデックスは各スロットが単一Ｓ−ＳＳＢを含む場合、＃Ｍ、＃Ｍ＋（Ｎ／Ｌ＿ＳＳＢ）、＃Ｍ＋２＊（Ｎ／Ｌ＿ＳＳＢ）,…,＃Ｍ＋（Ｌ＿ＳＳＢ−１）＊（Ｎ／Ｌ＿ＳＳＢ）によって与えられることができ、各スロットが２個のＳ−ＳＳＢを含む場合、＃Ｍ、＃Ｍ＋２＊（Ｎ／Ｌ＿ＳＳＢ）、＃Ｍ＋２＊２＊（Ｎ／Ｌ＿ＳＳＢ）,…,＃Ｍ＋２＊（Ｌ＿ＳＳＢ／２−１）＊（Ｎ／Ｌ＿ＳＳＢ）によって与えられることができ、ここでＬ＿ＳＳＢはキャリア周波数範囲ごとに決定されるバーストセットの最大Ｓ−ＳＳＢ数であり、Ｎはスロット観点でのＳ−ＳＳＢバーストセット（又はＤＦＮ又はハーフフレーム）の周期であり、Ｍは表示されるＳ−ＳＳＢを含む第１スロットのインデックスである。
【０３５８】
一つの下位例として、Ｓ−ＳＳＢを含む第１スロットが位置されるＤＦＮ（例えば、０から１０２３までの値を有する１０ビットフィールド）及び表示されたＤＦＮ内のスロットインデックス、そしてＳ−ＳＳＢインデックス（又はＳ−ＳＳＢインデックスのＭＳＢ）がＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳである。
【０３５９】
他の下位例として、Ｓ−ＳＳＢを含む第１スロットが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳであり、Ｓ−ＳＳＢインデックスがＰＳＢＣＨのＤＭＲＳのようなＰＳＢＣＨの他の信号／チャンネルを用いて表示される。
【０３６０】
第１接近方式の第７の例では、一つのＳ−ＳＳＢバーストセットが多重Ｓ−ＳＳＢ（すなわち、Ｌ＿ＳＳＢ＞１）を含み、例えば、Ｓ−ＳＳＢは多重ビーム方式及び／又は繰り返し方式で作動し、Ｓ−ＳＳＢを含むスロットは非連続であることがあり、Ｓ−ＳＳＢを含むスロットはＳ−ＳＳＢバーストセットの周期のサブセット内で固定されたインターバルで均一に分散され、Ｓ−ＳＳＢを含む第１スロットは仕様に固定され、例えば、Ｓ−ＳＳＢバーストセット（例えば、図２３の２３０３）周期内の特定スロット（例えば、第１スロット）で開始されることで固定されるか、又はＤＦＮ内の特定スロット（例えば、第１スロット）で開始されることで固定されるか、又はハーフフレーム内の特定スロット（例えば、第１スロット）で開始されることで固定される。
【０３６１】
例えば、Ｓ−ＳＳＢバーストセット（又はＤＦＮ又はハーフフレーム）の周期内でＳ−ＳＳＢを含むスロットのインデックスは各スロットが単一Ｓ−ＳＳＢを含む場合、＃０、＃（Ｎ／Ｌ）、＃２＊（Ｎ／Ｌ）,…,＃（Ｌ＿ＳＳＢ−１）＊（Ｎ／Ｌ）によって与えられることができ、各スロットが２個のＳ−ＳＳＢを含む場合、＃０、＃２＊（Ｎ／Ｌ）、＃２＊２＊（Ｎ／Ｌ）,…,＃２＊（Ｌ＿ＳＳＢ／２−１）＊（Ｎ／Ｌ）によって与えられることができ、ここでＬ＿ＳＳＢはキャリア周波数範囲ごとに決定されるバーストセットの最大Ｓ−ＳＳＢ数であり、Ｎはスロット観点でのＳ−ＳＳＢバーストセット（又はＤＦＮ又はハーフフレーム）の周期で、ＬはＬ＞Ｌ＿ＳＳＢである予め定義された整数である。
【０３６２】
一つの下位例で、Ｓ−ＳＳＢバーストセットの周期が２＾ｎフレームであり（ｎ≧０）、Ｓ−ＳＳＢを含むスロットの位置がＳ−ＳＳＢバーストセットの周期内の特定スロット（例えば、第１スロット）から開始されることで固定された場合、当該Ｓ−ＳＳＢのＰＳＢＣＨが位置されるＤＦＮの(１０−ｎ）ＭＳＢ（例えば、（１０−ｎ）ビットフィールド）及びＳ−ＳＳＢインデックス（又はＳ−ＳＳＢインデックスのＭＳＢ）がＰＳＢＣＨコンテンツに表示されることができる。
【０３６３】
一つの下位例として、Ｓ−ＳＳＢバーストセットの周期が２＾ｎフレームであり（ｎ≧０）、Ｓ−ＳＳＢを含むスロットの位置がＳ−ＳＳＢバーストセットの周期内の特定スロット（例えば、第１スロット）から開始されることで固定された場合、当該Ｓ−ＳＳＢのＰＳＢＣＨが位置されるＤＦＮの(１０−ｎ）ＭＳＢ（例えば、（１０−ｎ）ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３６４】
また他の下位例として、Ｓ−ＳＳＢバーストセットの周期が２＾ｎフレームで（ｎ≧０）、Ｓ−ＳＳＢを含むスロットの位置がＤＦＮ内の特定スロット（例えば、第１スロット）から開始されることで固定された場合、当該Ｓ−ＳＳＢのＰＳＢＣＨが位置されるＤＦＮ（例えば、０から１０２３までの値を有する１０ビットフィールド）及びＳ−ＳＳＢインデックスがＰＳＢＣＨコンテンツに表示されることができる。
【０３６５】
また他の下位例で、Ｓ−ＳＳＢバーストセットの周期が２＾ｎフレームで（ｎ≧０）、Ｓ−ＳＳＢを含むスロットの位置がＤＦＮ内の特定スロット（例えば、第１スロット）から開始されることで固定された場合、当該Ｓ−ＳＳＢのＰＳＢＣＨが位置されるＤＦＮ（例えば、０から１０２３までの値を有する１０ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３６６】
また他の下位例として、Ｓ−ＳＳＢを含むスロットの位置がハーフフレーム内の特定スロット（例えば、第１スロット）で開始されることで固定される場合、当該Ｓ−ＳＳＢのＰＳＢＣＨが位置されるＤＦＮ（例えば、０から１０２３までの値を有する１０ビットフィールド）及びハーフフレーム番号（例えば、フレーム内の第１又は第２のハーフフレームを示す１ビットフィールド）そしてＳ−ＳＳＢインデックス（又はＳ−ＳＳＢインデックスのＭＳＢ）がＰＳＢＣＨコンテンツに表示されることができる。
【０３６７】
また他の下位例として、Ｓ−ＳＳＢを含むスロットの位置がハーフフレーム内の特定スロット（例えば、第１スロット）で開始されることで固定される場合、当該Ｓ−ＳＳＢのＰＳＢＣＨが位置されるＤＦＮ（例えば、０から１０２３までの値を有する１０ビットフィールド）及びハーフフレーム番号（例えば、フレーム内の第１又は第２のハーフフレームを示す１ビットフィールド）がＰＳＢＣＨコンテンツに表示されることができ、Ｓ−ＳＳＢインデックスがＰＳＢＣＨのＤＭＲＳのようなＰＳＢＣＨの他の信号／チャンネルを用いて表示される。
【０３６８】
第１接近方式の第８の例で、一つのＳ−ＳＳＢバーストセットが多重Ｓ−ＳＳＢ（すなわち、Ｌ＿ＳＳＢ＞１）を含み、例えば、Ｓ−ＳＳＢが多重ビーム方式及び／又は繰り返し方式で作動し、Ｓ−ＳＳＢを含むスロットは非連続であることがあり、Ｓ−ＳＳＢを含むスロットはＳ−ＳＳＢバーストセットの周期のサブセット内で固定されたインターバルで均一に分散され、Ｓ−ＳＳＢを含む第１スロットは可変的で表示される（例えば、図２３の２３０４）。例えば、Ｓ−ＳＳＢバーストセット（又はＤＦＮ又はハーフフレーム）の周期内でＳ−ＳＳＢを含むスロットのインデックスは各スロットが単一Ｓ−ＳＳＢを含む場合、＃Ｍ、＃Ｍ＋（Ｎ／Ｌ）、＃Ｍ＋２＊（Ｎ／Ｌ）,…,＃Ｍ＋（Ｌ＿ＳＳＢ−１）＊（Ｎ／Ｌ）によって与えられることができ、各スロットが２個のＳ−ＳＳＢを含む場合、＃Ｍ、＃Ｍ＋２＊（Ｎ／Ｌ）、＃Ｍ＋２＊２＊（Ｎ／Ｌ）,…,＃Ｍ＋２＊（Ｌ＿ＳＳＢ／２−１）＊（Ｎ／Ｌ）によって与えられることができ、ここでＬ＿ＳＳＢはキャリア周波数範囲ごとに決定されるバーストセットの最大Ｓ−ＳＳＢ数であり、Ｎはスロット観点でのＳ−ＳＳＢバーストセット（又はＤＦＮ又はハーフフレーム）の周期であり、Ｍは表示されるＳ−ＳＳＢを含む第１スロットのインデックスであり、ＬはＬ＞Ｌ＿ＳＳＢである予め定義された整数である。
【０３６９】
一つの下位例で、Ｓ−ＳＳＢを含む第１スロットが位置されるＤＦＮ（例えば、０から１０２３までの値を有する１０ビットフィールド）及び表示されたＤＦＮ内のスロットインデックス、そしてＳ−ＳＳＢインデックス（又はＳ−ＳＳＢインデックスのＭＳＢ）がＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳである。
【０３７０】
他の下位例で、Ｓ−ＳＳＢを含む第１スロットが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳであり、Ｓ−ＳＳＢインデックスがＰＳＢＣＨのＤＭＲＳのようなＰＳＢＣＨの他の信号／チャンネルを用いて表示される。
【０３７１】
図２４は、本開示の実施形態によるＳ−ＳＳＢバーストセット２４００の他の例示的な時間ドメインマッピングを示す図面である。図２４に示されたＳ−ＳＳＢバーストセット２４００の時間ドメインマッピングの実施形態はただ説明のためのことである。図２４は本開示の範囲を任意の特定具現で制限しない。
【０３７２】
第１接近方式の第９の例では、一つのＳ−ＳＳＢバーストセットが多重Ｓ−ＳＳＢ（すなわち、Ｌ＿ＳＳＢ＞１）を含み、例えば、Ｓ−ＳＳＢは多重ビーム方式及び／又は繰り返し方式で作動し、Ｓ−ＳＳＢを含むスロットは非連続であることがあり、Ｓ−ＳＳＢを含む各スロットは予め定義されたスロットグループ内に制限され、ここでスロットグループは同一な数のスロットを有し、ＳＳＢバーストセットの周期で構成される（例えば、図２４の２４０１）。例えば、Ｓ−ＳＳＢバーストセットの周期は各スロットが単一Ｓ−ＳＳＢを含む場合、Ｌ＿ＳＳＢスロットグループに分割され、各スロットが２個のＳ−ＳＳＢを含む場合、Ｌ＿ＳＳＢ／２スロットグループに分割され、ここで各グループは同一な数のスロットを有して各グループはＳ−ＳＳＢを含む一つのスロットを含み、Ｓ−ＳＳＢを含むスロットの位置は当該グループで可変的で表示されることができる。この例で、各スロットが単一Ｓ−ＳＳＢを含む場合、グループインデックスがＳ−ＳＳＢインデックスと同一で、各スロットが２個のＳ−ＳＳＢを含む場合、スロット内のＳ−ＳＳＢの位置（例えば、１ビット表示）とグループインデックスの組み合せがＳ−ＳＳＢインデックスと同一である。
【０３７３】
一つの下位例で、ＤＦＮ（例えば、０から１０２３までの値を有する１０ビットフィールド）、グループ内スロットインデックス、及びＳ−ＳＳＢインデックス（又はＳ−ＳＳＢインデックス又はグループインデックスのＭＳＢ）がＰＳＢＣＨコンテンツに表示されることができる。
【０３７４】
他の下位例として、ＤＦＮ（例えば、０から１０２３までの値を有する１０ビットフィールド）及びグループ内のスロットインデックスがＰＳＢＣＨコンテンツに表示されることができ、また、Ｓ−ＳＳＢインデックス（又はＳ−ＳＳＢインデックス又はグループインデックスのＬＳＢ）がＰＳＢＣＨのＤＭＲＳのよ
うなＰＳＢＣＨの他の信号／チャンネルを用いて表示される。
【０３７５】
第１接近方式の第１０の例では、一つのＳ−ＳＳＢバーストセットが多重Ｓ−ＳＳＢ（すなわち、Ｌ＿ＳＳＢ＞１）を含み、例えば、Ｓ−ＳＳＢは多重ビーム方式及び／又は繰り返し方式で作動し、Ｓ−ＳＳＢを含むスロットは非連続であることがあり、Ｓ−ＳＳＢを含む各スロットは予め定義されたスロットグループ内に制限され、ここでスロットグループは同一な数のスロットを有し、Ｓ−ＳＳＢバーストセットの周期のサブセットで構成される（例えば、図２４の２４０２）。
【０３７６】
例えば、Ｓ−ＳＳＢバーストセットの周期のサブセットは各スロットが単一Ｓ−ＳＳＢを含む場合、Ｌ＿ＳＳＢスロットグループに分割され、各スロットが２個のＳ−ＳＳＢを含む場合Ｌ＿ＳＳＢ／２スロットグループに分割され、ここで各グループは同一な数のスロットを有して各グループはＳ−ＳＳＢを含む一つのスロットを含み、Ｓ−ＳＳＢを含むスロットの位置は当該グループで可変的なことがあって表示されることができる。この例で、各スロットが単一Ｓ−ＳＳＢを含む場合、グループインデックスがＳ−ＳＳＢインデックスと同一で、各スロットが２個のＳ−ＳＳＢを含む場合、スロット内のＳ−ＳＳＢの位置（例えば、１ビット表示）とグループインデックスの組み合せがＳ−ＳＳＢインデックスと同一である。
【０３７７】
一つの下位例として、ＤＦＮ（例えば、０から１０２３までの値を有する１０ビットフィールド）、グループ内スロットインデックス、及びＳ−ＳＳＢインデックス（又はＳ−ＳＳＢインデックス又はグループインデックスのＭＳＢ）がＰＳＢＣＨコンテンツに表示されることができる。
【０３７８】
他の下位例として、ＤＦＮ（例えば、０から１０２３までの値を有する１０ビットフィールド）及びグループ内のスロットインデックスがＰＳＢＣＨコンテンツに表示されることができ、また、Ｓ−ＳＳＢインデックス（又はＳ−ＳＳＢインデックス又はグループインデックスのＬＳＢ）がＰＳＢＣＨのＤＭＲＳのようなＰＳＢＣＨの他の信号／チャンネルを用いて表示される。
【０３７９】
第１接近方式の第１１の例では、一つのＳ−ＳＳＢバーストセットが多重Ｓ−ＳＳＢ（すなわち、Ｌ＿ＳＳＢ＞１）を含み、例えば、Ｓ−ＳＳＢは多重ビーム方式及び／又は繰り返し方式で作動し、Ｓ−ＳＳＢを含むスロットは非連続であることもあり、Ｓ−ＳＳＢを含む各スロットの位置はＳ−ＳＳＢバーストセットの周期内で可変的で表示されることができる（例えば、図２４の２４０３）。
【０３８０】
一つの下位例では、当該Ｓ−ＳＳＢのＰＳＢＣＨが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳである。各スロットが２個のＳ−ＳＳＢを含む場合、スロット内のＳ−ＳＳＢの位置（例えば、スロットにある２個のＳ−ＳＳＢのうちの一つに対する１ビット表示）もＰＳＢＣＨコンテンツに表示されることができる。
【０３８１】
他の下位例として、当該Ｓ−ＳＳＢのＰＳＢＣＨが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳである。各スロットが２個のＳ−ＳＳＢを含む場合、スロット内のＳ−ＳＳＢの位置（例えば、スロットにある２個のＳ−ＳＳＢのうちの一つに対する１ビット表示）がＰＳＢＣＨのＤＭＲＳのようなＰＳＢＣＨの他の信号／チャンネルを用いて表示されることができる。
【０３８２】
第１接近方式の第１２の例では、一つのＳ−ＳＳＢバーストセットが多重Ｓ−ＳＳＢ（すなわち、Ｌ＿ＳＳＢ＞１）を含み、例えば、Ｓ−ＳＳＢが多重ビーム方式及び／又は繰り返し方式で作動し、Ｓ−ＳＳＢを含むスロットは非連続であることがあり、Ｓ−ＳＳＢを含む各スロットの位置はＳ−ＳＳＢバーストセットの周期のサブセット内で可変的で表示されることができる（例えば、図２４の２４０４）。
【０３８３】
一つの下位例として、当該Ｓ−ＳＳＢのＰＳＢＣＨが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳである。各スロットが２個のＳ−ＳＳＢを含む場合、スロット内のＳ−ＳＳＢの位置（例えば、スロットにある２個のＳ−ＳＳＢのうちの一つに対する１ビット表示）もさらにＰＳＢＣＨコンテンツに表示されることができる。
【０３８４】
他の下位例で、当該Ｓ−ＳＳＢのＰＳＢＣＨが位置されるＤＦＮ（例えば、０から１０２３までの値を有する１０ビットフィールド）及び表示されたＤＦＮ内のスロットインデックスがＰＳＢＣＨコンテンツに表示されることができ、ここでＤＦＮ内のスロットインデックスは０からＭ−１までの値を有する（ｋ＋４）ビットフィールドで表現されることができ、ここでＭ＝１０＊２＾ｋであり、１５＊２＾ｋはＮＲサイドリンクのためにサポートされるか（例えば、ｋ＝４）又はＮＲサイドリンクのキャリア周波数範囲のためにサポートされる（例えば、６ＧＨｚ超過の場合、ｋ＝４、６ＧＨｚ未満の場合、ｋ＝１）最も大きいＳＣＳである。各スロットが２個のＳ−ＳＳＢを含む場合、スロット内のＳ−ＳＳＢの位置（例えば、スロットにある２個のＳ−ＳＳＢのうちの一つに対する１ビット表示）がＰＳＢＣＨのＤＭＲＳのようなＰＳＢＣＨの他の信号／チャンネルを用いて表示されることができる。
【０３８５】
第２接近方式では、ＰＳＢＣＨコンテンツがサイドリンクキャリア帯域幅を含むことができる。
【０３８６】
この接近方式の第１の例では、サイドリンクキャリア帯域幅がＲＢ単位の値セットから表示され、ここでＲＢはＳ−ＳＳＢのＳＣＳに係る。値セットはキャリア周波数範囲ごとに決定されることができる。
【０３８７】
この接近方式の第２の例では、サイドリンクキャリア帯域幅がＲＢ単位の値セットから表示され、ここでＲＢはＰＳＢＣＨコンテンツに表示されたＳＣＳに係る。値セットは表示されたＳＣＳ及び／又はキャリア周波数範囲ごとに決定されることができる。
【０３８８】
この接近方式の第３の例では、サイドリンクキャリア帯域幅がＭＨｚ単位の値セットから表示される。値セットはキャリア周波数範囲ごとに決定されることができる。
【０３８９】
第３接近方式では、ＰＳＢＣＨコンテンツがＮＲサイドリンク物理的制御チャンネル（ＰＳＣＣＨ）及び／又はＮＲサイドリンク物理的共有チャンネル（ＰＳＳＣＨ）に対するニューマロロジーを含むことができる。
【０３９０】
この接近方式の第１の例では、ニューマロロジーがｋＨｚ単位の予め定義された値セットから表示されるＰＳＳＣＨ及び／又はＰＳＣＣＨに対する少なくてもサブキャリア間隔を含むことができる。値セットはキャリア周波数範囲ごとに決定されることができる。
【０３９１】
この接近方式の第２の例では、ニューマロロジーがＰＳＳＣＨ及び／又はＰＳＣＣＨに対する少なくてもサブキャリア間隔を含むことができ、ここでＰＳＳＣＨ及び／又はＰＳＣＣＨのＤＭＲＳは現在ＰＳＢＣＨのＤＭＲＳとＱＣＬされて（ｑｕａｓｉｃｏ−ｌｏｃａｔｅｄ）、サブキャリア間隔はｋＨｚ単位に予め定義された値セットから表示される。値セットはキャリア周波数範囲ごとに決定されることができる。
【０３９２】
第４接近方式では、ＰＳＢＣＨコンテンツが周波数オフセットを含むことができ、ここで周波数オフセットはＲＥ−レベルオフセット及びＲＢ−レベルオフセットのうちの少なくとも一つを含むことができ、ここでＲＥ又はＲＢはＰＳＣＣＨのニューマロロジーに関する。
【０３９３】
この接近方式の第１の例では、周波数オフセットがＳ−ＳＳＢの最も低いＲＥとＰＳＣＣＨの最も低いＲＥの間の差を示す。
【０３９４】
この接近方式の第２の例では、周波数オフセットがＳ−ＳＳＢの最も低いＲＥとキャリアの最も低いＲＥの間の差を示す。
【０３９５】
この接近方式の第３の例では、周波数オフセットがＳ−ＳＳＢの最も低いＲＥとＰＳＳＣＨの最も低いＲＥの間の差を示す。
【０３９６】
この接近方式の第４の例では、周波数オフセットがＳ−ＳＳＢの最も低いＲＥとＳ−ＳＳＢが位置したＢＷＰの最も低いＲＥの間の差を示す。
【０３９７】
第５接近方式では、ＰＳＢＣＨコンテンツがＰＳＣＣＨ及び／又はＰＳＳＣＨの構成を含むことができる。
【０３９８】
この接近方式の例で、構成はＢＷＰ構成を含むことができる。
【０３９９】
この接近方式の他の例で、構成はＰＳＣＣＨ及びＰＳＳＣＨの多重化パターンを含むことができる。
【０４００】
この接近方式のまた他の例として、構成はＰＳＣＣＨに対するリソース割り当て、例えば、ＰＳＣＣＨにマッピングされた時間ドメイン及び周波数ドメインリソースを含むことができる。
【０４０１】
この接近方式のまた他の例として、構成はＴＤＤスロット構成を含むことができる。
【０４０２】
第６接近方式では、ＰＳＢＣＨコンテンツがバーストセット内で実際送信されるＳ−ＳＳＢに対する情報を含むことができる。
【０４０３】
一例として、バーストセット内で実際送信されるＳ−ＳＳＢは与えられた帯域又はキャリア周波数範囲に対してサポートされる周期内のＳＳ／ＰＢＣＨブロックの最大数と長さが同一なビットマップである。
【０４０４】
他の接近方式では、ＰＳＢＣＨコンテンツがバーストセット内で実際送信されるＳ−ＳＳＢに対する情報を含まない場合、ＵＥはバーストセット内のすべてのＳ−ＳＳＢが送信されたことで仮定することができる。
【０４０５】
第７接近方式では、ＰＳＢＣＨコンテンツがＳ−ＳＳＢとＰＳＣＣＨ（又はＰＳＳＣＨ）の間の電力オフセットに対する情報を含むことができる。
【０４０６】
例えば、電力オフセットはＳ−ＳＳＢのＳ−ＳＳＳ（又はＰＳＢＣＨのＳ−ＳＳＳ及びＤＭＲＳが同一なＥＰＲＥ又は予め定義されたＥＰＲＥ割合を有する場合、ＰＳＢＣＨのＤＭＲＳと同等）とＰＳＣＣＨのＤＭＲＳの間のリソース要素当たりエネルギー（ＥＰＲＥ）を示すことができる。
【０４０７】
第８接近方式では、ＰＳＢＣＨコンテンツがＳ−ＳＳＢバーストセットの周期に対する情報を含むことができる。
【０４０８】
第９接近方式では、ＰＳＢＣＨコンテンツがＰＳＢＣＨコンテンツのシステム情報カテゴリー表示を含むことができる。
【０４０９】
例えば、システム情報が基地局からのことであるか車両自体からのことであるかを示すために１ビットが用いられることができる。
【０４１０】
他の例で、システム情報が基地局からのことであるか車両自体からのことであるかだけではなく基地局の類型（例えば、ＮＲ基地局又はＬＴＥ基地局）を示すために２ビットが用いられることができる。
【０４１１】
第１０接近方式では、ＰＳＢＣＨコンテンツが今後の拡張のために一つ以上の予備されたビットを含むことができる。
一実施形態では、ＰＳＢＣＨのスクランブリングに対する様態が明示される。
【０４１２】
第１接近方式では、ＰＳＢＣＨのＴＴＩ（ｔｒａｎｓｍｉｓｓｉｏｎ  ｔｉｍｅ  ｉｎｔｅｒｖａｌ）が２＾ｍＤＦＮであり、Ｓ−ＳＳＢバーストセットの周期が２＾ｎＤＦＮの場合（ｍとｎは整数であり、ｍ≧ｎ）、ＰＳＢＣＨコンテンツ内のＤＦＮの（ｎ＋１）番目からｍ番目までのＬＳＢが第１レベルスクランブリングシーケンスによってスクランブリングされなく（ｍ＝ｎの場合、ＤＦＮのすべてのビットがスクランブリングされる）、ＰＳＢＣＨコンテンツの他のビット（ＣＲＣ除外）は第１レベルスクランブリングシーケンスによってスクランブリングされ、ここで第１レベルスクランブリングシーケンスはＤＦＮの（ｎ＋１）番目からｍ番目までのＬＳＢ及びサイドリンク同期化ＩＤを基盤で構成される。第１レベルスクランブリング以後のすべてのビットと第１レベルスクランブリングでスクランブリングされないＤＦＮの（ｎ＋１）番目からｍ番目までのＬＳＢがＣＲＣを生成するのに用いられ、第１レベルスクランブリング以後のすべてのビット、第１レベルスクランブリングでスクランブリングされないＤＦＮの（ｎ＋１）番目からｍ番目までのＬＳＢが、生成されたＣＲＣと共に第２レベルスクランブリングによってスクランブリングされ、ここで第２レベルスクランブリングシーケンスはサイドリンク同期化ＩＤ及び、当該される場合、ＰＳＢＣＨではないＳ−ＳＳＢによって伝達する他のタイミング情報（例えば、ＰＳＢＣＨのＳ−ＳＳＳ及び／又はＤＭＲＳ）を基盤で構成される。この例の図面が図２５に図示されている。
【０４１３】
図２５は、本開示の実施形態によるＰＳＢＣＨ２５００の例示的なスクランブリングを示す図面である。図２５に示されたＰＳＢＣＨ２５００のスクランブリング実施形態はただ説明のためのことである。図２５は本開示の範囲を任意の特定具現で制限しない。
【０４１４】
第２接近方式では、ＰＳＢＣＨのＴＴＩ（Ｔｒａｎｓｍｉｓｓｉｏｎ  Ｔｉｍｅ  Ｉｎｔｅｒｖａｌ）が２＾ｍＤＦＮであり、Ｓ−ＳＳＢバーストセットの周期が２＾ｎＤＦＮの場合（ｍとｎは整数であり、ｍ≧ｎ）、ＰＳＢＣＨコンテンツ内のＤＦＮの第１からｍ番目までのＬＳＢが第１レベルスクランブリングシーケンスによってスクランブリングされなく（ｍ＝０の場合、ＤＦＮのすべてのビットがスクランブリングされる）、ＰＳＢＣＨコンテンツの他のビット（ＣＲＣ除外）は第１レベルスクランブリングシーケンスによってスクランブリングされ、ここで第１レベルスクランブリングシーケンスはＤＦＮの第１からｍ番目までのＬＳＢ及びサイドリンク同期化ＩＤを基盤で構成される。
【０４１５】
第１レベルスクランブリング以後のすべてのビットと第１レベルスクランブリングでスクランブリングされないＤＦＮの第１からｍ番目までのＬＳＢがＣＲＣを生成するのに用いられ、第１レベルスクランブリング以後のすべてのビット、第１レベルスクランブリングでスクランブリングされないＤＦＮの第１からｍ番目までのＬＳＢが、生成されたＣＲＣと共に第２レベルスクランブリングによってスクランブリングされ、ここで第２レベルスクランブリングシーケンスはサイドリンク同期化ＩＤ及び、該当される場合、ＰＳＢＣＨではないＳ−ＳＳＢによって伝達する他のタイミング情報（例えば、ＰＳＢＣＨのＳ−ＳＳＳ及び／又はＤＭＲＳ）を基盤で構成される。この例の図面が図２６に図示されている。
【０４１６】
図２６は、本開示の実施形態によるＰＳＢＣＨ２６００の他の例示的なスクランブリングを示す図面である。図２６に示されたＰＳＢＣＨ２６００のスクランブリングの実施形態はただ説明のためのことである。図２６は本開示の範囲を任意の特定具現で制限しない。
【０４１７】
第３接近方式では、ＰＳＢＣＨのＴＴＩ（ｔｒａｎｓｍｉｓｓｉｏｎ  ｔｉｍｅ  ｉｎｔｅｒｖａｌ）が２＾ｍＤＦＮであり、Ｓ−ＳＳＢバーストセットの周期が２＾ｎＤＦＮの場合（ｍとｎは整数であり、ｍ≧ｎ）、ＰＳＢＣＨコンテンツ内のＤＦＮの第１からｍ番目までのＬＳＢが第１レベルスクランブリングシーケンスによってスクランブリングされなく（ｍ＝０の場合、ＤＦＮのすべてのビットがスクランブリングされる）、ＰＳＢＣＨコンテンツの他のビット（ＣＲＣ除外）は第１レベルスクランブリングシーケンスによってスクランブリングされ、ここで第１レベルスクランブリングシーケンスはＤＦＮの（ｎ＋１）番目からｍ番目までのＬＳＢ及びサイドリンク同期化ＩＤを基盤で構成される。第１レベルスクランブリング以後のすべてのビットと第１レベルスクランブリングでスクランブリングされないＤＦＮの第１からｍ番目までのＬＳＢがＣＲＣを生成するのに用いられ、第１レベルスクランブリング以後のすべてのビット、第１レベルスクランブリングでスクランブリングされないＤＦＮの第１からｍ番目までのＬＳＢが、生成されたＣＲＣと共に第２レベルスクランブリングによってスクランブリングされ、ここで第２レベルスクランブリングシーケンスはサイドリンク同期化ＩＤ及び、該当される場合、ＰＳＢＣＨではないＳ−ＳＳＢによって伝達する他のタイミング情報（例えば、ＰＳＢＣＨのＳ−ＳＳＳ及び／又はＤＭＲＳ）を基盤で構成される。この例の図面が図２７に図示されている。
【０４１８】
図２７は、本開示の実施形態によるＰＳＢＣＨ２７００のまた他の例示的なスクランブリングを示す図面である。図２７に示されたＰＳＢＣＨ２７００のスクランブリング実施形態はただ説明のためのことである。図２７は本開示の範囲を任意の特定具現で制限しない。
【０４１９】
第４接近方式では、ＰＳＢＣＨコンテンツ内のＤＦＮのすべてのビットが第１レベルスクランブリングシーケンスによってスクランブリングされ、ここで第１レベルスクランブリングシーケンスはサイドリンク同期化ＩＤのみを基盤で構成される。第１レベルスクランブリング以後のすべてのビットがＣＲＣを生成するのに用いられ、第１レベルスクランブリング以後のすべてのビットが第２レベルスクランブリングによってスクランブリングされ、ここで第２レベルスクランブリングシーケンスはサイドリンク同期化ＩＤ及び、該当される場合、ＰＳＢＣＨではないＳ−ＳＳＢによって伝達する他のタイミング情報（例えば、ＰＳＢＣＨのＳ−ＳＳＳ及び／又はＤＭＲＳ）を基盤で構成される。この例の図面が図２８に図示されている。
【０４２０】
図２８は、本開示の実施形態によるＰＳＢＣＨ２８００のまた他の例示的なスクランブリングを示す図面である。図２８に示されたＰＳＢＣＨ２８００のスクランブリング実施形態はただ説明のためのことである。図２８は本開示の範囲を任意の特定具現で制限しない。
【０４２１】
第５接近方式では、ＰＳＢＣＨコンテンツ内のＣＲＣ以外のすべてのビットがスクランブリングシーケンスによってスクランブリングされ、ここでスクランブリングシーケンスはサイドリンク同期化ＩＤ及び、当たる場合、ＰＳＢＣＨではないＳ−ＳＳＢによって伝達する他のタイミング情報（例えば、ＰＳＢＣＨのＳ−ＳＳＳ及び／又はＤＭＲＳ）を基盤で構成される。スクランブリング以後のすべてのビットがＣＲＣを生成するのに用いられる。この接近方式にはスクランブリングレベルが一つだけである。この例の図面が図２９に図示されている。
【０４２２】
図２９は、本開示の実施形態によるＰＳＢＣＨ２９００のまた他の例示的なスクランブリングを示す図面である。図２９に示されたＰＳＢＣＨ２９００のスクランブリングの実施形態はただ説明のためのことである。図２９は本開示の範囲を任意の特定具現で制限しない。
一実施形態で、ＰＳＢＣＨのＤＭＲＳのＲＥマッピングに対する様態が明示される。
【０４２３】
第１接近方式では、Ｓ−ＳＳＢ内のシンボルの一部がＰＳＢＣＨのＤＭＲＳのためにマッピングされ、これによってＰＳＢＣＨのＤＭＲＳを含むシンボルがＰＳＢＣＨを含むシンボルと共に時分割多重化（ＴＤＭｅｄ）されるようにする。
【０４２４】
一つの下位接近方式では、Ｓ−ＳＳＢのＢＷが１２ＲＢより大きく、Ｓ−ＳＳＳのＢＷが１２ＲＢの場合、Ｓ−ＳＳＢ内のＳ−ＳＳＳを含むシンボルで、Ｓ−ＳＳＳにマッピングされない残りＲＢがＰＳＢＣＨのＤＭＲＳのためにマッピングされることができる。
【０４２５】
この接近方式の例では、２つ以上のＴＤＭパターンがサポートされることができ、各ＴＤＭパターンはサイドリンク同期化ＩＤグループと連関される。例えば、サイドリンク同期化ＩＤらが２個のグループ（例えば、ネットワーク−内の及びネットワーク−外）で分けられることができ、ＵＥはＳ−ＰＳＳ及び／又はＳ−ＳＳＳから検出されたサイドリンク同期化ＩＤによって、ＰＳＢＣＨのＤＭＲＳを含むシンボルとＰＳＢＣＨを含むシンボルのＴＤＭパターンを仮定する。２個のＴＤＭパターンの一例が図３０に図示すされ、ここで第１のＴＤＭパターンでＰＳＢＣＨのＤＭＲＳを含むシンボルのうちの一部は第２のＴＤＭパターンでＰＳＢＣＨのためにマッピングされ、第１のＴＤＭパターンでＰＳＢＣＨを含むシンボルのうちの一部は第２のＴＤＭパターンでＰＳＢＣＨのＤＭＲＳのためにマッピングされる。
【０４２６】
図３０は、本開示の実施形態によるＰＳＢＣＨ及びＤＭＲＳ３０００の例示的なＴＤＭパターンを示す図面である。図３０に示されたＰＳＢＣＨ及びＤＭＲＳ３０００のＴＤＭパターンの実施形態はただ説明のためのことである。図３０は本開示の範囲を任意の特定具現で制限しない。
【０４２７】
第２接近方式では、ＰＳＢＣＨのＤＭＲＳがＰＳＢＣＨを伝達するＲＥを含む各ＲＢ内のＲＥの一部にマッピングされ、これによってＰＳＢＣＨのＤＭＲＳを伝達するＲＥがＰＳＢＣＨを伝達するＲＥとインタリーブされた周波数分割多重化（ＩＦＤＭｅｄ）されるようにする。
【０４２８】
この接近方式の例では、ＰＳＢＣＨのＤＭＲＳを伝達するＲＥのＲＢ内のＲＥインデックスがＮ＿ＲＥ＾ＤＭＲＳ  ｍｏｄ４＝１又はＮ＿ＲＥ＾ＤＭＲＳ  ｍｏｄ２＝０のように仕様で固定され、ここでＮ＿ＲＥ＾ＤＭＲＳはＰＳＢＣＨのＤＭＲＳを伝達するＲＥのＲＢ内にあるＲＥインデックスである。
【０４２９】
この接近方式の他の例では、ＰＳＢＣＨのＤＭＲＳを伝達するＲＥのＲＢ内にあるＲＥインデックスがサイドリンク同期化ＩＤによって決定される。一つの下位例において、Ｎ＿ＲＥ＾ＤＭＲＳ  ｍｏｄ４＝（Ｎ＿ＩＤ＾ＳＬ  ｍｏｄ４）であり、ここでＮ＿ＲＥ＾ＤＭＲＳはＰＳＢＣＨのＤＭＲＳを伝達するＲＥのＲＢ内にあるＲＥインデックスである。他の下位例において、Ｎ＿ＲＥ＾ＤＭＲＳ  ｍｏｄ２＝（Ｎ＿ＩＤ＾ＳＬ  ｍｏｄ２）で、ここでＮ＿ＲＥ＾ＤＭＲＳはＰＳＢＣＨのＤＭＲＳを伝達するＲＥのＲＢ内にあるＲＥインデックスである。
【０４３０】
一実施形態では、システム情報の一部が予め構成されることもでき、ソースと同期化を試みるＶ２Ｘ  ＵＥに知られる。
【０４３１】
予め構成されたシステム情報を構成するために一つ以上の接近方式が同時にサポートされることができる。例えば、一部接近方式又は接近方式の例はキャリア周波数範囲に対してだけサポートされることができる。
【０４３２】
第１接近方式では、予め構成されたシステム情報がＮＲサイドリンクに対するニューマロロジーを含むことができ、ニューマロロジーの追加構成がある場合、すべてのＮＲサイドリンク信号及びチャンネルは、さらに構成されるまで予め構成されたニューマロロジーを用いる。ニューマロロジーは少なくとも一つのサブキャリア間隔とＣＰ長さを含む。
【０４３３】
第２接近方式では、予め構成されたシステム情報がサイドリンクキャリア帯域幅を含むことができる。
【０４３４】
この接近方式の第１の例は、サイドリンクキャリア帯域幅がＲＢ単位で定義された値セットから表示され、ここでＲＢは予め構成された情報内に含まれるＳＣＳに係る。値セットはキャリア周波数範囲ごとに決定されることができる。
【０４３５】
この接近方式の第２の例では、サイドリンクキャリア帯域幅がＭＨｚ単位で定義された値セットから表示される。値セットはキャリア周波数範囲ごとに決定されることができる。
【０４３６】
第３接近方式で、予め構成されたシステム情報は、ＳＳ／ＰＢＣＨブロックが周波数ドメインで位置される同期化ラスターエントリーを含むことができる。
【０４３７】
一例として、同期化エントリーは与えられた帯域に対する予め定義された周波数位置セットから選択されることができる。
【０４３８】
第４接近方式では、予め構成されたシステム情報が周波数オフセットを含むことができ、ここで周波数オフセットはＲＥ−レベルオフセット及びＲＢ−レベルオフセットのうちの少なくとも一つを含むことができ、ここでＲＥ又はＲＢは予め構成された情報内のニューマロロジーに係る。
【０４３９】
この接近方式の第１の例で、周波数オフセットはＳ−ＳＳＢの最も低いＲＥとＰＳＣＣＨの最も低いＲＥの間の差を示す。
【０４４０】
この接近方式の第２の例で、周波数オフセットはＳ−ＳＳＢの最も低いＲＥとキャリアの最も低いＲＥの間の差を示す。
【０４４１】
この接近方式の第３の例で、周波数オフセットはＳ−ＳＳＢの最も低いＲＥとＰＳＳＣＨの最も低いＲＥの間の差を示す。
【０４４２】
この接近方式の第４の例で、周波数オフセットはＳ−ＳＳＢの最も低いＲＥとＳ−ＳＳＢが位置したＢＷＰの最も低いＲＥの間の差を示す。
【０４４３】
第５接近方式では、予め構成されたシステム情報がＢＷＰ構成を含むことができる。ニューマロロジーの追加構成がある場合、すべてのＮＲサイドリンク信号及びチャンネルは、さらに構成されるまで予め構成されたＢＷＰを用いることに仮定される。
【０４４４】
第６接近方式では、予め構成されたシステム情報がバーストセット内で実際に送信されるＳ−ＳＳＢの表示を含むことができる。
【０４４５】
一例として、バーストセット内で実際送信されるＳ−ＳＳＢは与えられた帯域又はキャリア周波数範囲に対してサポートされる周期内でのＳ−ＳＳＢの最大数と同一な長さを有するビットマップである。
【０４４６】
第７接近方式では、予め構成されたシステム情報がＳ−ＳＳＢバーストセットの周期を含むことができる。
【０４４７】
一実施形態で、一つのサイドリンクＳＳ／ＰＢＣＨブロック（Ｓ−ＳＳＢ）はサイドリンクプライマリー同期化信号（Ｓ−ＰＳＳ）のためにマッピングされた２個のＯＦＤＭシンボル、サイドリンクセカンダリー同期化信号（Ｓ−ＳＳＳ）のためにマッピングされた２個のＯＦＤＭシンボル、及び物理的サイドリンクブロードキャストチャンネル（ＰＳＢＣＨ）及び関連復調基準信号（ＤＭＲＳ）のためにマッピングされたＸ個のＯＦＤＭシンボルを含む。したがって、全体的に、Ｓ−ＳＳＢはＸ＋４個のＯＦＤＭシンボルにかけており、Ｘ＋４個のＯＦＤＭシンボルは時間ドメインで連続的である。
【０４４８】
一接近方式で、ＸはすべてのＳ−ＳＳＢに対して固定される。本実施形態の例のうちの一つはＸが固定された場合にＳ−ＳＳＢの構成に適用されることができる。
【０４４９】
他の接近方式で、Ｘは可変／構成することができ、同期化ソースに同期化を試みるＶ２Ｘ  ＵＥに事前構成が知られている。Ｘが可変／構成可能な場合、本実施形態の例のうちの少なくとも一つが与えられたＸに対するＳ−ＳＳＢの構成に適用されることができる。
【０４５０】
この接近方式の例で、ＸはＳ−ＳＳＢのニュ−モロ−ルロである（例えば、サイクリックプレフィックス長さ）によって異なることができ、例えば、一般ＣＰの場合、一つのＳ−ＳＳＢはＰＳＢＣＨ及びＤＭＲＳのためにマッピングされたＸ＿１個のシンボルを有する一方、拡張ＣＰの場合、一つのＳ−ＳＳＢはＰＳＢＣＨ及びＤＭＲＳのためにマッピングされたＸ＿２個のシンボルを有し、ここでＸ＿１はＸ＿２と異なり（例えば、Ｘ＿１＞Ｘ＿２）、Ｓ−ＳＳＢ構成は一般ＣＰ及び拡張ＣＰに対して異なることができる（例えば、ＰＳＢＣＨ及びＤＭＲＳに対してＸ＿１個のシンボルを有するこの実施形態の一例が一般ＣＰに用いられ、ＰＳＢＣＨ及びＤＭＲＳに対してＸ＿２個のシンボルを有するこの実施形態の他の例が拡張ＣＰに用いられる）。一例として、拡張ＣＰに対するＳ−ＳＳＢは一般ＣＰに対するＳ−ＳＳＢから最後のシンボル（例えば、Ｘ＿１＝Ｘ＿２＋２となる最後の２つのシンボル）ほど切られる。このインスタンスに対する一つの特定考慮事項では、Ｘ＿１＝１２及びＸ＿２＝１０である。このインスタンスに対するまた他の特定考慮事項では、Ｘ＿１＝１３及びＸ＿２＝１１である。
【０４５１】
一接近方式で、Ｓ−ＳＳＢは８個のＯＦＤＭシンボル（例えば、Ｘ＝４）で構成される。
【０４５２】
図３１は、本開示の実施形態による例示的なＳ−ＳＳＢ３１００を示す図面である。図３１に示されたＳ−ＳＳＢ３１００の実施形態はただ説明のためのことである。図３１は本開示の範囲を任意の特定具現で制限しない。
【０４５３】
一例として（例えば、図３１の３１０１）、Ｓ−ＳＳＢの＃２及び＃３シンボルはＳ−ＰＳＳのためにマッピングされ、Ｓ−ＳＳＢの＃５及び＃７シンボルはＳ−ＳＳＳのためにマッピングされ、Ｓ−ＳＳＢの＃１、＃４、＃６及び＃８シンボルはＰＳＢＣＨ及びＤＭＲＳのためにマッピングされる。
【０４５４】
他の例として（例えば、図３１の３１０２）、Ｓ−ＳＳＢの＃２及び＃３シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃１、＃４、＃５及び＃６シンボルはＰＳＢＣＨ及びＤＭＲＳのためにマッピングされる。
【０４５５】
また他の例として（例えば、図３１の３１０３）、Ｓ−ＳＳＢの＃２及び＃３シンボルはＳ−ＰＳＳのためにマッピングされ、Ｓ−ＳＳＢの＃５及び＃６シンボルはＳ−ＳＳＳのためにマッピングされ、Ｓ−ＳＳＢの＃１、＃４、＃７及び＃８シンボルはＰＳＢＣＨ及びＤＭＲＳのためにマッピングされる。
【０４５６】
また他の例として（例えば、図３１の３１０４）、Ｓ−ＳＳＢの＃２及び＃３シンボルはＳ−ＰＳＳのためにマッピングされ、Ｓ−ＳＳＢの＃６及び＃７シンボルはＳ−ＳＳＳのためにマッピングされ、Ｓ−ＳＳＢの＃１、＃４、＃５及び＃８シンボルはＰＳＢＣＨ及びＤＭＲＳのためにマッピングされる。
【０４５７】
また他の例として（例えば、図３１の３１０５）、Ｓ−ＳＳＢの＃１及び＃２シンボルはＳ−ＰＳＳのためにマッピングされ、Ｓ−ＳＳＢの＃４及び＃７シンボルはＳ−ＳＳＳのためにマッピングされ、Ｓ−ＳＳＢの＃３、＃５、＃６及び＃８シンボルはＰＳＢＣＨ及びＤＭＲＳのためにマッピングされる。
【０４５８】
また他の例として（例えば、図３１の３１０６）、Ｓ−ＳＳＢの＃１及び＃２シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃３、＃４、＃５及び＃６シンボルはＰＳＢＣＨ及びＤＭＲＳのためにマッピングされる。
【０４５９】
また他の例として（図３１の３１０７）、Ｓ−ＳＳＢの＃１及び＃２シンボルはＳ−ＰＳＳのためにマッピングされ、Ｓ−ＳＳＢの＃５及び＃６シンボルはＳ−ＳＳＳのためにマッピングされ、Ｓ−ＳＳＢの＃３、＃４、＃７及び＃８シンボルはＰＳＢＣＨ及びＤＭＲＳのためにマッピングされる。
【０４６０】
他の接近方式で、Ｓ−ＳＳＢは９個のＯＦＤＭシンボル（例えば、Ｘ＝５）で構成される。
【０４６１】
図３２は、本開示の実施形態による他の例示的なＳ−ＳＳＢ３２００を示す図面である。図３２に示されたＳ−ＳＳＢ３２００の実施形態はただ説明のためのことである。図３２は本開示の範囲を任意の特定具現で制限しない。
【０４６２】
一例として（例えば、図３２の３２０１）、Ｓ−ＳＳＢの＃２及び＃３シンボルはＳ−ＰＳＳのためにマッピングされ、Ｓ−ＳＳＢの＃５及び＃７シンボルはＳ−ＳＳＳのためにマッピングされ、Ｓ−ＳＳＢの＃１、＃４、＃６、＃８及び＃９シンボルはＰＳＢＣＨ及びＤＭＲＳのためにマッピングされる。
【０４６３】
他の例として（例えば、図３２の３２０２）、Ｓ−ＳＳＢの＃２及び＃３シンボルはＳ−ＰＳＳのためにマッピングされ、Ｓ−ＳＳＢの＃８及び＃９シンボルはＳ−ＳＳＳのためにマッピングされ、Ｓ−ＳＳＢの＃１、＃４、＃５、＃６及び＃７シンボルはＰＳＢＣＨ及びＤＭＲＳのためにマッピングされる。
【０４６４】
また他の例として（例えば、図３２の３２０３）、Ｓ−ＳＳＢの＃２及び＃３シンボルはＳ−ＰＳＳのためにマッピングされ、Ｓ−ＳＳＢの＃６及び＃７シンボルはＳ−ＳＳＳのためにマッピングされ、Ｓ−ＳＳＢの＃１、＃４、＃５、＃８及び＃９シンボルはＰＳＢＣＨ及びＤＭＲＳのためにマッピングされる。
【０４６５】
また他の例として（例えば、図３２の３２０４）、Ｓ−ＳＳＢの＃２及び＃３シンボルはＳ−ＰＳＳのためにマッピングされ、Ｓ−ＳＳＢの＃５及び＃８シンボルはＳ−ＳＳＳのためにマッピングされ、Ｓ−ＳＳＢの＃１、＃４、＃６、＃７及び＃９シンボルはＰＳＢＣＨ及びＤＭＲＳのためにマッピングされる。
【０４６６】
また他の例として（例えば、図３２の３２０５）、Ｓ−ＳＳＢの＃１及び＃２シンボルはＳ−ＰＳＳのためにマッピングされ、Ｓ−ＳＳＢの＃４及び＃８シンボルはＳ−ＳＳＳのためにマッピングされ、Ｓ−ＳＳＢの＃３、＃５、＃６、＃７及び＃９シンボルはＰＳＢＣＨ及びＤＭＲＳのためにマッピングされる。
【０４６７】
また他の例として（例えば、図３２の３２０６）、Ｓ−ＳＳＢの＃１及び＃２シンボルはＳ−ＰＳＳのためにマッピングされ、Ｓ−ＳＳＢの＃８及び＃９シンボルはＳ−ＳＳＳのためにマッピングされ、Ｓ−ＳＳＢの＃３、＃４、＃５、＃６及び＃７シンボルはＰＳＢＣＨ及びＤＭＲＳのためにマッピングされる。
【０４６８】
また他の例として（例えば、図３２の３２０７）、Ｓ−ＳＳＢの＃１及び＃２シンボルはＳ−ＰＳＳのためにマッピングされ、Ｓ−ＳＳＢの＃５及び＃６シンボルはＳ−ＳＳＳのためにマッピングされ、Ｓ−ＳＳＢの＃３、＃４、＃７、＃８及び＃９シンボルはＰＳＢＣＨ及びＤＭＲＳのためにマッピングされる。
【０４６９】
また他の例として（例えば、図３２の３２０８）、Ｓ−ＳＳＢの＃１及び＃２シンボルはＳ−ＰＳＳのためにマッピングされ、Ｓ−ＳＳＢの＃６及び＃７シンボルはＳ−ＳＳＳのためにマッピングされ、Ｓ−ＳＳＢの＃３、＃４、＃５、＃８及び＃９シンボルはＰＳＢＣＨ及びＤＭＲＳのためにマッピングされる。
【０４７０】
また他の例として（例えば、図３２の３２０９）、Ｓ−ＳＳＢの＃１及び＃２シンボルはＳ−ＰＳＳのためにマッピングされ、Ｓ−ＳＳＢの＃５及び＃７シンボルはＳ−ＳＳＳのためにマッピングされ、Ｓ−ＳＳＢの＃３、＃４、＃６、＃８及び＃９シンボルはＰＳＢＣＨ及びＤＭＲＳのためにマッピングされる。
【０４７１】
また他の接近方式で、Ｓ−ＳＳＢは１０個のＯＦＤＭシンボル（例えば、Ｘ＝６）で構成される。
【０４７２】
図３３Ａは、本開示の実施形態によるまた他の例示的なＳ−ＳＳＢ３３００を示す図面である。図３３Ａに示されたＳ−ＳＳＢ３３００の実施形態はただ説明のためのことである。図３３Ａは本開示の範囲を任意の特定具現で制限しない。
【０４７３】
一例として（例えば、図３３Ａの３３０１）、Ｓ−ＳＳＢの＃２及び＃３シンボルはＳ−ＰＳＳのためにマッピングされ、Ｓ−ＳＳＢの＃６及び＃８シンボルはＳ−ＳＳＳのためにマッピングされ、Ｓ−ＳＳＢの＃１、＃４、＃５、＃７、＃９及び＃１０シンボルはＰＳＢＣＨ及びＤＭＲＳのためにマッピングされる。
【０４７４】
他の例として（例えば、図３３Ａの３３０２）、Ｓ−ＳＳＢの＃２及び＃３シンボルはＳ−ＰＳＳのためにマッピングされてＳ−ＳＳＢの＃９及び＃１０シンボルはＳ−ＳＳＳのためにマッピングされ、Ｓ−ＳＳＢの＃１、＃４、＃５、＃６、＃７及び＃８シンボルはＰＳＢＣＨ及びＤＭＲＳのためにマッピングされる。
【０４７５】
また他の例として（例えば、図３３Ａの３３０３）、Ｓ−ＳＳＢの＃２及び＃３シンボルはＳ−ＰＳＳのためにマッピングされ、Ｓ−ＳＳＢの＃６及び＃７シンボルはＳ−ＳＳＳのためにマッピングされ、Ｓ−ＳＳＢの＃１、＃４、＃５、＃８、＃９及び＃１０シンボルはＰＳＢＣＨ及びＤＭＲＳのためにマッピングされる。
【０４７６】
また他の例として（例えば、図３３Ａの３３０４）、Ｓ−ＳＳＢの＃２及び＃３シンボルはＳ−ＰＳＳのためにマッピングされ、Ｓ−ＳＳＢの＃５及び＃９シンボルはＳ−ＳＳＳのためにマッピングされ、Ｓ−ＳＳＢの＃１、＃４、＃６、＃７、＃８及び＃１０シンボルはＰＳＢＣＨ及びＤＭＲＳのためにマッピングされる。
【０４７７】
また他の例として（例えば、図３３Ａの３３０５）、Ｓ−ＳＳＢの＃２及び＃３シンボルはＳ−ＰＳＳのためにマッピングされ、Ｓ−ＳＳＢの＃５及び＃６シンボルはＳ−ＳＳＳのためにマッピングされ、Ｓ−ＳＳＢの＃１、＃４、＃７、＃８、＃９及び＃１０シンボルはＰＳＢＣＨ及びＤＭＲＳのためにマッピングされる。
【０４７８】
また他の例として（例えば、図３３Ａの３３０６）、Ｓ−ＳＳＢの＃１及び＃２シンボルはＳ−ＰＳＳのためにマッピングされ、Ｓ−ＳＳＢの＃９及び＃１０シンボルはＳ−ＳＳＳのためにマッピングされ、Ｓ−ＳＳＢの＃３、＃４、＃５、＃６、＃７及び＃８シンボルはＰＳＢＣＨ及びＤＭＲＳのためにマッピングされる。
【０４７９】
また他の例として（図３３Ａの３３０７）、Ｓ−ＳＳＢの＃１及び＃２シンボルはＳ−ＰＳＳのためにマッピングされ、Ｓ−ＳＳＢの＃６及び＃７シンボルはＳ−ＳＳＳのためにマッピングされ、＃Ｓ−ＳＳＢの３、＃４、＃５、＃８、＃９及び＃１０シンボルはＰＳＢＣＨ及びＤＭＲＳのためにマッピングされる。
【０４８０】
また他の例として（例えば、図３３Ａの３３０８）、Ｓ−ＳＳＢの＃１及び＃２シンボルはＳ−ＰＳＳのためにマッピングされ、Ｓ−ＳＳＢの＃５及び＃８シンボルはＳ−ＳＳＳのためにマッピングされ、Ｓ−ＳＳＢの＃３、＃４、＃６、＃７、＃９及び＃１０シンボルはＰＳＢＣＨ及びＤＭＲＳのためにマッピングされる。
【０４８１】
また他の例として（例えば、図３３Ａの３３０９）、Ｓ−ＳＳＢの＃１及び＃２シンボルはＳ−ＰＳＳのためにマッピングされ、Ｓ−ＳＳＢの＃４及び＃９シンボルはＳ−ＳＳＳのためにマッピングされ、Ｓ−ＳＳＢの＃３、＃５、＃６、＃７、＃８及び＃１０シンボルはＰＳＢＣＨ及びＤＭＲＳのためにマッピングされる。
【０４８２】
図３３Ｂは、本開示の実施形態によるまた他の例示的なＳ−ＳＳＢ３３２０を示す図面である。図３３Ｂに示されたＳ−ＳＳＢ３３２０の実施形態はただ説明のためのことである。図３３Ｂは本開示の範囲を任意の特定具現で制限しない。
【０４８３】
また他の例として（例えば、図３３Ｂの３３１０）、Ｓ−ＳＳＢの＃１及び＃２シンボルはＳ−ＰＳＳのためにマッピングされ、Ｓ−ＳＳＢの＃３及び＃４シンボルはＳ−ＳＳＳのためにマッピングされ、Ｓ−ＳＳＢの＃５、＃６、＃７、＃８、＃９及び＃１０シンボルはＰＳＢＣＨ及びＤＭＲＳのためにマッピングされる。
【０４８４】
また他の例として（例えば、図３３Ｂの３３１１）、Ｓ−ＳＳＢの＃１及び＃２シンボルはＳ−ＰＳＳのためにマッピングされ、Ｓ−ＳＳＢの＃４及び＃５シンボルはＳ−ＳＳＳのためにマッピングされ、Ｓ−ＳＳＢの＃３、＃６、＃７、＃８、＃９及び＃１０シンボルはＰＳＢＣＨ及びＤＭＲＳのためにマッピングされる。
【０４８５】
また他の例として（例えば、図３３Ｂの３３１２）、Ｓ−ＳＳＢの＃１及び＃２シンボルはＳ−ＰＳＳのためにマッピングされ、Ｓ−ＳＳＢの＃５及び＃６シンボルはＳ−ＳＳＳのためにマッピングされ、Ｓ−ＳＳＢの＃３、＃４、＃７、＃８、＃９及び＃１０シンボルはＰＳＢＣＨ及びＤＭＲＳのためにマッピングされる。
【０４８６】
また他の例として（例えば、図３３Ｂの３３１３）、Ｓ−ＳＳＢの＃１及び＃２シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃３、＃４、＃５、＃６、＃９及び＃１０シンボルはＰＳＢＣＨ及びＤＭＲＳのためにマッピングされる。
【０４８７】
また他の例として（例えば、図３３Ｂの３３１４）、Ｓ−ＳＳＢの＃１及び＃２シンボルはＳ−ＰＳＳのためにマッピングされ、Ｓ−ＳＳＢの＃８及び＃９シンボルはＳ−ＳＳＳのためにマッピングされ、Ｓ−ＳＳＢの＃３、＃４、＃５、＃６、＃７及び＃１０シンボルはＰＳＢＣＨ及びＤＭＲＳのためにマッピングされる。
【０４８８】
また他の例として（例えば、図３３Ｂの３３１５）、Ｓ−ＳＳＢの＃１及び＃２シンボルはＳ−ＰＳＳのためにマッピングされ、Ｓ−ＳＳＢの＃４及び＃１０シンボルはＳ−ＳＳＳのためにマッピングされ、Ｓ−ＳＳＢの＃３、＃５、＃６、＃７、＃８及び＃９シンボルはＰＳＢＣＨ及びＤＭＲＳのためにマッピングされる。
【０４８９】
また他の例として（例えば、図３３Ｂの３３１６）、Ｓ−ＳＳＢの＃１及び＃２シンボルはＳ−ＰＳＳのためにマッピングされ、Ｓ−ＳＳＢの＃５及び＃１０シンボルはＳ−ＳＳＳのためにマッピングされ、Ｓ−ＳＳＢの＃３、＃４、＃６、＃７、＃８及び＃９シンボルはＰＳＢＣＨ及びＤＭＲＳのためにマッピングされる。
【０４９０】
また他の例として（例えば、図３３Ｂの３３１７）、Ｓ−ＳＳＢの＃１及び＃２シンボルはＳ−ＰＳＳのためにマッピングされ、Ｓ−ＳＳＢの＃６及び＃１０シンボルはＳ−ＳＳＳのためにマッピングされ、Ｓ−ＳＳＢの＃３、＃４、＃５、＃７、＃８及び＃９シンボルはＰＳＢＣＨ及びＤＭＲＳのためにマッピングされる。
【０４９１】
また他の例として（例えば、図３３Ｂの３３１８）、Ｓ−ＳＳＢの＃２及び＃３シンボルはＳ−ＰＳＳのためにマッピングされ、Ｓ−ＳＳＢの＃１及び＃４シンボルはＳ−ＳＳＳのためにマッピングされ、Ｓ−ＳＳＢの＃５、＃６、＃７、＃８、＃９及び＃１０シンボルはＰＳＢＣＨ及びＤＭＲＳのためにマッピングされる。
【０４９２】
また他の接近方式で、Ｓ−ＳＳＢは１１個のＯＦＤＭシンボル（例えば、Ｘ＝７）で構成される。
【０４９３】
図３４Ａは、本開示の実施形態によるまた他の例示的なＳ−ＳＳＢ３４００を示す図面である。図３４Ａに示されたｇＮＢ１０２の実施形態はただ説明のためのことである。図３４Ａは本開示の範囲を任意の特定具現で制限しない。
【０４９４】
一例として（例えば、図３４Ａの３４０１）、Ｓ−ＳＳＢの＃２及び＃３シンボルはＳ−ＰＳＳのためにマッピングされ、Ｓ−ＳＳＢの＃６及び＃９シンボルはＳ−ＳＳＳのためにマッピングされ、Ｓ−ＳＳＢの＃１、＃４、＃５、＃７、＃８、＃１０及び＃１１シンボルはＰＳＢＣＨ及びＤＭＲＳのためにマッピングされる。
【０４９５】
他の例として（例えば、図３４Ａの３４０２）、Ｓ−ＳＳＢの＃２及び＃３シンボルはＳ−ＰＳＳのためにマッピングされ、Ｓ−ＳＳＢの＃１０及び＃１１シンボルはＳ−ＳＳＳのためにマッピングされ、Ｓ−ＳＳＢの＃１、＃４、＃５、＃６、＃７、＃８及び＃９シンボルはＰＳＢＣＨ及びＤＭＲＳのためにマッピングされる。
【０４９６】
また他の例として（例えば、図３４Ａの３４０３）、Ｓ−ＳＳＢの＃２及び＃３シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃１、＃４、＃５、＃６、＃９、＃１０及び＃１１シンボルはＰＳＢＣＨ及びＤＭＲＳのためにマッピングされる。
【０４９７】
また他の例として（例えば、図３４Ａの３４０４）、Ｓ−ＳＳＢの＃２及び＃３シンボルはＳ−ＰＳＳのためにマッピングされ、Ｓ−ＳＳＢの＃５及び＃９シンボルはＳ−ＳＳＳのためにマッピングされ、Ｓ−ＳＳＢの＃１、＃４、＃６、＃７、＃８、＃１０及び＃１１シンボルはＰＳＢＣＨ及びＤＭＲＳのためにマッピングされる。
【０４９８】
また他の例として（例えば、図３４Ａの３４０５）、Ｓ−ＳＳＢの＃２及び＃３シンボルはＳ−ＰＳＳのためにマッピングされ、Ｓ−ＳＳＢの＃６及び＃７シンボルはＳ−ＳＳＳのためにマッピングされ、Ｓ−ＳＳＢの＃１、＃４、＃５、＃８、＃９、＃１０及び＃１１シンボルはＰＳＢＣＨ及びＤＭＲＳのためにマッピングされる。
【０４９９】
また他の例として（例えば、図３４Ａの３４０６）、Ｓ−ＳＳＢの＃１及び＃２シンボルはＳ−ＰＳＳのためにマッピングされ、Ｓ−ＳＳＢの＃１０及び＃１１シンボルはＳ−ＳＳＳのためにマッピングされ、Ｓ−ＳＳＢの＃３、＃４、＃５、＃６、＃７、＃８及び＃９シンボルはＰＳＢＣＨ及びＤＭＲＳのためにマッピングされる。
【０５００】
また他の例として（例えば、図３４Ａの３４０７）、Ｓ−ＳＳＢの＃１及び＃２シンボルはＳ−ＰＳＳのためにマッピングされ、Ｓ−ＳＳＢの＃６及び＃７シンボルはＳ−ＳＳＳのためにマッピングされ、Ｓ−ＳＳＢの＃３、＃４、＃５、＃８、＃９、＃１０及び＃１１シンボルはＰＳＢＣＨ及びＤＭＲＳのためにマッピングされる。
【０５０１】
また他の例として（例えば、図３４Ａの３４０８）、Ｓ−ＳＳＢの＃１及び＃２シンボルはＳ−ＰＳＳのためにマッピングされ、Ｓ−ＳＳＢの＃５及び＃９シンボルはＳ−ＳＳＳのためにマッピングされ、Ｓ−ＳＳＢの＃３、＃４、＃６、＃７、＃８、＃１０及び＃１１シンボルはＰＳＢＣＨ及びＤＭＲＳのためにマッピングされる。
［５６２］
【０５０２】
また他の例として（例えば、図３４Ａの３４０９）、Ｓ−ＳＳＢの＃１及び＃２シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃３、＃４、＃５、＃６、＃９、＃１０及び＃１１シンボルはＰＳＢＣＨ及びＤＭＲＳのためにマッピングされる。
［５６３］
【０５０３】
図３４Ｂは、本開示の実施形態によるまた他の例示的なＳ−ＳＳＢ３４２０を示す図面である。図３４Ｂに示されたＳ−ＳＳＢ３４２０の実施形態はただ説明のためのことである。図３４Ｂは本開示の範囲を任意の特定具現で制限しない。
【０５０４】
また他の例として（例えば、図３４Ｂの３４１０）、Ｓ−ＳＳＢの＃２及び＃３シンボルはＳ−ＰＳＳのためにマッピングされ、Ｓ−ＳＳＢの＃４及び＃５シンボルはＳ−ＳＳＳのためにマッピングされ、Ｓ−ＳＳＢの＃１、＃６、＃７、＃８、＃９、＃１０及び＃１１シンボルはＰＳＢＣＨ及びＤＭＲＳのためにマッピングされる。
【０５０５】
また他の例として（例えば、図３４Ｂの３４１１）、Ｓ−ＳＳＢの＃２及び＃３シンボルはＳ−ＰＳＳのためにマッピングされ、Ｓ−ＳＳＢの＃５及び＃６シンボルはＳ−ＳＳＳのためにマッピングされ、Ｓ−ＳＳＢの＃１、＃４、＃７、＃８、＃９、＃１０及び＃１１シンボルはＰＳＢＣＨ及びＤＭＲＳのためにマッピングされる。
【０５０６】
また他の例として（例えば、図３４Ｂの３４１２）、Ｓ−ＳＳＢの＃２及び＃３シンボルはＳ−ＰＳＳのためにマッピングされ、Ｓ−ＳＳＢの＃８及び＃９シンボルはＳ−ＳＳＳのためにマッピングされ、Ｓ−ＳＳＢの＃１、＃４、＃５、＃６、＃７、＃１０及び＃１１シンボルはＰＳＢＣＨ及びＤＭＲＳのためにマッピングされる。
【０５０７】
また他の例として（例えば、図３４Ｂの３４１３）、Ｓ−ＳＳＢの＃２及び＃３シンボルはＳ−ＰＳＳのためにマッピングされ、Ｓ−ＳＳＢの＃９及び＃１０シンボルはＳ−ＳＳＳのためにマッピングされ、Ｓ−ＳＳＢの＃１、＃４、＃５、＃６、＃７、＃８及び＃１１シンボルはＰＳＢＣＨ及びＤＭＲＳのためにマッピングされる。
【０５０８】
また他の例として（例えば、図３４Ｂの３４１４）、Ｓ−ＳＳＢの＃２及び＃３シンボルはＳ−ＰＳＳのためにマッピングされ、Ｓ−ＳＳＢの＃５及び＃１１シンボルはＳ−ＳＳＳのためにマッピングされ、Ｓ−ＳＳＢの＃１、＃４、＃６、＃７、＃８、＃９及び＃１０シンボルはＰＳＢＣＨ及びＤＭＲＳのためにマッピングされる。
【０５０９】
また他の例として（例えば、図３４Ｂの３４１５）、Ｓ−ＳＳＢの＃２及び＃３シンボルはＳ−ＰＳＳのためにマッピングされ、Ｓ−ＳＳＢの＃５及び＃１０シンボルはＳ−ＳＳＳのためにマッピングされ、Ｓ−ＳＳＢの＃１、＃４、＃６、＃７、＃８、＃９及び＃１１シンボルはＰＳＢＣＨ及びＤＭＲＳのためにマッピングされる。
【０５１０】
また他の例として（例えば、図３４Ｂの３４１６）、Ｓ−ＳＳＢの＃２及び＃３シンボルはＳ−ＰＳＳのためにマッピングされ、Ｓ−ＳＳＢの＃６及び＃１１シンボルはＳ−ＳＳＳのためにマッピングされ、Ｓ−ＳＳＢの＃１、＃４、＃５、＃７、＃８、＃９及び＃１０シンボルはＰＳＢＣＨ及びＤＭＲＳのためにマッピングされる。
【０５１１】
また他の例として（例えば、図３４Ｂの３４１７）、Ｓ−ＳＳＢの＃３及び＃４シンボルはＳ−ＰＳＳのためにマッピングされ、Ｓ−ＳＳＢの＃２及び＃５シンボルはＳ−ＳＳＳのためにマッピングされ、Ｓ−ＳＳＢの＃１、＃６、＃７、＃８、＃９、＃１０及び＃１１シンボルはＰＳＢＣＨ及びＤＭＲＳのためにマッピングされる。
【０５１２】
また他の例として（例えば、図３４Ｂの３４１８）、Ｓ−ＳＳＢの＃２及び＃３シンボルはＳ−ＰＳＳのためにマッピングされ、Ｓ−ＳＳＢの＃１及び＃４シンボルはＳ−ＳＳＳのためにマッピングされ、Ｓ−ＳＳＢの＃５、＃６、＃７、＃８、＃９、＃１０及び＃１１シンボルはＰＳＢＣＨ及びＤＭＲＳのためにマッピングされる。
【０５１３】
また他の接近方式で、Ｓ−ＳＳＢは１２個のＯＦＤＭシンボル（例えば、Ｘ＝８）で構成される。
【０５１４】
図３５Ａは、本開示の実施形態によるまた他の例示的なＳ−ＳＳＢ３５００を示す図面である。図３５Ｂに示されたＳ−ＳＳＢ３５００の実施形態はただ説明のためのことである。図３５Ｂは本開示の範囲を任意の特定具現で制限しない。
【０５１５】
一例として（例えば、図３５Ａの３５０１）、Ｓ−ＳＳＢの＃２及び＃３シンボルはＳ−ＰＳＳのためにマッピングされ、Ｓ−ＳＳＢの＃６及び＃１０シンボルはＳ−ＳＳＳのためにマッピングされ、Ｓ−ＳＳＢの＃１、＃４、＃５、＃７、＃８、＃９、＃１１及び＃１２シンボルはＰＳＢＣＨ及びＤＭＲＳのためにマッピングされる。
【０５１６】
他の例として（例えば、図３５Ａの３５０２）、Ｓ−ＳＳＢの＃２及び＃３シンボルはＳ−ＰＳＳのためにマッピングされ、Ｓ−ＳＳＢの＃１１及び＃１２シンボルはＳ−ＳＳＳのためにマッピングされ、Ｓ−ＳＳＢの＃１、＃４、＃５、＃６、＃７、＃８、＃９及び＃１０シンボルはＰＳＢＣＨ及びＤＭＲＳのためにマッピングされる。
【０５１７】
また他の例として（例えば、図３５Ａの３５０３）、Ｓ−ＳＳＢの＃２及び＃３シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃１、＃４、＃５、＃６、＃９、＃１０、＃１１及び＃１２シンボルはＰＳＢＣＨ及びＤＭＲＳのためにマッピングされる。
【０５１８】
また他の例として（例えば、図３５Ａの３５０４）、Ｓ−ＳＳＢの＃２及び＃３シンボルはＳ−ＰＳＳのためにマッピングされ、Ｓ−ＳＳＢの＃８及び＃９シンボルはＳ−ＳＳＳのためにマッピングされ、Ｓ−ＳＳＢの＃１、＃４、＃５、＃６、＃７、＃１０、＃１１及び＃１２シンボルはＰＳＢＣＨ及びＤＭＲＳのためにマッピングされる。
【０５１９】
また他の例として（例えば、図３５Ａの３５０５）、Ｓ−ＳＳＢの＃２及び＃３シンボルはＳ−ＰＳＳのためにマッピングされ、Ｓ−ＳＳＢの＃５及び＃９シンボルはＳ−ＳＳＳのためにマッピングされ、Ｓ−ＳＳＢの＃１、＃４、＃６、＃７、＃８、＃１０、＃１１及び＃１２シンボルはＰＳＢＣＨ及びＤＭＲＳのためにマッピングされる。
【０５２０】
また他の例として（例えば、図３５Ａの３５０６）、Ｓ−ＳＳＢの＃１及び＃２シンボルはＳ−ＰＳＳのためにマッピングされ、Ｓ−ＳＳＢの＃１１及び＃１２シンボルはＳ−ＳＳＳのためにマッピングされ、Ｓ−ＳＳＢの＃３、＃４、＃５、＃６、＃７、＃８、＃９及び＃１０シンボルはＰＳＢＣＨ及びＤＭＲＳのためにマッピングされる。
【０５２１】
また他の例として（例えば、図３５Ａの３５０７）、Ｓ−ＳＳＢの＃１及び＃２シンボルはＳ−ＰＳＳのためにマッピングされ、Ｓ−ＳＳＢの＃６及び＃９シンボルはＳ−ＳＳＳのためにマッピングされ、Ｓ−ＳＳＢの＃３、＃４、＃５、＃７、＃８、＃１０、＃１１及び＃１２シンボルはＰＳＢＣＨ及びＤＭＲＳのためにマッピングされる。
【０５２２】
また他の例として（例えば、図３５Ａの３５０８）、Ｓ−ＳＳＢの＃１及び＃２シンボルはＳ−ＰＳＳのためにマッピングされ、Ｓ−ＳＳＢの＃５及び＃１０シンボルはＳ−ＳＳＳのためにマッピングされ、Ｓ−ＳＳＢの＃３、＃４、＃６、＃７、＃８、＃９、＃１１及び＃１２シンボルはＰＳＢＣＨ及びＤＭＲＳのためにマッピングされる。
【０５２３】
また他の例として（例えば、図３５Ａの３５０９）、Ｓ−ＳＳＢの＃１及び＃２シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃３、＃４、＃５、＃６、＃９、＃１０、＃１１及び＃１２シンボルはＰＳＢＣＨ及びＤＭＲＳのためにマッピングされる。
【０５２４】
図３５Ｂは、本開示の実施形態によるまた他の例示的なＳ−ＳＳＢ３５２０を示す図面である。図３５Ｂに示されたＳ−ＳＳＢ３５２０の実施形態はただ説明のためのことである。図３５Ｂは本開示の範囲を任意の特定具現で制限しない。
【０５２５】
また他の例として（例えば、図３５Ｂの３５１０）、Ｓ−ＳＳＢの＃１及び＃２シンボルはＳ−ＰＳＳのためにマッピングされ、Ｓ−ＳＳＢの＃３及び＃４シンボルはＳ−ＳＳＳのためにマッピングされ、Ｓ−ＳＳＢの＃５、＃６、＃７、＃８、＃９、＃１０、＃１１及び＃１２シンボルはＰＳＢＣＨ及びＤＭＲＳのためにマッピングされる。
【０５２６】
また他の例として（例えば、図３５Ｂの３５１１）、Ｓ−ＳＳＢの＃１及び＃２シンボルはＳ−ＰＳＳのためにマッピングされ、Ｓ−ＳＳＢの＃４及び＃５シンボルはＳ−ＳＳＳのためにマッピングされ、Ｓ−ＳＳＢの＃３、＃６、＃７、＃８、＃９、＃１０、＃１１及び＃１２シンボルはＰＳＢＣＨ及びＤＭＲＳのためにマッピングされる。
【０５２７】
また他の例として（例えば、図３５Ｂの３５１２）、Ｓ−ＳＳＢの＃１及び＃２シンボルはＳ−ＰＳＳのためにマッピングされ、Ｓ−ＳＳＢの＃５及び＃６シンボルはＳ−ＳＳＳのためにマッピングされ、Ｓ−ＳＳＢの＃３、＃４、＃７、＃８、＃９、＃１０、＃１１及び＃１２シンボルはＰＳＢＣＨ及びＤＭＲＳのためにマッピングされる。
【０５２８】
また他の例として（例えば、図３５Ｂの３５１３）、Ｓ−ＳＳＢの＃１及び＃２シンボルはＳ−ＰＳＳのためにマッピングされ、Ｓ−ＳＳＢの＃６及び＃７シンボルはＳ−ＳＳＳのためにマッピングされ、Ｓ−ＳＳＢの＃３、＃４、＃５、＃８、＃９、＃１０、＃１１及び＃１２シンボルはＰＳＢＣＨ及びＤＭＲＳのためにマッピングされる。
【０５２９】
また他の例として（例えば、図３５Ｂの３５１４）、Ｓ−ＳＳＢの＃１及び＃２シンボルはＳ−ＰＳＳのためにマッピングされ、Ｓ−ＳＳＢの＃９及び＃１０シンボルはＳ−ＳＳＳのためにマッピングされ、Ｓ−ＳＳＢの＃３、＃４、＃５、＃６、＃７、＃８、＃１１及び＃１２シンボルはＰＳＢＣＨ及びＤＭＲＳのためにマッピングされる。
【０５３０】
また他の例として（例えば、図３５Ｂの３５１５）、Ｓ−ＳＳＢの＃１及び＃２シンボルはＳ−ＰＳＳのためにマッピングされ、Ｓ−ＳＳＢの＃６及び＃９シンボルはＳ−ＳＳＳのためにマッピングされ、Ｓ−ＳＳＢの＃３、＃４、＃５、＃７、＃８、＃１０、＃１１及び＃１２シンボルはＰＳＢＣＨ及びＤＭＲＳのためにマッピングされる。
【０５３１】
また他の例として（例えば、図３５Ｂの３５１６）、Ｓ−ＳＳＢの＃１及び＃２シンボルはＳ−ＰＳＳのためにマッピングされ、Ｓ−ＳＳＢの＃６及び＃１０シンボルはＳ−ＳＳＳのためにマッピングされ、Ｓ−ＳＳＢの＃３、＃４、＃５、＃７、＃８、＃９、＃１１及び＃１２シンボルはＰＳＢＣＨ及びＤＭＲＳのためにマッピングされる。
【０５３２】
また他の例として（例えば、図３５Ｂの３５１７）、Ｓ−ＳＳＢの＃１及び＃２シンボルはＳ−ＰＳＳのためにマッピングされ、Ｓ−ＳＳＢの＃５及び＃８シンボルはＳ−ＳＳＳのためにマッピングされ、Ｓ−ＳＳＢの＃３、＃４、＃６、＃７、＃９、＃１０、＃１１及び＃１２シンボルはＰＳＢＣＨ及びＤＭＲＳのためにマッピングされる。
【０５３３】
また他の例として（例えば、図３５Ｂの３５１８）、Ｓ−ＳＳＢの＃２及び＃３シンボルはＳ−ＰＳＳのためにマッピングされ、Ｓ−ＳＳＢの＃１及び＃４シンボルはＳ−ＳＳＳのためにマッピングされ、Ｓ−ＳＳＢの＃５、＃６、＃７、＃８、＃９、＃１０、＃１１及び＃１２シンボルはＰＳＢＣＨ及びＤＭＲＳのためにマッピングされる。
また他の接近方式で、Ｓ−ＳＳＢは１３個のＯＦＤＭシンボル（例えば、Ｘ＝９）で構成される。
【０５３４】
図３６Ａは、本開示の実施形態によるまた他の例示的なＳ−ＳＳＢ３６００を示す図面である。図３６Ａに示されたＳ−ＳＳＢ３６００の実施形態はただ説明のためのことである。図３６Ａは本開示の範囲を任意の特定具現で制限しない。
【０５３５】
一例として（例えば、図３６Ａの３６０１）、Ｓ−ＳＳＢの＃２及び＃３シンボルはＳ−ＰＳＳのためにマッピングされ、Ｓ−ＳＳＢの＃６及び＃１１シンボルはＳ−ＳＳＳのためにマッピングされ、Ｓ−ＳＳＢの＃１、＃４、＃５、＃７、＃８、＃９、＃１０、＃１２及び＃１３シンボルはＰＳＢＣＨ及びＤＭＲＳのためにマッピングされる。
【０５３６】
また他の例として（例えば、図３６Ａの３６０２）、Ｓ−ＳＳＢの＃２及び＃３シンボルはＳ−ＰＳＳのためにマッピングされ、Ｓ−ＳＳＢの＃１２及び＃１３シンボルはＳ−ＳＳＳのためにマッピングされ、Ｓ−ＳＳＢの＃１、＃４、＃５、＃６、＃７、＃８、＃９、＃１０及び＃１１シンボルはＰＳＢＣＨ及びＤＭＲＳのためにマッピングされる。
【０５３７】
また他の例として（例えば、図３６Ａの３６０３）、Ｓ−ＳＳＢの＃２及び＃３シンボルはＳ−ＰＳＳのためにマッピングされ、Ｓ−ＳＳＢの＃８及び＃９シンボルはＳ−ＳＳＳのためにマッピングされ、Ｓ−ＳＳＢの＃１、＃４、＃５、＃６、＃７、＃１０、＃１１、＃１２及び＃１３シンボルはＰＳＢＣＨ及びＤＭＲＳのためにマッピングされる。
【０５３８】
また他の例として（例えば、図３６Ａの３６０４）、Ｓ−ＳＳＢの＃２及び＃３シンボルはＳ−ＰＳＳのためにマッピングされ、Ｓ−ＳＳＢの＃７及び＃１０シンボルはＳ−ＳＳＳのためにマッピングされ、Ｓ−ＳＳＢの＃１、＃４、＃５、＃６、＃８、＃９、＃１１、＃１２及び＃１３シンボルはＰＳＢＣＨ及びＤＭＲＳのためにマッピングされる。
【０５３９】
また他の例として（例えば、図３６Ａの３６０５）、Ｓ−ＳＳＢの＃２及び＃３シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃１、＃４、＃５、＃６、＃９、＃１０、＃１１、＃１２及び＃１３シンボルはＰＳＢＣＨ及びＤＭＲＳのためにマッピングされる。
【０５４０】
また他の例として（例えば、図３６Ａの３６０６）、Ｓ−ＳＳＢの＃１及び＃２シンボルはＳ−ＰＳＳのためにマッピングされ、Ｓ−ＳＳＢの＃１２及び＃１３シンボルはＳ−ＳＳＳのためにマッピングされ、Ｓ−ＳＳＢの＃３、＃４、＃５、＃６、＃７、＃８、＃９、＃１０及び＃１１シンボルはＰＳＢＣＨ及びＤＭＲＳのためにマッピングされる。
【０５４１】
また他の例として（例えば、図３６Ａの３６０７）、Ｓ−ＳＳＢの＃１及び＃２シンボルはＳ−ＰＳＳのためにマッピングされ、Ｓ−ＳＳＢの＃６及び＃１０シンボルはＳ−ＳＳＳのためにマッピングされ、Ｓ−ＳＳＢの＃３、＃４、＃５、＃７、＃８、＃９、＃１１、＃１２及び＃１３シンボルはＰＳＢＣＨ及びＤＭＲＳのためにマッピングされる。
【０５４２】
また他の例として（例えば、図３６Ａの３６０８）、Ｓ−ＳＳＢの＃１及び＃２シンボルはＳ−ＰＳＳのためにマッピングされ、Ｓ−ＳＳＢの＃８及び＃９シンボルはＳ−ＳＳＳのためにマッピングされ、Ｓ−ＳＳＢの＃３、＃４、＃５、＃６、＃７、＃１０、＃１１、＃１２及び＃１３シンボルはＰＳＢＣＨ及びＤＭＲＳのためにマッピングされる。
【０５４３】
また他の例として（例えば、図３６Ａの３６０９）、Ｓ−ＳＳＢの＃１及び＃２シンボルはＳ−ＰＳＳのためにマッピングされ、Ｓ−ＳＳＢの＃７及び＃８シンボルはＳ−ＳＳＳのためにマッピングされ、Ｓ−ＳＳＢの＃３、＃４、＃５、＃６、＃９、＃１０、＃１１、＃１２及び＃１３シンボルはＰＳＢＣＨ及びＤＭＲＳのためにマッピングされる。
【０５４４】
図３６Ｂは、本開示の実施形態によるまた他の例示的なＳ−ＳＳＢ３６２０を示す図面である。図３６Ｂに示されたＳ−ＳＳＢ３６２０の実施形態はただ説明のためのことである。図３６Ｂは本開示の範囲を任意の特定具現で制限しない。
【０５４５】
また他の例として（例えば、図３６Ｂの３６１０）、Ｓ−ＳＳＢの＃２及び＃３シンボルはＳ−ＰＳＳのためにマッピングされ、Ｓ−ＳＳＢの＃４及び＃５シンボルはＳ−ＳＳＳのためにマッピングされ、Ｓ−ＳＳＢの＃１、＃６、＃７、＃８、＃９、＃１０、＃１１、＃１２及び＃１３シンボルはＰＳＢＣＨ及びＤＭＲＳのためにマッピングされる。
【０５４６】
また他の例として（例えば、図３６Ｂの３６１１）、Ｓ−ＳＳＢの＃２及び＃３シンボルはＳ−ＰＳＳのためにマッピングされ、Ｓ−ＳＳＢの＃５及び＃６シンボルはＳ−ＳＳＳのためにマッピングされ、Ｓ−ＳＳＢの＃１、＃４、＃７、＃８、＃９、＃１０、＃１１、＃１２及び＃１３シンボルはＰＳＢＣＨ及びＤＭＲＳのためにマッピングされる。
【０５４７】
また他の例として（例えば、図３６Ｂの３６１２）、Ｓ−ＳＳＢの＃２及び＃３シンボルはＳ−ＰＳＳのためにマッピングされ、Ｓ−ＳＳＢの＃６及び＃７シンボルはＳ−ＳＳＳのためにマッピングされ、Ｓ−ＳＳＢの＃１、＃４、＃５、＃８、＃９、＃１０、＃１１、＃１２及び＃１３シンボルはＰＳＢＣＨ及びＤＭＲＳのためにマッピングされる。
【０５４８】
また他の例として（例えば、図３６Ｂの３６１３）、Ｓ−ＳＳＢの＃２及び＃３シンボルはＳ−ＰＳＳのためにマッピングされ、Ｓ−ＳＳＢの＃１０及び＃１１シンボルはＳ−ＳＳＳのためにマッピングされ、Ｓ−ＳＳＢの＃１、＃４、＃５、＃６、＃７、＃８、＃９、＃１２及び＃１３シンボルはＰＳＢＣＨ及びＤＭＲＳのためにマッピングされる。
【０５４９】
また他の例として（例えば、図３６Ｂの３６１４）、Ｓ−ＳＳＢの＃２及び＃３シンボルはＳ−ＰＳＳのためにマッピングされ、Ｓ−ＳＳＢの＃６及び＃９シンボルはＳ−ＳＳＳのためにマッピングされ、Ｓ−ＳＳＢの＃１、＃４、＃５、＃７、＃８、＃１０、＃１１、＃１２及び＃１３シンボルはＰＳＢＣＨ及びＤＭＲＳのためにマッピングされる。
【０５５０】
また他の例として（例えば、図３６Ｂの３６１５）、Ｓ−ＳＳＢの＃２及び＃３シンボルはＳ−ＰＳＳのためにマッピングされ、Ｓ−ＳＳＢの＃５及び＃９シンボルはＳ−ＳＳＳのためにマッピングされ、Ｓ−ＳＳＢの＃１、＃４、＃６、＃７、＃８、＃１０、＃１１、＃１２及び＃１３シンボルはＰＳＢＣＨ及びＤＭＲＳのためにマッピングされる。
【０５５１】
また他の例として（例えば、図３６Ｂの３６１６）、Ｓ−ＳＳＢの＃２及び＃３シンボルはＳ−ＰＳＳのためにマッピングされ、Ｓ−ＳＳＢの＃５及び＃１１シンボルはＳ−ＳＳＳのためにマッピングされ、Ｓ−ＳＳＢの＃１、＃４、＃６、＃７、＃８、＃９、＃１０、＃１２及び＃１３シンボルはＰＳＢＣＨ及びＤＭＲＳのためにマッピングされる。
【０５５２】
また他の例として（例えば、図３６Ｂの３６１７）、Ｓ−ＳＳＢの＃２及び＃３シンボルはＳ−ＰＳＳのためにマッピングされ、Ｓ−ＳＳＢの＃５及び＃１０シンボルはＳ−ＳＳＳのためにマッピングされ、Ｓ−ＳＳＢの＃１、＃４、＃６、＃７、＃８、＃９、＃１１、＃１２及び＃１３シンボルはＰＳＢＣＨ及びＤＭＲＳのためにマッピングされる。
【０５５３】
また他の例として（例えば、図３６Ｂの３６１８）、Ｓ−ＳＳＢの＃２及び＃３シンボルはＳ−ＰＳＳのためにマッピングされ、Ｓ−ＳＳＢの＃４及び＃５シンボルはＳ−ＳＳＳのためにマッピングされ、Ｓ−ＳＳＢの＃１、＃６、＃７、＃８、＃９、＃１０、＃１１、＃１２及び＃１３シンボルはＰＳＢＣＨ及びＤＭＲＳのためにマッピングされる。
一実施形態で、スロット内のＳ−ＳＳＢのマッピングは固定される。
【０５５４】
一接近方式では、Ｓ−ＳＳＢの第１シンボル（例えば、本開示の第１実施形態の例でＳ−ＳＳＢのシンボル＃１）がスロットの第１のＯＦＤＭシンボルと整列される。例えば、Ｓ−ＳＳＢに対する総シンボル数がスロットの総ＯＦＤＭシンボル数より小さいか同一である場合（例えば、一般ＣＰの場合、１４個シンボル又は拡張ＣＰの場合、１２個シンボル）、Ｓ−ＳＳＢはスロットの第１のＯＦＤＭシンボルで開始され、残りシンボル（例えば、スロット内の最後の一つ又は多くのシンボル）は他の目的（例えば、ＴＸ／ＲＸスイッチギャップ及び／又は他の信号／チャンネルと多重化）のために用いられることができる。
【０５５５】
他の接近方式では、Ｓ−ＳＳＢの第１のシンボル（例えば、本開示の第１実施形態の例でＳ−ＳＳＢのシンボル＃１）がスロットの第２のＯＦＤＭシンボルと整列される。例えば、Ｓ−ＳＳＢはスロットの第２のＯＦＤＭシンボルで開始され、スロットの第１のシンボルは予備されて（例えば、ＡＧＣ目的）残りシンボル（例えば、スロット内の最後の一つ又は多くのシンボル）は他の目的（例えば、ＴＸ／ＲＸスイッチギャップ及び／又は他の信号／チャンネルとの多重化）のために用いられることができる。
【０５５６】
また他の接近方式では、Ｓ−ＳＳＢの最後のシンボルがスロットの第２の最後のＯＦＤＭシンボルと整列される。例えば、Ｓ−ＳＳＢに対する総シンボル数がスロットの総ＯＦＤＭシンボル数（例えば、一般ＣＰの場合、１４個シンボル又は拡張ＣＰの場合、１２個シンボル）より小さいか同一であり、Ｓ−ＳＳＢはスロットの最後の第２のシンボル（例えば、一般ＣＰの場合、スロットの第１３のシンボル又は拡張ＣＰの場合、スロットの第１１のシンボル）から終了され、スロットの最後のシンボルは予備されて（例えば、ＴＸ／ＲＸスイッチギャップ用）、残りシンボル（例えば、スロット内の第１の一つ又は多くのシンボル）は（ある場合）、他の目的（例えば、ＡＧＣ及び／又は他の信号／チャンネルとの多重化）に用いられることができる。
【０５５７】
他の実施形態で、スロットでＳ−ＳＳＢのマッピングは可変／構成可能である。
【０５５８】
一接近方式では、Ｓ−ＳＳＢに対する総シンボル数がスロットの総ＯＦＤＭシンボル数より小さいか同一である場合（例えば、一般ＣＰの場合、１４個シンボル又は拡張ＣＰの場合、１２個シンボル）、Ｓ−ＳＳＢはスロット内の任意のシンボル（例えば、最後のシンボルはＴＸ／ＲＸスイッチギャップ目的のために予備される）又はスロットのサブセットで開始されることができる。一様態では、Ｓ−ＳＳＢが開始されるスロット内の開始位置のうちの一つが同期化ソースに同期化を試みるＶ２Ｘ  ＵＥに予め構成される。他の様態では、Ｓ−ＳＳＢが開始されるスロット内の開始位置のうちの一つが同期化ソースと同期化を試みるＶ２Ｘ  ＵＥに表示される。この接近方式の一例が図３７に図示されている。
【０５５９】
図３７は、本開示の実施形態によるスロット３７００内の例示的なＳ−ＳＳＢ位置を示す図面である。図３７に示されたスロット３７００内のＳ−ＳＳＢ位置の実施形態はただ説明のためのことである。図３７は本開示の範囲を任意の特定具現で制限しない。
【０５６０】
次の例のうちの少なくとも一つがスロット内のＳ−ＳＳＢマッピングの変動／構成の表示／事前構成のためにサポートされることができる（例えば、スロット内のＳ−ＳＳＢの開始位置を表示することによって）。
【０５６１】
一例として、Ｓ−ＳＳＢのマッピングの変動／構成の表示がＰＳＢＣＨのペイ・ロードから成り、例えば、ＰＳＢＣＨのペイ・ロードのフィールドがスロット内のＳ−ＳＳＢの開始位置を示す。
【０５６２】
他の例では、Ｓ−ＳＳＢマッピングの変動／構成が同期化ソースに同期化を試みるＶ２Ｘ  ＵＥに予め構成される。
【０５６３】
また他の例では、Ｓ−ＳＳＢマッピングの変動／構成の表示がＳ−ＳＳＢ内のＰＳＢＣＨのＤＭＲＳシーケンスによって伝達する。
【０５６４】
また他の例では、Ｓ−ＳＳＢマッピングの変動／構成の表示がＳ−ＳＳＢ内のＰＳＢＣＨのペイ・ロードとＰＳＢＣＨのＤＭＲＳシーケンスの組み合せによって伝達する。
【０５６５】
一実施形態では、Ｓ−ＳＳＢバーストセットが少なくとも一つのＳ−ＳＳＢを含むことができ、時間ドメインで周期的に送信されるユニットで作用する。
【０５６６】
バーストセット構成のための第１接近方式で、Ｓ−ＳＳＢバーストセットは単一Ｓ−ＳＳＢを含むことができる。例えば、Ｓ−ＳＳＢは６ＧＨｚ以下のキャリア周波数のような単一ビーム動作を用いて送信されることができる。一つの考慮事項では、単一Ｓ−ＳＳＢの時間ドメイン位置を構成することができ、この位置はＳ−ＳＳＢの信号／チャンネル（例えば、ＰＳＢＣＨのコンテンツ）に表示される。
【０５６７】
バーストセット構成のための第２接近方式で、Ｓ−ＳＳＢバーストセットは多くのＳ−ＳＳＢを含むことができ、Ｓ−ＳＳＢバーストセットの最大Ｓ−ＳＳＢ数はキャリア周波数範囲及び／又はＳ−ＳＳＢのＳＣＳに基づいて決定されることができる。例えば、Ｓ−ＳＳＢは多重ビーム動作、繰り返し動作方式又は多重ビーム動作と繰り返し動作の組み合せで送信されることができる。
【０５６８】
第２接近方式の例では、Ｓ−ＳＳＢバーストセット内の多くのＳ−ＳＳＢが同一な構成方法を有する。例えば、Ｓ−ＳＳＢ構造がＳ−ＳＳＢバーストセット内で同一で、Ｓ−ＳＳＢを含むスロットが繰り返されてＳ−ＳＳＢバーストセットを構成する。
【０５６９】
第２接近方式の他の例では、Ｓ−ＳＳＢバーストセット内の多くのＳ−ＳＳＢが互いに異なる構成方法を有する。例えば、Ｓ−ＳＳＢ構造はＳ−ＳＳＢバーストセット内で異なることができ、本開示の異なる例が互いに接続されてＳ−ＳＳＢバーストセットを構成する。
【０５７０】
バーストセット内で実際送信されるＳ−ＳＳＢに対する第１接近方式で、バーストセット内で実際送信されるＳ−ＳＳＢの数はバーストセット内の最大Ｓ−ＳＳＢ数と同一で、これによってバーストセット内のＳ−ＳＳＢ数が定義される場合、すべてのバーストセットが送信のための最大Ｓ−ＳＳＢ数を含まなければならない。
【０５７１】
バーストセット内で実際送信されるＳ−ＳＳＢに対する第２接近方式では、バーストセット内で実際に送信されるＳ−ＳＳＢの数がバーストセット内の最大Ｓ−ＳＳＢ数より小さいか同一であり、バーストセット内で実際送信されるＳ−ＳＳＢの数はＶ２Ｘ  ＵＥに表示されるか知られる。バーストセット内で実際送信されるＳ−ＳＳＢの数に係る情報の一例で、バーストセット内で実際送信されるＳ−ＳＳＢの数を明示的に表示することができる。この例に対する一つの考慮事項で、バーストセット内のＳ−ＳＳＢの開始位置及び／又は終了位置は固定されたり表示されることができ、ここでバーストセット内のＳ−ＳＳＢの数は表示された通りである。
【０５７２】
バーストセット内で実際送信されるＳ−ＳＳＢの数に係る情報に対する他の例では、バーストセット内で実際送信されるＳ−ＳＳＢを示すビットマップから暗示的に表示することができる。表示方法の一例で、表示はＰＳＢＣＨコンテンツで成ることができる。表示方法の他の例で、表示は例えば、予め構成されたＢＷＰに係る予め構成された情報で成ることができる。
【０５７３】
バーストセット内で実際送信されるＳ−ＳＳＢに対する第３接近方式では、バーストセット内のＳ−ＳＳＢの最大数に関係なく、バーストセット内で実際送信されるＳ−ＳＳＢの数が固定される。この接近方式の一つの考慮事項では、実際送信されるＳ−ＳＳＢの固定された数がキャリア周波数範囲及び／又はＳ−ＳＳＢのＳＣＳによって異なることができる。例えば、バーストセット内で実際送信されるＳ−ＳＳＢの固定された数は１である。
【０５７４】
本開示が例示的な実施形態に説明されたが、多様な変更及び修正が当業者に提案されることができる。本開示は添付された請求範囲の範疇内にあるそういう変更及び修正を含むことに意図される。
【０５７５】
本出願のどんな説明も、任意の特定要素、段階、又は機能が請求範囲に含まれる必須要素を示すことで解釈されてはならない。本発明の特許請求範囲は請求項によってだけ規定される。また、“〜するための手段”という正確な単語が分詞につながらなかったら、どんな請求項もアメリカ特許法３５Ｕ.Ｓ.Ｃ.§１１２（ｆ）の解釈を適用しようとすることではない。
【符号の説明】
【０５７６】
１００  無線ネットワーク
１０１、１０２、１０３  ｇＮＢ
１１１〜１１６  ＵＥ
１２０  カバレッジ領域
１２５  カバレッジ領域
１３０  ネットワーク
【図１】
2021529496.tif 000017
【図２】
2021529496.tif 000018
【図３】
2021529496.tif 000019
【図４】
2021529496.tif 000020
【図５】
2021529496.tif 000021
【図６】
2021529496.tif 000022
【図７】
2021529496.tif 000023
【図８】
2021529496.tif 000024
【図９Ａ】
2021529496.tif 000025
【図９Ｂ】
2021529496.tif 000026
【図１０Ａ】
2021529496.tif 000027
【図１０Ｂ】
2021529496.tif 000028
【図１１】
2021529496.tif 000029
【図１２Ａ】
2021529496.tif 000030
【図１２Ｂ】
2021529496.tif 000031
【図１２Ｃ】
2021529496.tif 000032
【図１３Ａ】
2021529496.tif 000033
【図１３Ｂ】
2021529496.tif 000034
【図１４Ａ】
2021529496.tif 000035
【図１４Ｂ】
2021529496.tif 000036
【図１４Ｃ】
2021529496.tif 000037
【図１４Ｄ】
2021529496.tif 000038
【図１４Ｅ】
2021529496.tif 000039
【図１５Ａ】
2021529496.tif 000040
【図１５Ｂ】
2021529496.tif 000041
【図１５Ｃ】
2021529496.tif 000042
【図１６Ａ】
2021529496.tif 000043
【図１６Ｂ】
2021529496.tif 000044
【図１７】
2021529496.tif 000045
【図１８】
2021529496.tif 000046
【図１９】
2021529496.tif 000047
【図２０】
2021529496.tif 000048
【図２１】
2021529496.tif 000049
【図２２】
2021529496.tif 000050
【図２３】
2021529496.tif 000051
【図２４】
2021529496.tif 000052
【図２５】
2021529496.tif 000053
【図２６】
2021529496.tif 000054
【図２７】
2021529496.tif 000055
【図２８】
2021529496.tif 000056
【図２９】
2021529496.tif 000057
【図３０】
2021529496.tif 000058
【図３１】
2021529496.tif 000059
【図３２】
2021529496.tif 000060
【図３３Ａ】
2021529496.tif 000061
【図３３Ｂ】
2021529496.tif 000062
【図３４Ａ】
2021529496.tif 000063
【図３４Ｂ】
2021529496.tif 000064
【図３５Ａ】
2021529496.tif 000065
【図３５Ｂ】
2021529496.tif 000066
【図３６Ａ】
2021529496.tif 000067
【図３６Ｂ】
2021529496.tif 000068
【図３７】
2021529496.tif 000069
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
無線通信システムの第１ユーザ装備（ＵＥ）であって、
プロセッサとして、
サイドリンクプライマリー同期化信号（Ｓ−ＰＳＳ）に対応する第１シーケンスと、サイドリンクセカンダリー同期化信号（Ｓ−ＳＳＳ）に対応する第２シーケンスとを識別し、
前記第１シーケンスに基づいた前記Ｓ−ＰＳＳと、前記第２シーケンスに基づいた前記Ｓ−ＳＳＳと、物理的サイドリンクブロードキャストチャンネル（ＰＳＢＣＨ）と、前記ＰＳＢＣＨに対する復調基準信号（ＤＭＲＳ）とを含むサイドリンク同期化信号及び物理的ブロードキャストチャンネルブロック（Ｓ−ＳＳＢ）を識別するように構成される、前記プロセッサと、
前記プロセッサに動作可能に接続され、サイドリンクチャンネルを介して前記Ｓ−ＳＳＢを第２ＵＥに送信するように構成される送受信機と、
を含み、
前記Ｓ−ＳＳＢは、前記Ｓ−ＰＳＳに対する２つのシンボルと、前記Ｓ−ＳＳＳに対する２つのシンボルとを含み、
前記第１シーケンスは、サイクリックシフトと関連した予め定められた値及びサイドリンク同期化アイデンティティー（ＳＬ−ＳＩＤ）に基づいて識別され、
前記予め定められた値は、２２であり、
前記Ｓ−ＰＳＳに対する２つのシンボルは、前記Ｓ−ＳＳＢにおいて第２シンボル及び第３シンボルであり、
前記Ｓ−ＳＳＳに対する２つのシンボルは、前記Ｓ−ＳＳＢにおいて第４シンボル及び第５シンボルであることを特徴とする、第１ユーザ装備（ＵＥ）。
【請求項２】
前記ＰＳＢＣＨ及び前記ＰＳＢＣＨに対する前記ＤＭＲＳに対するシンボルは、前記Ｓ−ＳＳＢにおいて第１シンボル、第６シンボル及び後続するシンボルであることを特徴とする、請求項１に記載の第１ユーザ装備（ＵＥ）。
【請求項３】
前記送受信機は、周期性（ｐｅｒｉｏｄｉｃｉｔｙ）に基づいて、前記周期性内で構成可能な時間ドメインリソースを含むリソースのセットを用いて前記Ｓ−ＳＳＢを送信するようにさらに構成され、
前記周期性内の時間ドメインリソースの構成が前記Ｓ−ＳＳＢに含まれた前記ＰＳＢＣＨを介して表示され、
前記第１シーケンスは、１２７であるシーケンス長さを有するＢＰＳＫ（ｂｉｎａｒｙｐｈａｓｅｓｈｉｆｔｋｅｙｉｎｇ）変調したＭ−シーケンスに基づいて決定され、
前記第２シーケンスは、１２７であるシーケンス長さを有するＢＰＳＫ変調したＧｏｌｄ−シーケンスに基づいて決定され、
前記予め定められた値は、プライマリー同期化信号（ＰＳＳ）に用いられるサイクリックシフトからの最大距離と関連していることを特徴とする、請求項１に記載の第１ユーザ装備（ＵＥ）。
【請求項４】
前記プロセッサは、前記ＳＬ−ＳＩＤ及びリソースのセットを決定し、前記ＳＬ−ＳＩＤ及び前記リソースのセットに基づいて前記Ｓ−ＳＳＢを識別するようにさらに構成され、
前記リソースのセットは、前記Ｓ−ＳＳＢを送信するための周波数ドメインリソースを含み、
前記周波数ドメインリソースは、予め構成される、請求項１に記載の第１ユーザ装備（ＵＥ）。
【請求項５】
前記Ｓ−ＰＳＳに対応する前記第１シーケンスは、ｇ（ｘ）＝ｘ７＋ｘ＋１によって与えられた多項式によって決定され、ここで、Ｍ−シーケンスは、ｘ（ｉ＋７）＝ｘ（ｉ＋１）＋ｘ（ｉ）（ｉ＝０，１，…，１１９）で生成され、
前記Ｓ−ＰＳＳに対応する前記第１シーケンスは、ｄ＿ＳＰＳＳ（ｎ）＝１−２＊ｘ（ｎ）、ｍ＝（ｎ＋４３＊Ｎ＿ＧＩＤ＾ＳＬ＋２２）ｍｏｄ１２７（０≦ｎ＜１２７）によって与えられ、ここで、ｘ（ｉ＋７）＝ｘ（ｉ＋１）＋ｘ（ｉ）（ｉ＝０，１，…，１１９）であり、ｘ（６：０）＝［００００００１］である、請求項１に記載の第１ユーザ装備（ＵＥ）。
【請求項６】
前記Ｓ−ＳＳＳに対応する前記第２シーケンスは、
【数１】
2021529496.tif 000070
によって与えられ、ｘ＿０（ｎ＿０）は、ｘ＿０（ｉ＋７）＝ｘ＿０（ｉ＋１）＋ｘ＿０（ｉ）（ｉ＝０，１，…，１１９）、及びｘ＿０（６：０）＝［００００００１］によって与えられる第１Ｍ−シーケンスであり、ｘ＿１（ｎ＿１）は、ｘ＿１（ｉ＋７）＝ｘ＿１（ｉ＋１）＋ｘ＿１（ｉ）（ｉ＝０，１，…，１１９）、及びｘ＿１（６：０）＝［００００００１］によって与えられる第２Ｍ−シーケンスであり、Ｎ＿ＩＤは、前記ＳＬ−ＳＩＤである、請求項１に記載の第１ユーザ装備（ＵＥ）。
【請求項７】
無線通信システムの第２ユーザ装備（ＵＥ）であって、
第１ＵＥから、サイドリンクチャンネルを介してサイドリンク同期化信号及び物理的ブロードキャストチャンネルブロック（Ｓ−ＳＳＢ）を受信するように構成される送受信機と、
前記送受信機に作動可能に接続されるプロセッサとして、
前記Ｓ−ＳＳＢから第１シーケンスに基づいて識別されたサイドリンクプライマリー同期化信号（Ｓ−ＰＳＳ）、第２シーケンスに基づいて識別されたサイドリンクセカンダリー同期化信号（Ｓ−ＳＳＳ）、物理的サイドリンクブロードキャストチャンネル（ＰＳＢＣＨ）、及び前記ＰＳＢＣＨに対する復調基準信号（ＤＭＲＳ）を識別するように構成される、前記プロセッサと、
を含み、
前記Ｓ−ＳＳＢは、前記Ｓ−ＰＳＳに対する２つのシンボルと、前記Ｓ−ＳＳＳに対する２つのシンボルとを含み、
前記第１シーケンスは、サイクリックシフトと関連した予め定められた値及びサイドリンク同期化アイデンティティー（ＳＬ−ＳＩＤ）に基づいて識別され、
前記予め定められた値は、２２であり、
前記Ｓ−ＰＳＳに対する２つのシンボルは、前記Ｓ−ＳＳＢにおいて第２シンボル及び第３シンボルであり、
前記Ｓ−ＳＳＳに対する２つのシンボルは、前記Ｓ−ＳＳＢにおいて第４シンボル及び第５シンボルであることを特徴とする、第２ユーザ装備（ＵＥ）。
【請求項８】
前記ＰＳＢＣＨ及び前記ＰＳＢＣＨに対する前記ＤＭＲＳに対するシンボルは、前記Ｓ−ＳＳＢにおいて第１シンボル、第６シンボル及び後続するシンボルであることを特徴とする、請求項７に記載の第２ユーザ装備（ＵＥ）。
【請求項９】
前記送受信機は、周期性に基づいて、前記周期性内で構成可能な時間ドメインリソースを含むリソースのセットを用いて前記Ｓ−ＳＳＢを受信するようにさらに構成され、
前記周期性内の時間ドメインリソースの構成が前記Ｓ−ＳＳＢに含まれた前記ＰＳＢＣＨを介して表示され、
前記第１シーケンスは、１２７であるシーケンス長さを有するＢＰＳＫ（ｂｉｎａｒｙｐｈａｓｅｓｈｉｆｔｋｅｙｉｎｇ）変調したＭ−シーケンスに基づいて決定され、
前記第２シーケンスは、１２７であるシーケンス長さを有するＢＰＳＫ変調したＧｏｌｄ−シーケンスに基づいて決定され、
前記予め定められた値は、プライマリー同期化信号（ＰＳＳ）に用いられるサイクリックシフトからの最大距離と関連したことを特徴とする、請求項７に記載の第２ユーザ装備（ＵＥ）。
【請求項１０】
前記Ｓ−ＳＳＢは、前記ＳＬ−ＳＩＤ及びリソースのセットに基づいて識別され、前記リソースのセットは、前記Ｓ−ＳＳＢを受信するための周波数ドメインリソースを含み、
前記周波数ドメインリソースは、予め構成される、請求項７に記載の第２ユーザ装備（ＵＥ）。
【請求項１１】
前記Ｓ−ＰＳＳに対応する前記第１シーケンスは、ｇ（ｘ）＝ｘ７＋ｘ＋１によって与えられた多項式によって決定され、ここで、Ｍ−シーケンスは、ｘ（ｉ＋７）＝ｘ（ｉ＋１）＋ｘ（ｉ）（ｉ＝０，１，…，１１９）で生成され、
前記Ｓ−ＰＳＳに対応する前記第１シーケンスは、ｄ＿ＳＰＳＳ（ｎ）＝１−２＊ｘ（ｎ）、ｍ＝（ｎ＋４３＊Ｎ＿ＧＩＤ＾ＳＬ＋２２）ｍｏｄ１２７（０≦ｎ＜１２７）によって与えられ、ここで、ｘ（ｉ＋７）＝ｘ（ｉ＋１）＋ｘ（ｉ）（ｉ＝０，１，…，１１９）であり、ｘ（６：０）＝［００００００１］である、請求項７に記載の第２ユーザ装備（ＵＥ）。
【請求項１２】
前記Ｓ−ＳＳＳに対応する前記第２シーケンスは、
【数２】
2021529496.tif 000071
によって与えられ、ｘ＿０（ｎ＿０）は、ｘ＿０（ｉ＋７）＝ｘ＿０（ｉ＋１）＋ｘ＿０（ｉ）（ｉ＝０，１，…，１１９）、及びｘ＿０（６：０）＝［００００００１］によって与えられる第１Ｍ−シーケンスであり、ｘ＿１（ｎ＿１）は、ｘ＿１（ｉ＋７）＝ｘ＿１（ｉ＋１）＋ｘ＿１（ｉ）（ｉ＝０，１，…，１１９）、及びｘ＿１（６：０）＝［００００００１］によって与えられる第２Ｍ−シーケンスであり、Ｎ＿ＩＤは、前記ＳＬ−ＳＩＤである、請求項７に記載の第２ユーザ装備（ＵＥ）。
【請求項１３】
無線通信システムにおける第１ユーザ装備（ＵＥ）の方法であって、
サイドリンクプライマリー同期化信号（Ｓ−ＰＳＳ）に対応する第１シーケンスと、サイドリンクセカンダリー同期化信号（Ｓ−ＳＳＳ）に対応する第２シーケンスとを識別する段階と、
前記第１シーケンスに基づいた前記Ｓ−ＰＳＳと、前記第２シーケンスに基づいた前記Ｓ−ＳＳＳと、物理的サイドリンクブロードキャストチャンネル（ＰＳＢＣＨ）と、前記ＰＳＢＣＨに対する復調基準信号（ＤＭＲＳ）とを含むサイドリンク同期化信号及び物理的ブロードキャストチャンネルブロック（Ｓ−ＳＳＢ）を識別する段階と、
サイドリンクチャンネルを介して前記Ｓ−ＳＳＢを第２ＵＥに送信する段階と、
を含み、
前記Ｓ−ＳＳＢは、前記Ｓ−ＰＳＳに対する２つのシンボルと、前記Ｓ−ＳＳＳに対する２つのシンボルとを含み、
前記第１シーケンスは、サイクリックシフトと関連した予め定められた値及びサイドリンク同期化アイデンティティー（ＳＬ−ＳＩＤ）に基づいて識別され、
前記予め定められた値は、２２であり、
前記Ｓ−ＰＳＳに対する２つのシンボルは、前記Ｓ−ＳＳＢにおいて第２シンボル及び第３シンボルであり、
前記Ｓ−ＳＳＳに対する２つのシンボルは、前記Ｓ−ＳＳＢにおいて第４シンボル及び第５シンボルであることを特徴とする、方法。
【請求項１４】
前記ＳＬ−ＳＩＤ及びリソースのセットを決める段階と、
前記ＳＬ−ＳＩＤ及び前記リソースのセットに基づいて前記Ｓ−ＳＳＢを識別する段階と、
をさらに含み、
前記ＰＳＢＣＨ及び前記ＰＳＢＣＨに対する前記ＤＭＲＳに対するシンボルは、前記Ｓ−ＳＳＢにおいて第１シンボル、第６シンボル及び後続するシンボルであり、
前記送信する段階は、周期性（ｐｅｒｉｏｄｉｃｉｔｙ）に基づいて、前記周期性内で構成可能な時間ドメインリソースを含むリソースのセットを用いて、前記Ｓ−ＳＳＢを送信し、
前記周期性内の時間ドメインリソースの構成が前記Ｓ−ＳＳＢに含まれた前記ＰＳＢＣＨを通じて表示され、
前記第１シーケンスは、１２７であるシーケンス長さを有するＢＰＳＫ（ｂｉｎａｒｙｐｈａｓｅｓｈｉｆｔｋｅｙｉｎｇ）変調したＭ−シーケンスに基づいて決定され、
前記第２シーケンスは、１２７であるシーケンス長さを有するＢＰＳＫ変調したＧｏｌｄ−シーケンスに基づいて決定され、
前記予め定められた値は、プライマリー同期化信号（ＰＳＳ）に用いられるサイクリックシフトからの最大距離と関連し、
前記識別する段階は、前記ＳＬ−ＳＩＤ及び前記リソースのセットに基づいて前記Ｓ−ＳＳＢを生成し、
前記リソースのセットは、前記Ｓ−ＳＳＢを送信するための周波数ドメインリソースを含み、
前記周波数ドメインリソースは、予め構成されることを特徴とする、請求項１３に記載の方法。
【請求項１５】
前記Ｓ−ＰＳＳに対応する前記第１シーケンスは、ｇ（ｘ）＝ｘ７＋ｘ＋１によって与えられた多項式によって決定され、ここで、Ｍ−シーケンスは、ｘ（ｉ＋７）＝ｘ（ｉ＋１）＋ｘ（ｉ）（ｉ＝０，１，…，１１９）で生成され、
前記Ｓ−ＰＳＳに対応する前記第１シーケンスは、ｄ＿ＳＰＳＳ（ｎ）＝１−２＊ｘ（ｎ）、ｍ＝（ｎ＋４３＊Ｎ＿ＧＩＤ＾ＳＬ＋２２）ｍｏｄ１２７（０≦ｎ＜１２７）によって与えられ、ここで、ｘ（ｉ＋７）＝ｘ（ｉ＋１）＋ｘ（ｉ）（ｉ＝０，１，…，１１９）であり、ｘ（６：０）＝［００００００１］であり、
前記Ｓ−ＳＳＳに対応する前記第２シーケンスは、
【数３】
2021529496.tif 000072
によって与えられ、ｘ＿０（ｎ＿０）は、ｘ＿０（ｉ＋７）＝ｘ＿０（ｉ＋１）＋ｘ＿０（ｉ）（ｉ＝０，１，…，１１９）、及びｘ＿０（６：０）＝［００００００１］によって与えられる第１Ｍ−シーケンスであり、ｘ＿１（ｎ＿１）は、ｘ＿１（ｉ＋７）＝ｘ＿１（ｉ＋１）＋ｘ＿１（ｉ）（ｉ＝０，１，…，１１９）、及びｘ＿１（６：０）＝［００００００１］によって与えられる第２Ｍ−シーケンスであり、Ｎ＿ＩＤは、前記ＳＬ−ＳＩＤである、請求項１３に記載の方法。
【国際調査報告】
2021529496.tif 000073
2021529496.tif 000074